(57)【要約】      （修正有）【課題】歯科医、耳鼻咽喉科医、眼科医等が安定して治療行為等の作業を行うことができる医療用診療椅子を提供する。【解決手段】医療用診療椅子Ｃは、座と、回動自在な背もたれ２と、この背もたれ２から突出して設けられたヘッドレスト３とを有する医療用診療椅子Ｃであって、背もたれ２又はヘッドレスト３の外方に突出するように設けられた突出部材４、４’と、作業者の手又は腕が当接する当接部材５、５’と、この当接部材５、５’を支える支持部材６、６’とを備え、支持部材６、６’と突出部材４、４’とが接続されている。【選択図】図１
2017176806.tif 000002
【特許請求の範囲】
【請求項１】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記ヘッドレストの外方に突出するように回動自在に設けられた前記突出部材は、第１、第２の突出部材であり、
前記当接部材は、作業者の右手又は右腕が当接する第１の当接部材と作業者の左手又は左腕が当接する第２の当接部材とを有し、
前記支持部材は、前記第１の当接部材を支える第１の支持部材と前記第２の当接部材を支える第２の支持部材とを有し、
前記第１の支持部材と前記第１の突出部材とが、前記第２の支持部材と前記第２の突出部材とが、それぞれ接続され、
前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置し、
前記第１の突出部材の回動位置は第１の回動保持手段により保持され、
前記第２の突出部材の回動位置は第２の回動保持手段により保持される
ことを特徴とする医療用診療椅子。
【請求項２】
座と、回動自在な背もたれと、この背もたれから突出して設けられたヘッドレストと
を有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記ヘッドレストの外方に突出するように回動自在に設けられた前記突出部材は、第１、第２の突出部材であり、
前記当接部材は、作業者の右手又は右腕が当接する第１の当接部材と作業者の左手又は左腕が当接する第２の当接部材とを有し、
前記支持部材は、前記第１の当接部材を支える第１の支持部材と前記第２の当接部材を支える第２の支持部材とを有し、
前記第１の支持部材と前記第１の突出部材とが、前記第２の支持部材と前記第２の突出部材とが、それぞれ接続され、
前記第１、第２の突出部材の回動中心が、前記ヘッドレスト及び背もたれを前記医療用診療椅子の設置面に対して、略平行にした場合において、平面視、前記ヘッドレストに
当接した患者の口元近傍に位置している
ことを特徴とする医療用診療椅子。
【請求項３】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、    
前記ヘッドレストの外方に突出するように回動自在に設けられた前記突出部材は、第１、第２の突出部材であり、
前記当接部材は、作業者の右手又は右腕が当接する第１の当接部材と作業者の左手又は左腕が当接する第２の当接部材とを有し、
前記支持部材は、前記第１の当接部材を支える第１の支持部材と前記第２の当接部材を支える第２の支持部材とを有し、
前記第１の支持部材と前記第１の突出部材とが、前記第２の支持部材と前記第２の突出部材とが、それぞれ接続され、
前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置し、
前記第１の突出部材の前記ヘッドレストの底部から前記ヘッドレストの頂部に向かう方向（第１の突出部材の外方先端が背もたれから遠ざかる方向）への動きを規制する第１のストッパーが、
前記第２の突出部材の前記ヘッドレストの底部から前記ヘッドレストの頂部に向かう方向（第２の突出部材の外方先端が背もたれから遠ざかる方向）への動きを規制する第１’のストッパーが、それぞれ前記ヘッドレストに取り付けられ、
前記第１のストッパーと前記第１’のストッパーにより、前記第１の突出部材と前記第２の突出部材が接触しないように規制する
ことを特徴とする医療用診療椅子。
【請求項４】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記ヘッドレストの外方に突出するように回動自在に設けられた前記突出部材は、第１、第２の突出部材であり、
前記当接部材は、作業者の右手又は右腕が当接する第１の当接部材と作業者の左手又は左腕が当接する第２の当接部材とを有し、
前記支持部材は、前記第１の当接部材を支える第１の支持部材と前記第２の当接部材を支える第２の支持部材とを有し、
前記第１の支持部材と前記第１の突出部材とが、前記第２の支持部材と前記第２の突出部材とが、それぞれ接続され、
前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置し、
前記第１の突出部材の前記ヘッドレストの頂部から前記ヘッドレストの底部に向かう方向（第１の突出部材の外方先端が背もたれに近づく方向）への動きを規制する第２のストッパーが、
前記第２の突出部材の前記ヘッドレストの頂部から前記ヘッドレストの底部に向かう方向（第２の突出部材の外方先端が背もたれに近づく方向）への動きを規制する第２’のストッパーが、
それぞれ前記ヘッドレストに取り付けられ、
前記第２のストッパーにより、前記第１の突出部材、又は、前記第１の当接部材、又は、前記第１の支持部材が前記背もたれに当接している患者の体の部位に接触しないように規制し、
前記第２’のストッパーにより、前記第２の突出部材、又は、前記第２の当接部材、又は、前記第２の支持部材が前記患者の体の部位に接触しないように規制する
ことを特徴とする医療用診療椅子。
【請求項５】
第１の突出部材は、逆への字状に形成され、前記逆への字状の屈曲部は、前記第１の突出部材の露出している端部より前記第１の突出部材のヘッドレスト内に位置している端部に近い側に位置し、
第２の突出部材は、への字状に形成され、前記への字状の屈曲部は、前記第２の突出部材の露出している端部より前記第２の突出部材のヘッドレスト内に位置している端部に近い側に位置している
ことを特徴とする請求項１又は請求項２又は請求項３又は請求項４記載の医療用診療椅子。
【請求項６】
第１の突出部材は、前記第１の突出部材に取り付けられた第１の接続継手管を介して第１の支持部材に接続され、
前記第１の支持部材の長さ調整は、前記第１の支持部材を前記第１の接続継手管内への挿入により行われるものであり、前記第１の接続継手管内への挿入された前記第１の支持部材は第１の支持部保持手段により保持され、
前記第１の突出部材は、ヘッドレストより露出した中途に段差があり、前記ヘッドレストが医療用診療椅子の設置面に対して略平行である場合、前記第１の接続継手管が取り付けられた前記第１の突出部材の部位は、前記ヘッドレスト内の前記第１の突出部材の部位より前記設置面に対して、低い位置にあり、
第２の突出部材は、前記第２の突出部材に取り付けられた第２の接続継手管を介して第２の支持部材に接続され、
前記第２の支持部材の長さ調整は、前記第２の支持部材を前記第２の接続継手管内への挿入により行われるものであり、前記第２の接続継手管内への挿入された前記第２の支持部材は第２の支持部保持手段により保持され、
前記第２の突出部材は、前記ヘッドレストより露出した中途に段差があり、前記ヘッドレストが前記医療用診療椅子の設置面に対して略平行である場合、前記第２の接続継手管が取り付けられた前記第２の突出部材の部位は、前記ヘッドレスト内の前記第２の突出部材の部位より前記設置面に対して、低い位置にある
ことを特徴とする請求項１又は請求項２又は請求項３又は請求項４又は請求項５記載の医療用診療椅子。
【請求項７】
座と、回動自在な背もたれと、この背もたれから突出して設けられたヘッドレストと
を有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
作業者の体の部位が前記ヘッドレストの頂部に当接しないように、前記ヘッドレストの頂部側に突出し、前記作業者の体の部位を当接支持する突出バーが前記ヘッドレストに設けられ、
前記突出バーの取り付け位置は、前記ヘッドレストの頂部又は前記ヘッドレストの裏面である
ことを特徴とする医療用診療椅子。
【請求項８】
座と、回動自在な背もたれと、この背もたれから突出して設けられたヘッドレストとを有する医療用診療椅子であって、
前記ヘッドレストの外方に第１、第２の取り付け部材を介して突出すると共に、回動自在に設けられた第１、第２の回動部材と、
作業者の右手又は右腕が当接する第１の当接部材と、
この第１の当接部材を支える第１の支持部材と、
作業者の左手又は左腕が当接する第２の当接部材と、
この第２の当接部材を支える第２の支持部材とを備え、
前記第１の支持部材と前記第１の回動部材とが、前記第２の支持部材と前記第２の回動部材とが、それぞれ接続され、
前記第１の取り付け部材は、前記ヘッドレストの正面視、前記ヘッドレストの左側面に前記左側面に平行に回動自在に取り付けられた左側第１のベースと、この左側第１のベースに接続され、前記左側第１のベースに対して前記ヘッドレストの裏面側に向かって約９０°の位置にある左側第２のベースとを有し、
前記左側第２のベースに前記第１の回動部材が取り付けられ、
前記第２の取り付け部材は、前記ヘッドレストの正面視、前記ヘッドレストの右側面に前記右側面に平行に回動自在に取り付けられた右側第１のベースと、この右側第１のベースに接続され、前記右側第１のベースに対して前記ヘッドレストの裏面側に向かって約９０°の位置にある右側第２のベースとを有し、
前記右側第２のベースに前記第２の回動部材が取り付けられている
ことを特徴とする医療用診療椅子。
【請求項９】
第１の回動部材に第１の係止部が設けられ、
この第１の係止部が前記左側第２のベースに設けられた第１のストッパーに係止して
、前記第１の回動部材のヘッドレストの底部から前記ヘッドレストの頂部に向かう方向（第１の回動部材の回動軸から遠い側の先端が背もたれから遠ざかる方向）の動きを規制し、
第２の回動部材に第２の係止部が設けられ、
この第２の係止部が前記右側第２のベースに設けられた第１’のストッパーに係止して、前記第２の回動部材の前記ヘッドレストの底部から前記ヘッドレストの頂部に向かう方向（第２の回動部材の回動軸から遠い側の先端が背もたれから遠ざかる方向）の動きを規制し、
前記第１のストッパーにより前記第１の回動部材、又は、第１の支持部材、又は、第１の当接部材が前記ヘッドレストの左側面に、前記第１’のストッパーにより前記第２の回動部材、又は、第２の支持部材、又は、第２の当接部材が前記ヘッドレストの右側面に、それぞれ接触しないように規制する
ことを特徴とする請求項８記載の医療用診療椅子。  
【請求項１０】
第１の回動部材に第１の係止部が設けられ、
この第１の係止部が前記左側第２のベースに設けられた第２のストッパーに係止して、前記第１の回動部材のヘッドレストの頂部から前記ヘッドレストの底部に向かう方向（第１の回動部材の回動軸から遠い側の先端が背もたれに近づく方向）の動きを規制し、
第２の回動部材に第２の係止部が設けられ、
この第２の係止部が前記右側第２のベースに設けられた第２’のストッパーに係止して、前記第２の回動部材の前記ヘッドレストの頂部から前記ヘッドレストの底部に向かう方向（第２の回動部材の回動軸から遠い側の先端が背もたれに近づく方向）の動きを規制し、
前記第２のストッパーにより、前記第１の回動部材、又は、第１の支持部材又は、第１の当接部材が背もたれに当接した患者の体の部位に接触しないように規制し、
前記第２’のストッパーにより、前記第２の回動部材、又は、第２の支持部材又は、第２の当接部材が前記背もたれに当接した患者の体の部位に接触しないように規制する
ことを特徴とする請求項８記載の医療用診療椅子。
【請求項１１】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記支持部材は、第１の支持部材と第２の支持部材を有し、
前記当接部材は、第１の当接部材と第２の当接部材を有し、
前記第１の支持部材の長手方向と前記第１の突出部材の長手方向とのなす角度は、略直角であり、
前記第１の支持部材が前記第１の支持部材の長手方向に対して伸縮すると共に、この伸縮した状態を保持する第１の支持部保持手段を備え、
前記第２の支持部材の長手方向と前記第２の突出部材の長手方向とのなす角度は、略直角であり、
前記第２の支持部材が前記第２の支持部材の長手方向に対して伸縮すると共に、この伸縮した状態を保持する第２の支持部保持手段を備えている
ことを特徴とする医療用診療椅子。
【請求項１２】
座と、回動自在な背もたれと、この背もたれから突出して設けられたヘッドレストとを有する医療用診療椅子であって、
第１の突出部材は長手方向に長い部材であり、前記長手方向に対して伸縮すると共に、この伸縮した状態の前記第１の突出部材を保持する第１の突出部保持手段と、第２の突出部材は長手方向に長い部材であり、前記長手方向に対して伸縮すると共に、この伸縮した状態の前記第２の突出部材を保持する第２の突出部保持手段とを備えている
ことを特徴とする請求項１１記載の医療用診療椅子。
【請求項１３】
座と、回動自在な背もたれと、この背もたれから突出して設けられたヘッドレストとを有する医療用診療椅子であって、
第１の当接部材を第１の支持部材に対して所定角度回動させると共に、この所定角度回動した状態を保持する第１の当接部保持手段と、
第２の当接部材を第２の支持部材に対して所定角度回動させると共に、この所定角度回動した状態を保持する第２の当接部保持手段とを備えている
ことを特徴とする請求項１又は請求項８記載の医療用診療椅子。
【請求項１４】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記突出部材が前記背もたれの外方に突出する場合、
前記突出部材は、前記背もたれの裏面側から前記背もたれの外方に突出するように設けられたものか、又は、前記背もたれの頂面から前記背もたれの外方に突出するように設けられたものか、又は、前記背もたれの表面側から前記背もたれの外方に突出するように設けられたものかの何れか一つである
ことを特徴とする医療用診療椅子。
【請求項１５】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記突出部材が前記背もたれの外方に突出する場合、
前記当接部材は、前記突出部材の長手方向に長い長手形状部材であり、前記背もたれを倒して行う治療等の作業時、平面視、前記当接部材の下に患者の肩が位置している
ことを特徴とする医療用診療椅子。
【請求項１６】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記背もたれを倒して行う治療時、前記当接部材は、患者の口唇より、垂直方向において、下方に位置している
ことを特徴とする医療用診療椅子。
【請求項１７】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記背もたれを倒して行う治療時、
前記当接部材は、患者の口唇より、垂直方向において、下方に位置すると共に、上方に向かって登り勾配に傾斜するように前記支持部材に取り付けられているか、
または、
前記当接部材は、患者の口唇より、垂直方向において、下方に位置すると共に、上方に向かって登り勾配に傾斜する傾斜部又はアール形状部を有するかの何れかである
ことを特徴とする医療用診療椅子。
【請求項１８】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記突出部材が前記背もたれの外方に突出するように設けられた場合、
前記突出部材は、前記背もたれに回動自在に接続され、
前記支持部材の長手方向と前記突出部材の長手方向とのなす角度は、略直角であり、
前記回動方向は、前記支持部材の長手方向を横断する方向である
ことを特徴とする医療用診療椅子。
【請求項１９】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記当接部材の手、腕の当接面は、前記支持部材の長手方向の軸線に対して傾斜しており、
前記支持部材は、前記突出部材に接続された受け部に支持され、
前記支持部材の長手方向の前記軸線に対して直角方向に回動又は回転自在に前記受け部に支持されている
ことを特徴とする医療用診療椅子。
【請求項２０】
座と、回動自在な背もたれと、この背もたれから突出して設けられたヘッドレストとを有する医療用診療椅子であって、
当接部材の軸線と支持部材の軸線とが不一致となるように前記当接部材が前記支持部材に支持されている
ことを特徴とする請求項１９記載の医療用診療椅子。
【請求項２１】
座と、回動自在な背もたれと、この背もたれから突出して設けられたヘッドレストと
を有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記突出部材は、前記突出部材の長手方向に対して略直交する方向に前記突出部材の長手方向の長さより短い突出部を有し、
前記ヘッドレストの側面部に設けられた支持部に前記突出部材の突出部が挿入され、前記突出部材が前記支持部で支持されている
ことを特徴とする医療用診療椅子。
【請求項２２】
ヘッドレストの側面部の長手方向に複数の支持部が設けられ、前記複数の支持部から選択された前記支持部に突出部材の突出部が挿入され、前記突出部材が前記支持部で支持されている
ことを特徴とする請求項２１記載の医療用診療椅子。
【請求項２３】
座と、回動自在な背もたれと、この背もたれから突出して設けられたヘッドレストとを有する医療用診療椅子であって、
第１の支持部材の長手方向と第１の突出部材の長手方向とのなす角度は、略直角であり、
前記第１の支持部材が前記第１の支持部材の長手方向に対して伸縮すると共に、この伸縮した状態を保持する第１の支持部保持手段を備え、
前記第２の支持部材の長手方向と第２の突出部材の長手方向とのなす角度は、略直角であり、
前記第２の支持部材が前記第２の支持部材の長手方向に対して伸縮すると共に、この伸縮した状態を保持する第２の支持部保持手段を備えている
ことを特徴とする請求項１記載の医療用診療椅子。
【請求項２４】
座と、回動自在な背もたれと、この背もたれから突出して設けられたヘッドレストとを有する医療用診療椅子であって、
第１の支持部材の長手方向と第１の回動部材の長手方向とのなす角度は、略直角であり、
前記第１の支持部材が前記第１の支持部材の長手方向に対して伸縮すると共に、この伸縮した状態を保持する第１の支持部保持手段を備え、
前記第２の支持部材の長手方向と第２の回動部材の長手方向とのなす角度は、略直角であり、
前記第２の支持部材が前記第２の支持部材の長手方向に対して伸縮すると共に、この伸縮した状態を保持する第２の支持部保持手段を備えている
ことを特徴とする請求項８記載の医療用診療椅子。
【請求項２５】
座と、回動自在な背もたれと、この背もたれから突出して設けられたヘッドレストとを有する医療用診療椅子であって、
第１の突出部材は長手方向に長い部材であり、前記長手方向に対して伸縮すると共に、この伸縮した状態の前記第１の突出部材を保持する第１の突出部保持手段と、第２の突出部材は長手方向に長い部材であり、前記長手方向に対して伸縮すると共に、この伸縮した状態の前記第２の突出部材を保持する第２の突出部保持手段とを備えている
ことを特徴とする請求項２３記載の医療用診療椅子。
【請求項２６】
座と、回動自在な背もたれと、この背もたれから突出して設けられたヘッドレストとを有する医療用診療椅子であって、
第１の回動部材は長手方向に長い部材であり、前記長手方向に対して伸縮すると共に、この伸縮した状態の前記第１の回動部材を保持する第１の回動部保持手段と、第２の回動部材は長手方向に長い部材であり、前記長手方向に対して伸縮すると共に、この伸縮した状態の前記第２の回動部材を保持する第２の回動部保持手段とを備えている
ことを特徴とする請求項２４記載の医療用診療椅子。
【請求項２７】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記支持部材は前記支持部材の長手方向に対して伸縮すると共に、この伸縮した状態を保持する支持部保持手段を備えている
ことを特徴とする医療用診療椅子。
【請求項２８】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記突出部材は前記突出部材の長手方向に対して伸縮すると共に、この伸縮した状態を保持する突出部保持手段を備えている
ことを特徴とする医療用診療椅子。
【請求項２９】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記突出部材が前記背もたれの外方に突出する場合、
前記背もたれを倒して行う治療等の作業時、平面視、前記当接部材の下に患者の肩が位置している
ことを特徴とする医療用診療椅子。
【請求項３０】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記背もたれを倒して行う治療時、
前記当接部材は、上方に向かって登り勾配に傾斜するように前記支持部材に取り付けられているか、
または、
前記当接部材は、上方に向かって登り勾配に傾斜する傾斜部又はアール形状部を有するかの何れかである
ことを特徴とする医療用診療椅子。
【請求項３１】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材が接続され、
前記支持部材は、前記突出部材に接続された受け部に支持され、
前記支持部材の長手方向の前記軸線に対して直角方向に回動又は回転自在に前記受け部に支持されている
ことを特徴とする医療用診療椅子。
【請求項３２】
座と、回動自在な背もたれと、この背もたれに設けられたヘッドレストとを有する医療用診療椅子であって、
前記背もたれ又は前記ヘッドレストに回動自在に設けられた回動部材と、
作業者の手又は腕が当接する当接部材と、
この当接部材を支える支持部材とを備え、
前記支持部材と前記回動部材とが接続されている
ことを特徴とする医療用診療椅子。
【請求項３３】
座と、回動自在な背もたれと、この背もたれに設けられたヘッドレストとを有する医療用診療椅子であって、
前記背もたれ又は前記ヘッドレストに回動自在に設けられた回動部材と、
作業者の手又は腕が当接する当接部材とを備え、
前記回動部材の支持部で前記当接部材を支持している
ことを特徴とする医療用診療椅子。
【請求項３４】
座と、回動自在な背もたれと、この背もたれに設けられたヘッドレストとを有する医療用診療椅子であって、
前記背もたれ又は前記ヘッドレストに回動自在に設けられた回動部材を備え、
この回動部材に作業者の手又は腕が当接する当接部を設けた
ことを特徴とする医療用診療椅子。
【請求項３５】
座と、回動自在な背もたれと、この背もたれから突出して設けられたヘッドレストとを有する医療用診療椅子であって、
回動部材と支持部材と当接部材が一体的に形成されているか、
又は、
前記回動部材と前記支持部材とが一体的に形成されているか、
又は、
前記支持部材と前記当接部材が一体的に形成されているか、
であることを特徴とする請求項３２記載の医療用診療椅子。
【請求項３６】
座と、回動自在な背もたれと、この背もたれから突出して設けられたヘッドレストとを有する医療用診療椅子であって、
回動部材が前記回動部材の長手方向に対して伸縮すると共に、この伸縮した状態を保持する回動部保持手段を備えている
ことを特徴とする請求項３２〜３５のいずれかに記載の医療用診療椅子。
【請求項３７】
座と、回動自在な背もたれと、この背もたれから突出して設けられたヘッドレストとを有する医療用診療椅子であって、
支持部材が前記支持部材の長手方向に対して伸縮すると共に、この伸縮した状態を保持する支持部保持手段を備えている
ことを特徴とする請求項１６又は請求項３２又は請求項３５記載の医療用診療椅子。
【請求項３８】
回動部材は、
背もたれの内部から前記背もたれの外方に突出するように設けられたものか、
又は、
前記背もたれの頂面に取り付けられ、前記背もたれの外方に突出するように設けられたものか、
又は、
前記背もたれの裏面側から前記背もたれの外方に突出するように設けられたものか、
又は、
ヘッドレストの内部から前記ヘッドレストの外方に突出するように設けられたものか、
又は、
前記ヘッドレストの側面に取り付けられ、前記ヘッドレストの外方に突出するように設けられたものか、
又は、
前記ヘッドレストの裏面側から前記ヘッドレストの外方に突出するように設けられたものか、
であることを特徴とする請求項３２〜３４のいずれか又は請求項３６に記載の医療用診療椅子。
【請求項３９】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材とを備え、
前記突出部材の支持部で前記当接部材を支持し、
前記背もたれを倒して行う治療時、前記当接部材は、患者の口唇より、垂直方向において、下方に位置している
ことを特徴とする医療用診療椅子。
【請求項４０】
座と、回動自在な背もたれと、この背もたれから突出して設けられたヘッドレストとを有する医療用診療椅子であって、
突出部材と当接部材とが一体化されている
ことを特徴とする請求項３９記載の医療用診療椅子。
【請求項４１】
座と、回動自在な背もたれと、この背もたれから突出して設けられたヘッドレストとを有する医療用診療椅子であって、
前記背もたれを倒して行う治療等の作業時、平面視、当接部材の下に患者の肩が位置している
ことを特徴とする請求項７又は請求項１４又は請求項１６又は請求項１８〜２１のいずれか又は請求項２７又は請求項２８又は請求項３１〜３３又は請求項３９又は請求項４０のいずれかに記載の医療用診療椅子。              
【請求項４２】
座と、回動自在な背もたれと、この背もたれから突出して設けられたヘッドレストとを有する医療用診療椅子であって、
前記背もたれを倒して行う治療時、当接部材は、患者の口唇より、垂直方向において、下方に位置している
ことを特徴とする請求項７又は請求項１４又請求項１８〜２１のいずれか又は請求項２７又は請求項２８又は請求項３１〜３３のいずれかに記載の医療用診療椅子。
【請求項４３】
座と、回動自在な背もたれと、この背もたれから突出して設けられたヘッドレストとを有する医療用診療椅子であって、
前記背もたれを倒して行う治療時、
当接部材は、上方に向かって登り勾配に傾斜するように支持部材に取り付けられているか、
又は、
前記当接部材は、上方に向かって登り勾配に傾斜する傾斜部又はアール形状部を有するかの何れかである
ことを特徴とする請求項１６又は請求項３２〜３３のいずれか又は請求項３９に記載の医療用診療椅子。
【請求項４４】
座と、回動自在な背もたれと、この背もたれから突出して設けられたヘッドレストとを有する医療用診療椅子であって、
支持部材は、回動部材に接続された受け部に支持され、
前記支持部材の長手方向の軸線に対して直角方向に回動又は回転自在に前記受け部に支持されている
ことを特徴とする請求項３２又は請求項３５記載の医療用診療椅子。
【請求項４５】
座と、回動自在な背もたれと、この背もたれから突出して設けられたヘッドレストとを有する医療用診療椅子であって、
当接部材に作業者の手又は腕が前記当接部材から滑り落ちるのを防止するストッパーが形成されている
ことを特徴とする請求項７又は請求項１１又は請求項１４〜２１のいずれか又は請求項２７〜３３のいずれか又は請求項３５又は請求項３９〜４１のいずれかに記載の医療用診療椅子。
【請求項４６】
座と、回動自在な背もたれと、この背もたれから突出して設けられたヘッドレストとを有する医療用診療椅子であって、
第１の当接部材に作業者の手又は腕が前記当接部材から滑り落ちるのを防止する第１のストッパーが、
第２の当接部材に作業者の手又は腕が前記当接部材から滑り落ちるのを防止する第２のストッパーが、
それぞれ形成されている
ことを特徴とする請求項１又は請求項２又は請求項３又は請求項４又は請求項８又は請求項９又は請求項１０又は請求項１１又は請求項１３に記載の医療用診療椅子。
【請求項４７】
座と、回動自在な背もたれと、この背もたれから突出して設けられたヘッドレストとを有する医療用診療椅子であって、
突出部材と支持部材と当接部材とが一体化、
又は、
前記突出部材と前記支持部材とが一体化、
又は、
前記支持部材と前記当接部材とが一体化されている
ことを特徴とする請求項１６記載の医療用診療椅子。
【請求項４８】
作業者の体の部位がヘッドレストの頂部に当接しないように、前記ヘッドレストの頂部側に突出し、前記作業者の体の部位を当接支持する突出バーが前記ヘッドレストに設けられ、
前記突出バーの取り付け位置は、前記ヘッドレストの頂部又は前記ヘッドレストの裏面である
ことを特徴とする請求項１〜６のいずれか又は請求項８〜４７のいずれかに記載の医療用診療椅子。
【発明の詳細な説明】
【技術分野】
【０００１】
本発明は、医療用診療椅子に係り、特に、歯科医、耳鼻咽喉科医、眼科医等が安定して治療行為等を行うことができる医療用診療椅子に関する。
【背景技術】
【０００２】
従来、座と、回動自在な背もたれと、この背もたれから突出して設けられたヘッドレストとを有する歯科医療用診療椅子がある（例えば、特許文献１参照）。
【先行技術文献】
【特許文献】
【０００３】
【特許文献１】特許第３６３０５６１号公報
【発明の概要】
【発明が解決しようとする課題】
【０００４】
しかしながら、上記歯科医療用診療椅子にあっては、歯科医等の手又は腕を当接部材に支持させて、手又は腕を安定させた状態で治療行為等を行うと共に、歯科医等の治療行為等の疲れをも軽減させるという発想はない。
例えば、歯科医等の手等が安定しないと、精度が求められる支台歯形成、治療、歯石除去等において均一化した技術を保つことができない上に、手先を安定させようと歯科医等が余分な筋力を用いることとなり、その分、歯科医等の疲労度も増す。また、患者にとっては、歯科医等の均一化した技術を受けられないという問題点を生じる。
【０００５】
本発明は、上記実情を考慮してなされた医療用診療椅子を提供することを目的とする。
【課題を解決するための手段】
【０００６】
請求項１記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記ヘッドレストの外方に突出するように回動自在に設けられた前記突出部材は、第１、第２の突出部材であり、前記当接部材は、作業者の右手又は右腕が当接する第１の当接部材と作業者の左手又は左腕が当接する第２の当接部材とを有し、前記支持部材は、前記第１の当接部材を支える第１の支持部材と前記第２の当接部材を支える第２の支持部材とを有し、前記第１の支持部材と前記第１の突出部材とが、前記第２の支持部材と前記第２の突出部材とが、それぞれ接続され、前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置し、前記第１の突出部材の回動位置は第１の回動保持手段により保持され、前記第２の突出部材の回動位置は第２の回動保持手段により保持されるものである。
【０００７】
また、請求項２記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記ヘッドレストの外方に突出するように回動自在に設けられた前記突出部材は、第１、第２の突出部材であり、前記当接部材は、作業者の右手又は右腕が当接する第１の当接部材と作業者の左手又は左腕が当接する第２の当接部材とを有し、前記支持部材は、前記第１の当接部材を支える第１の支持部材と前記第２の当接部材を支える第２の支持部材とを有し、前記第１の支持部材と前記第１の突出部材とが、前記第２の支持部材と前記第２の突出部材とが、それぞれ接続され、前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置しているものである。
【０００８】
また、請求項３記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記ヘッドレストの外方に突出するように回動自在に設けられた前記突出部材は、第１、第２の突出部材であり、前記当接部材は、作業者の右手又は右腕が当接する第１の当接部材と作業者の左手又は左腕が当接する第２の当接部材とを有し、  前記支持部材は、前記第１の当接部材を支える第１の支持部材と前記第２の当接部材を支える第２の支持部材とを有し、前記第１の支持部材と前記第１の突出部材とが、前記第２の支持部材と前記第２の突出部材とが、それぞれ接続され、前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置し、前記第１の突出部材の前記ヘッドレストの底部から前記ヘッドレストの頂部に向かう方向（第１の突出部材の外方先端が背もたれから遠ざかる方向）への動きを規制する第１のストッパーが、前記第２の突出部材の前記ヘッドレストの底部から前記ヘッドレストの頂部に向かう方向（第２の突出部材の外方先端が背もたれから遠ざかる方向）への動きを規制する第１’のストッパーが、それぞれ前記ヘッドレストに取り付けられ、前記第１のストッパーと前記第１’のストッパーにより、前記第１の突出部材と前記第２の突出部材が接触しないように規制するものである。
【０００９】
また、請求項４記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記ヘッドレストの外方に突出するように回動自在に設けられた前記突出部材は、第１、第２の突出部材であり、前記当接部材は、作業者の右手又は右腕が当接する第１の当接部材と作業者の左手又は左腕が当接する第２の当接部材とを有し、  前記支持部材は、前記第１の当接部材を支える第１の支持部材と前記第２の当接部材を支える第２の支持部材とを有し、前記第１の支持部材と前記第１の突出部材とが、前記第２の支持部材と前記第２の突出部材とが、それぞれ接続され、前記第１、第２の突出部材の回動中心が、前記ヘッドレスト及び背もたれを前記医療用診療椅子の設置面に対して、略平行にした場合において、平面視、前記ヘッドレストに当接した患者の口元近傍に位置し、前記第１の突出部材の前記ヘッドレストの頂部から前記ヘッドレストの底部に向かう方向（第１の突出部材の外方先端が背もたれに近づく方向）への動きを規制する第２のストッパーが、前記第２の突出部材の前記ヘッドレストの頂部から前記ヘッドレストの底部に向かう方向（第２の突出部材の外方先端が背もたれに近づく方向）への動きを規制する第２’のストッパーが、それぞれ前記ヘッドレストに取り付けられ、前記第２のストッパーにより、前記第１の突出部材、又は、前記第１の当接部材、又は、前記第１の支持部材が前記背もたれに当接している患者の体の部位に接触しないように規制し、前記第２’のストッパーにより、前記第２の突出部材、又は、前記第２の当接部材、又は、前記第２の支持部材が前記患者の体の部位に接触しないように規制するものである。
【００１０】
また、請求項５記載の医療用診療椅子は、請求項１又は請求項２又は請求項３又は請求項４記載の医療用診療椅子において、第１の突出部材は、逆への字状に形成され、前記逆への字状の屈曲部は、前記第１の突出部材の露出している端部より前記第１の突出部材のヘッドレスト内に位置している端部に近い側に位置し、第２の突出部材は、への字状に形成され、前記への字状の屈曲部は、前記第２の突出部材の露出している端部より前記第２の突出部材のヘッドレスト内に位置している端部に近い側に位置しているものである。
【００１１】
また、請求項６記載の医療用診療椅子は、請求項１又は請求項２又は請求項３又は請求項４又は請求項５記載の医療用診療椅子において、第１の突出部材は、前記第１の突出部材に取り付けられた第１の接続継手管を介して第１の支持部材に接続され、前記第１の支持部材の長さ調整は、前記第１の支持部材を前記第１の接続継手管内への挿入により行われるものであり、前記第１の接続継手管内への挿入された前記第１の支持部材は第１の支持部保持手段により保持され、前記第１の突出部材は、ヘッドレストより露出した中途に段差があり、前記ヘッドレストが医療用診療椅子の設置面に対して略平行である場合、前記第１の接続継手管が取り付けられた前記第１の突出部材の部位は、前記ヘッドレスト内の前記第１の突出部材の部位より前記設置面に対して、低い位置にあり、第２の突出部材は、前記第２の突出部材に取り付けられた第２の接続継手管を介して第２の支持部材に接続され、前記第２の支持部材の長さ調整は、前記第２の支持部材を前記第２の接続継手管内への挿入により行われるものであり、前記第２の接続継手管内への挿入された前記第２の支持部材は第２の支持部保持手段により保持され、前記第２の突出部材は、前記ヘッドレストより露出した中途に段差があり、前記ヘッドレストが前記医療用診療椅子の設置面に対して略平行である場合、前記第２の接続継手管が取り付けられた前記第２の突出部材の部位は、前記ヘッドレスト内の前記第２の突出部材の部位より前記設置面に対して、低い位置にある。
【００１２】
また、請求項７記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、作業者の体の部位が前記ヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面である。
【００１３】
また、請求項８記載の医療用診療椅子は、座と、回動自在な背もたれと、この背もたれから突出して設けられたヘッドレストとを有する医療用診療椅子であって、前記ヘッドレストの外方に第１、第２の取り付け部材を介して突出すると共に、回動自在に設けられた第１、第２の回動部材と、作業者の右手又は右腕が当接する第１の当接部材と、この第１の当接部材を支える第１の支持部材と、作業者の左手又は左腕が当接する第２の当接部材と、この第２の当接部材を支える第２の支持部材とを備え、前記第１の支持部材と前記第１の回動部材とが、前記第２の支持部材と前記第２の回動部材とが、それぞれ接続され、  前記第１の取り付け部材は、前記ヘッドレストの正面視、前記ヘッドレストの左側面に前記左側面に平行に回動自在に取り付けられた左側第１のベースと、この左側第１のベースに接続され、前記左側第１のベースに対して前記ヘッドレストの裏面側に向かって約９０°の位置にある左側第２のベースとを有し、前記左側第２のベースに前記第１の回動部材が取り付けられ、前記第２の取り付け部材は、前記ヘッドレストの正面視、前記ヘッドレストの右側面に前記右側面に平行に回動自在に取り付けられた右側第１のベースと、この右側第１のベースに接続され、前記右側第１のベースに対して前記ヘッドレストの裏面側に向かって約９０°の位置にある右側第２のベースとを有し、前記右側第２のベースに前記第２の回動部材が取り付けられているものである。
【００１４】
また、請求項９記載の医療用診療椅子は、請求項８記載の医療用診療椅子において、第１の回動部材に第１の係止部が設けられ、この第１の係止部が前記左側第２のベースに設けられた第１のストッパーに係止して、前記第１の回動部材のヘッドレストの底部から前記ヘッドレストの頂部に向かう方向（第１の回動部材の回動軸から遠い側の先端が背もたれから遠ざかる方向）の動きを規制し、第２の回動部材に第２の係止部が設けられ、この第２の係止部が前記右側第２のベースに設けられた第１’のストッパーに係止して、前記第２の回動部材の前記ヘッドレストの底部から前記ヘッドレストの頂部に向かう方向（第２の回動部材の回動軸から遠い側の先端が背もたれから遠ざかる方向）の動きを規制し、前記第１のストッパーにより前記第１の回動部材、又は、第１の支持部材、又は、第１の当接部材が前記ヘッドレストの左側面に、前記第１’のストッパーにより前記第２の回動部材、又は、第２の支持部材、又は、第２の当接部材が前記ヘッドレストの右側面に、それぞれ接触しないように規制するものである。
【００１５】
また、請求項１０記載の医療用診療椅子は、請求項８記載の医療用診療椅子において、第１の回動部材に第１の係止部が設けられ、この第１の係止部が前記左側第２のベースに設けられた第２のストッパーに係止して、前記第１の回動部材のヘッドレストの頂部から前記ヘッドレストの底部に向かう方向（第１の回動部材の回動軸から遠い側の先端が背もたれに近づく方向）の動きを規制し、第２の回動部材に第２の係止部が設けられ、この第２の係止部が前記右側第２のベースに設けられた第２’のストッパーに係止して、前記第２の回動部材の前記ヘッドレストの頂部から前記ヘッドレストの底部に向かう方向（第２の回動部材の回動軸から遠い側の先端が背もたれに近づく方向）の動きを規制し、前記第２のストッパーにより、前記第１の回動部材、又は、第１の支持部材又は、第１の当接部材が背もたれに当接した患者の体の部位に接触しないように規制し、前記第２’のストッパーにより、前記第２の回動部材、又は、第２の支持部材又は、第２の当接部材が前記背もたれに当接した患者の体の部位に接触しないように規制するものである。
【００１６】
また、請求項１１記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記支持部材は、第１の支持部材と第２の支持部材を有し、前記当接部材は、第１の当接部材と第２の当接部材を有し、前記第１の支持部材の長手方向と前記第１の突出部材の長手方向とのなす角度は、略直角であり、 前記第１の支持部材が前記第１の支持部材の長手方向に対して伸縮すると共に、この伸縮した状態を保持する第１の支持部保持手段を備え、前記第２の支持部材の長手方向と前記第２の突出部材の長手方向とのなす角度は、略直角であり、前記第２の支持部材が前記第２の支持部材の長手方向に対して伸縮すると共に、この伸縮した状態を保持する第２の支持部保持手段を備えているものである。
【００１７】
また、請求項１２記載の医療用診療椅子は、請求項１１記載の医療用診療椅子において、座と、回動自在な背もたれと、この背もたれから突出して設けられたヘッドレストとを有する医療用診療椅子であって、第１の突出部材は長手方向に長い部材であり、前記長手方向に対して伸縮すると共に、この伸縮した状態の前記第１の突出部材を保持する第１の突出部保持手段と、第２の突出部材は長手方向に長い部材であり、前記長手方向に対して伸縮すると共に、この伸縮した状態の前記第２の突出部材を保持する第２の突出部保持手段とを備えているものである。
【００１８】
また、請求項１３記載の医療用診療椅子は、請求項１又は請求項８記載の医療用診療椅子において、座と、回動自在な背もたれと、この背もたれから突出して設けられたヘッドレストとを有する医療用診療椅子であって、第１の当接部材を第１の支持部材に対して所定角度回動させると共に、この所定角度回動した状態を保持する第１の当接部保持手段と、第２の当接部材を第２の支持部材に対して所定角度回動させると共に、この所定角度回動した状態を保持する第２の当接部保持手段とを備えているものである。
【００１９】
また、請求項１４記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記突出部材が背もたれの外方に突出する場合、前記突出部材は、前記背もたれの裏面側から前記背もたれの外方に突出するように設けられたものか、又は、前記背もたれの頂面から前記背もたれの外方に突出するように設けられたものか、又は、前記背もたれの表面側から前記背もたれの外方に突出するように設けられたものかの何れか一つである。
【００２０】
また、請求項１５記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記突出部材が前記背もたれの外方に突出する場合、前記当接部材は、前記突出部材の長手方向に長い長手形状部材であり、前記背もたれを倒して行う治療等の作業時、平面視、前記当接部材の下に患者の肩が位置しているものである。
【００２１】
また、請求項１６記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記背もたれを倒して行う治療時、前記当接部材は、患者の口唇より、垂直方向において、下方に位置しているものである。
【００２２】
また、請求項１７記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記背もたれを倒して行う治療時、前記当接部材は、患者の口唇より、垂直方向において、下方に位置すると共に、上方に向かって登り勾配に傾斜するように前記支持部材に取り付けられているか、または、前記当接部材は、患者の口唇より、垂直方向において、下方に位置すると共に、上方に向かって登り勾配に傾斜する傾斜部又はアール形状部を有するかの何れかである。
【００２３】
また、請求項１８記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記突出部材が前記背もたれの外方に突出するように設けられた場合、前記突出部材は、前記背もたれに回動自在に接続され、前記支持部材の長手方向と前記突出部材の長手方向とのなす角度は、略直角であり、前記回動方向は、前記支持部材の長手方向を横断する方向である。
【００２４】
また、請求項１９記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記当接部材の手、腕の当接面は、前記支持部材の長手方向の軸線に対して傾斜しており、前記支持部材は、前記突出部材に接続された受け部に支持され、前記支持部材の長手方向の前記軸線に対して直角方向に回動又は回転自在に前記受け部に支持されているものである。                
【００２５】
また、請求項２０記載の医療用診療椅子は、請求項１９記載の医療用診療椅子において、座と、回動自在な背もたれと、この背もたれから突出して設けられたヘッドレストとを有する医療用診療椅子であって、当接部材の軸線と支持部材の軸線とが不一致となるように前記当接部材が前記支持部材に支持されているものである。
【００２６】
また、請求項２１記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記突出部材は、前記突出部材の長手方向に対して略直交する方向に前記突出部材の長手方向の長さより短い突出部を有し、前記ヘッドレストの側面部に設けられた支持部に前記突出部材の突出部が挿入され、前記突出部材が前記支持部で支持されているものである。
【００２７】
また、請求項２２記載の医療用診療椅子は、請求項２１記載の医療用診療椅子において、ヘッドレストの側面部の長手方向に複数の支持部が設けられ、前記複数の支持部から選択された前記支持部に突出部材の突出部が挿入され、前記突出部材が前記支持部で支持されているものである。
【００２８】
また、請求項２３記載の医療用診療椅子は、請求項１記載の医療用診療椅子において、座と、回動自在な背もたれと、この背もたれから突出して設けられたヘッドレストとを有する医療用診療椅子であって、第１の支持部材の長手方向と第１の突出部材の長手方向とのなす角度は、略直角であり、前記第１の支持部材が前記第１の支持部材の長手方向に対して伸縮すると共に、この伸縮した状態を保持する第１の支持部保持手段を備え、前記第２の支持部材の長手方向と第２の突出部材の長手方向とのなす角度は、略直角であり、前記第２の支持部材が前記第２の支持部材の長手方向に対して伸縮すると共に、この伸縮した状態を保持する第２の支持部保持手段を備えているものである。
【００２９】
また、請求項２４記載の医療用診療椅子は、請求項８記載の医療用診療椅子において、座と、回動自在な背もたれと、この背もたれから突出して設けられたヘッドレストとを有する医療用診療椅子であって、第１の支持部材の長手方向と第１の回動部材の長手方向とのなす角度は、略直角であり、前記第１の支持部材が前記第１の支持部材の長手方向に対して伸縮すると共に、この伸縮した状態を保持する第１の支持部保持手段を備え、前記第２の支持部材の長手方向と第２の回動部材の長手方向とのなす角度は、略直角であり、前記第２の支持部材が前記第２の支持部材の長手方向に対して伸縮すると共に、この伸縮した状態を保持する第２の支持部保持手段を備えているものである。
【００３０】
また、請求項２５記載の医療用診療椅子は、請求項２３記載の医療用診療椅子において、座と、回動自在な背もたれと、この背もたれから突出して設けられたヘッドレストとを有する医療用診療椅子であって、第１の突出部材は長手方向に長い部材であり、前記長手方向に対して伸縮すると共に、この伸縮した状態の前記第１の突出部材を保持する第１の突出部保持手段と、第２の突出部材は長手方向に長い部材であり、前記長手方向に対して伸縮すると共に、この伸縮した状態の前記第２の突出部材を保持する第２の突出部保持手段とを備えているものである。
【００３１】
また、請求項２６記載の医療用診療椅子は、請求項２４記載の医療用診療椅子において、座と、回動自在な背もたれと、この背もたれから突出して設けられたヘッドレストとを有する医療用診療椅子であって、第１の回動部材は長手方向に長い部材であり、前記長手方向に対して伸縮すると共に、この伸縮した状態の前記第１の回動部材を保持する第１の回動部保持手段と、第２の回動部材は長手方向に長い部材であり、前記長手方向に対して伸縮すると共に、この伸縮した状態の前記第２の回動部材を保持する第２の回動部保持手段とを備えているものである。
【００３２】
また、請求項２７記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記支持部材は前記支持部材の長手方向に対して伸縮すると共に、この伸縮した状態を保持する支持部保持手段を備えているものである。
【００３３】
また、請求項２８記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記突出部材は前記突出部材の長手方向に対して伸縮すると共に、この伸縮した状態を保持する突出部保持手段を備えているものである。
また、請求項２９記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記突出部材が前記背もたれの外方に突出する場合、前記背もたれを倒して行う治療等の作業時、平面視、前記当接部材の下に患者の肩が位置しているものである。
また、請求項３０記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記背もたれを倒して行う治療時、前記当接部材は、上方に向かって登り勾配に傾斜するように前記支持部材に取り付けられているか、または、前記当接部材は、上方に向かって登り勾配に傾斜する傾斜部又はアール形状部を有するかの何れかである。
また、請求項３１記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材が接続され、前記支持部材は、前記突出部材に接続された受け部に支持され、前記支持部材の長手方向の前記軸線に対して直角方向に回動又は回転自在に前記受け部に支持されているものである。
また、請求項３２記載の医療用診療椅子は、座と、回動自在な背もたれと、この背もたれに設けられたヘッドレストとを有する医療用診療椅子であって、前記背もたれ又は前記ヘッドレストに回動自在に設けられた回動部材と、作業者の手又は腕が当接する当接部材と、この当接部材を支える支持部材とを備え、前記支持部材と前記回動部材とが接続されているものである。
また、請求項３３記載の医療用診療椅子は、座と、回動自在な背もたれと、この背もたれに設けられたヘッドレストとを有する医療用診療椅子であって、前記背もたれ又は前記ヘッドレストに回動自在に設けられた回動部材と、作業者の手又は腕が当接する当接部材とを備え、前記回動部材の支持部で前記当接部材を支持しているものである。
また、請求項３４記載の医療用診療椅子は、座と、回動自在な背もたれと、この背もたれに設けられたヘッドレストとを有する医療用診療椅子であって、前記背もたれ又は前記ヘッドレストに回動自在に設けられた回動部材を備え、この回動部材に作業者の手又は腕が当接する当接部を設けたものである。
また、請求項３５記載の医療用診療椅子は、請求項３２記載の医療用診療椅子において、回動部材と支持部材と当接部材が一体的に形成されているか、又は、前記回動部材と前記支持部材とが一体的に形成されているか、又は、前記支持部材と前記当接部材が一体的に形成されているか、である。
また、請求項３６記載の医療用診療椅子は、請求項３２〜３５のいずれかに記載の医療用診療椅子において、座と、回動自在な背もたれと、この背もたれから突出して設けられたヘッドレストとを有する医療用診療椅子であって、回動部材が前記回動部材の長手方向に対して伸縮すると共に、この伸縮した状態を保持する回動部保持手段を備えている
ものである。
また、請求項３７記載の医療用診療椅子は、請求項１６又は請求項３２又は請求項３５記載の医療用診療椅子において、座と、回動自在な背もたれと、この背もたれから突出して設けられたヘッドレストとを有する医療用診療椅子であって、支持部材が前記支持部材の長手方向に対して伸縮すると共に、この伸縮した状態を保持する支持部保持手段を備えているものである。
また、請求項３８記載の医療用診療椅子は、請求項３２〜３４のいずれか又は請求項３６に記載の医療用診療椅子において、回動部材は、背もたれの内部から前記背もたれの外方に突出するように設けられたものか、又は、前記背もたれの頂面に取り付けられ、前記背もたれの外方に突出するように設けられたものか、又は、前記背もたれの裏面側から前記背もたれの外方に突出するように設けられたものか、又は、ヘッドレストの内部から前記ヘッドレストの外方に突出するように設けられたものか、又は、前記ヘッドレストの側面に取り付けられ、前記ヘッドレストの外方に突出するように設けられたものか、又は、
前記ヘッドレストの裏面側から前記ヘッドレストの外方に突出するように設けられたものか、である。
また、請求項３９記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材とを備え、前記突出部材の支持部で前記当接部材を支持し、前記背もたれを倒して行う治療時、前記当接部材は、患者の口唇より、垂直方向において、下方に位置しているものである。
また、請求項４０記載の医療用診療椅子は、請求項３９記載の医療用診療椅子において、座と、回動自在な背もたれと、この背もたれから突出して設けられたヘッドレストとを有する医療用診療椅子であって、突出部材と当接部材とが一体化されているものである。
また、請求項４１記載の医療用診療椅子は、請求項７又は請求項１４又は請求項１６又は請求項１８〜２１のいずれか又は請求項２７又は請求項２８又は請求項３１〜３３又は請求項３９又は請求項４０のいずれかに記載の医療用診療椅子において、座と、回動自在な背もたれと、この背もたれから突出して設けられたヘッドレストとを有する医療用診療椅子であって、前記背もたれを倒して行う治療等の作業時、平面視、当接部材の下に患者の肩が位置しているものである。
また、請求項４２記載の医療用診療椅子は、請求項７又は請求項１４又請求項１８〜２１のいずれか又は請求項２７又は請求項２８又は請求項３１〜３３のいずれかに記載の医療用診療椅子において、座と、回動自在な背もたれと、この背もたれから突出して設けられたヘッドレストとを有する医療用診療椅子であって、前記背もたれを倒して行う治療時、当接部材は、患者の口唇より、垂直方向において、下方に位置しているものである。
また、請求項４３記載の医療用診療椅子は、請求項１６又は請求項３２〜３３のいずれか又は請求項３９に記載の医療用診療椅子において、座と、回動自在な背もたれと、この背もたれから突出して設けられたヘッドレストとを有する医療用診療椅子であって、前記背もたれを倒して行う治療時、当接部材は、上方に向かって登り勾配に傾斜するように支持部材に取り付けられているか、
又は、前記当接部材は、上方に向かって登り勾配に傾斜する傾斜部又はアール形状部を有するかの何れかである。
また、請求項４４記載の医療用診療椅子は、請求項３２又は請求項３５記載の医療用診療椅子において、座と、回動自在な背もたれと、この背もたれから突出して設けられたヘッドレストとを有する医療用診療椅子であって、支持部材は、回動部材に接続された受け部に支持され、前記支持部材の長手方向の軸線に対して直角方向に回動又は回転自在に前記受け部に支持されているものである。
また、請求項４５記載の医療用診療椅子は、請求項７又は請求項１１又は請求項１４〜２１のいずれか又は請求項２７〜３３のいずれか又は請求項３５又は請求項３９〜４１のいずれかに記載の医療用診療椅子において、座と、回動自在な背もたれと、この背もたれから突出して設けられたヘッドレストとを有する医療用診療椅子であって、当接部材に作業者の手又は腕が前記当接部材から滑り落ちるのを防止するストッパーが形成されているものである。
また、請求項４６記載の医療用診療椅子は、請求項１又は請求項２又は請求項３又は請求項４又は請求項８又は請求項９又は請求項１０又は請求項１１又は請求項１３に記載の医療用診療椅子において、座と、回動自在な背もたれと、この背もたれから突出して設けられたヘッドレストとを有する医療用診療椅子であって、第１の当接部材に作業者の手又は腕が前記当接部材から滑り落ちるのを防止する第１のストッパーが、第２の当接部材に作業者の手又は腕が前記当接部材から滑り落ちるのを防止する第２のストッパーが、それぞれ形成されているものである。
また、請求項４７記載の医療用診療椅子は、請求項１６記載の医療用診療椅子において、座と、回動自在な背もたれと、この背もたれから突出して設けられたヘッドレストとを有する医療用診療椅子であって、突出部材と支持部材と当接部材とが一体化、又は、前記突出部材と前記支持部材とが一体化、又は、前記支持部材と前記当接部材とが一体化されているものである。
また、請求項４８記載の医療用診療椅子は、請求項１〜６のいずれか又は請求項８〜４７のいずれかに記載の医療用診療椅子において、作業者の体の部位がヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面である。
【発明の効果】
【００３４】
請求項１、２、３、４記載の医療用診療椅子によれば、突出部材を背もたれ又はヘッドレストの外方に突出するように設けるという発想の元、ヘッドレスト近傍に突出部材、支持部材を設けることができる分、突出部材、支持部材の長さを短くでき、これら突出部材、支持部材、当接部材を患者の頭部の近くにコンパクトに効率良く設けることができ、また、当接部材に、例えば、歯科医（又は歯科衛生士）等の作業者の手又は腕を支持させて治療行為等の作業を行うことができるため、支持させている分、歯科医（又は歯科衛生士）等の作業者の手を安定させて治療行為等の作業を行うことができ、治療行為等の作業が均一化して治療行為等の作業の向上を図ると共に、歯科医（又は歯科衛生士）等の作業者の治療行為等の作業の疲れをも軽減させることができる。また、治療行為等の作業が均一化して治療行為等の作業の向上が図れれば、治療行為等の作業を受ける患者にとって有益である。
【００３５】
また、請求項１記載の医療用診療椅子によれば、第１、第２の突出部材は、回動可能で、第１、第２の突出部材の回動中心が、ヘッドレスト及び背もたれを医療用診療椅子の設置面に対して、略平行にした場合において、平面視、ヘッドレストに当接した患者の口元近傍に位置しているため、例えば、患者の口元近傍と第１の当接部材との距離は、患者の口元近傍と第２の当接部材との距離は、それぞれ略一定となって、作業し易く、また、例えば、第１の突出部材、第２の突出部材を回動して、歯科医等の作業し易い適宜の位置、例えば、ヘッドレストの頂部中央の方向を時計の１２時にみたてれば、１２時［図２２（ａ）］の位置から９時［図２２（ｂ）］の位置の間の適宜の位置で、容易に使用することができると共に、回動した位置を第１の回動保持手段、第２の回動保持手段により保持して治療行為等の作業を容易に行うことができ、
更に、第１の突出部材の回動位置は第１の回動保持手段により、第２の突出部材の回動位置は第２の回動保持手段により、それぞれ保持されるため、不用意に背もたれが回動されても、第１、第２の突出部材の回動が防止され、患者が第１、第２の突出部材、第１、第２の当接部材、第１、第２の支持部材により損傷を受けるのを防ぐことができる。
【００３６】
また、請求項２記載の医療用診療椅子によれば、第１、第２の突出部材は、回動可能で、第１、第２の突出部材の回動中心が、ヘッドレスト及び背もたれを医療用診療椅子の設置面に対して、略平行にした場合において、平面視、ヘッドレストに当接した患者の口元近傍に位置しているため、例えば、患者の
口元近傍と第１の当接部材との距離は、患者の口元近傍と第２の当接部材との距離は、それぞれ略一定となって、作業し易く、また、例えば、第１の突出部材、第２の突出部材を回動させて、歯科医等の作業し易い適宜の位置、ヘッドレストの頂部中央の方向を時計の１２時にみたてれば、９時［図２２（ｂ）］の位置から１２時［図２２（ａ）］の位置の間の適宜の位置、１２時［図２２（ａ）］の位置から３時（図２３）の位置の間の適宜の位置に、容易に移動して治療行為等の作業を容易に行うことができる。
【００３７】
また、請求項３記載の医療用診療椅子によれば、第１、第２の突出部材は、回動可能で、第１、第２の突出部材の回動中心が、ヘッドレスト及び背もたれを医療用診療椅子の設置面に対して、略平行にした場合において、平面視、ヘッドレストに当接した患者の口元近傍に位置しているため、例えば、患者の
口元近傍と第１の当接部材との距離は、患者の口元近傍と第２の当接部材との距離は、それぞれ略一定となって、作業し易く、また、例えば、第１の突出部材、第２の突出部材を回動させて、歯科医等の作業し易い適宜の位置、ヘッドレストの頂部中央の方向を時計の１２時にみたてれば、９時［図２２（ｂ）］の位置から１２時［図２２（ａ）］の位置の間の適宜の位置、１２時［図２２（ａ）］の位置から３時（図２３）の位置の間の適宜の位置に、容易に移動して治療行為等の作業を容易に行うことができる。
また、第１のストッパーと第１’のストッパーにより、第１の突出部材と第２の突出部材が接触しないように規制して、第１の突出部材と第２の突出部材とが衝突するのを防止することができる。
【００３８】
また、請求項４記載の医療用診療椅子によれば、第１、第２の突出部材は、回動可能で、第１、第２の突出部材の回動中心が、ヘッドレスト及び背もたれを医療用診療椅子の設置面に対して、略平行にした場合において、平面視、ヘッドレストに当接した患者の口元近傍に位置しているため、例えば、患者の口元近傍と第１の当接部材との距離は、患者の口元近傍と第２の当接部材との距離は、それぞれ略一定となって、作業し易く、また、例えば、第１の突出部材、第２の突出部材を回動させて、歯科医等の作業し易い適宜の位置、ヘッドレストの頂部中央の方向を時計の１２時にみたてれば、９時［図２２（ｂ）］の位置から１２時［図２２（ａ）］の位置の間の適宜の位置、１２時［図２２（ａ）］の位置から３時（図２３）の位置の間の適宜の位置に、容易に移動して治療行為等の作業を容易に行うことができる。
また、第２のストッパーにより、第１の突出部材、又は、第１の当接部材、又は、第１の支持部材が患者の体の部位に接触しないように規制し、第２’のストッパーにより、第２の突出部材、又は、第２の当接部材、又は、第２の支持部材が患者の体の部位に接触しないように規制し、患者が損傷を受けるのを防止することができる。
【００３９】
また、請求項５記載の医療用診療椅子によれば、上述した請求項１又は請求項２又は請求項３又は請求項４記載の発明の効果に加え、第１の突出部材は、逆への字状に形成され、前記逆への字状の屈曲部は、前記第１の突出部材の露出している端部より前記第１の突出部材のヘッドレスト内に位置している端部に近い側に位置し、第２の突出部材は、への字状に形成され、前記への字状の屈曲部は、前記第２の突出部材の露出している端部より前記第２の突出部材のヘッドレスト内に位置している端部に近い側に位置しているため、第１、第２の突出部材の外方先端を背もたれに当接している患者により近づけることができ、歯科医等の作業し易い範囲を拡大して、適正な作業を行うことができる。
【００４０】
また、請求項６記載の医療用診療椅子によれば、上述した請求項１又は請求項２又は請求項３又は請求項４又は請求項５記載の発明の効果に加え、第１の突出部材は、ヘッドレストより露出した中途に段差があり、ヘッドレストが医療用診療椅子の設置面に対して略平行である場合、第１の接続継手管が取り付けられた第１の突出部材の部位は、ヘッドレスト内の第１の突出部材の部位より設置面に対して、低い位置にあり、また、第２の突出部材は、ヘッドレストより露出した中途に段差があり、ヘッドレストが医療用診療椅子の設置面に対して略平行である場合、第２の接続継手管が取り付けられた第２の突出部材の部位は、ヘッドレスト内の第２の突出部材より設置面に対して、低い位置にあるため、段差分、第１、第２の支持部材の長さ調整の幅を大きくとれ、歯科医等の作業し易い範囲を拡大して、適正な作業を行うことができる。
【００４１】
また、請求項７記載の医療用診療椅子によれば、上述した段落番号００３４記載の発明の効果に加え、ヘッドレストの頂部側に突出し、作業者の体の部位（例えば、上半身）を当接支持する突出バーがヘッドレストに設けられているため、歯科医師等の作業者は体の部位を突出バーに当接させて、作業者の上半身の安定化を図り、引いては、腕が安定して治療等の作業をより確実に行うことができ、また、突出バーにより、作業者の体の部位がヘッドレストに当接した患者の頭部に触れることをも防止して、患者に与える不快感を解消させることができる。
【００４２】
また、請求項８記載の医療用診療椅子によれば、第１、第２の回動部材をヘッドレストの外方に突出するように設けるという発想の元、ヘッドレスト近傍に第１、第２の回動部材、第１、第２の支持部材を設けることができる分、第１、第２の回動部材、第１、第２の支持部材の長さを短くでき、これら第１、第２の回動部材、第１、第２の支持部材、第１、第２の当接部材を患者の頭部の近くにコンパクトに効率良く設けることができ、また、例えば、第１の当接部材に歯科医（又は歯科衛生士）等の作業者の右手又は右腕を、第２の当接部材に歯科医（又は歯科衛生士）等の作業者の左手又は左腕を、それぞれ支持させて治療行為等の作業を行うことができるため、支持させている分、歯科医（又は歯科衛生士）等の作業者の両手を安定させて治療行為等の作業を行うことができ、治療行為等の作業が均一化して治療行為等の作業の向上を図ると共に、歯科医（又は歯科衛生士）の治療行為等の作業の疲れをも軽減させることができる。また、治療行為等の作業が均一化して治療行為等の作業の向上が図れれば、治療行為等の作業を受ける患者にとっても有益である。
また、例えば、ヘッドレスト及び背もたれを略水平状態になるように、回動して、患者の口腔内（例えば、患者の上の歯）を治療する場合、ヘッドレストの頂部を設置面側に回動すると、第１の当接部材も連動して移動し、作業者の右手又は右腕が当接する部位が低くなるが、第１の取り付け部材を回動して、作業者の右手又は右腕が当接する部位を所定の高さ位置へ調整することができ、また、例えば、ヘッドレスト及び背もたれを略水平状態になるように、回動して、患者の口腔内（例えば、患者の上の歯）を治療する場合、ヘッドレストの頂部を設置面側に回動すると、第２の当接部材も連動して移動し、作業者の左手又は左腕が当接する部位が低くなるが、第２の取り付け部材を回動して、作業者の左手又は左腕が当接する部位を所定の高さ位置へ調整することができる。
【００４３】
また、請求項９記載の医療用診療椅子によれば、上述した請求項８記載の発明の効果に加え、第１のストッパーにより第１の回動部材、又は、第１の支持部材、又は、第１の当接部材がヘッドレストの左側面に、第１’のストッパーにより第２の回動部材、又は、第２の支持部材、又は、第２の当接部材がヘッドレストの右側面に、それぞれ接触しないように規制することができる。
【００４４】
また、請求項１０記載の医療用診療椅子によれば、上述した請求項８記載の発明の効果に加え、第２のストッパーにより、第１の回動部材、又は、第１の支持部材、又は、第１の当接部材が背もたれに当接した患者の体の部位に接触しないように規制し、第２’のストッパーにより、第２の回動部材、又は、第２の支持部材、又は、第２の当接部材が背もたれに当接した患者の体の部位に接触しないように規制し、患者が損傷を受けるのを防止することができる。
【００４５】
また、請求項１１記載の医療用診療椅子によれば、上述した段落番号００３４記載の発明の効果に加え、第１の当接部材を支える第１の支持部材が該第１の支持部材の長手方向に対して伸縮すると共に、この伸縮した状態を保持する第１の支持部保持手段を、第２の当接部材を支える第２の支持部材が該第２の支持部材の長手方向に対して伸縮すると共に、この伸縮した状態を保持する第２の支持部保持手段を、それぞれ備えているため、例えば、第１、第２の支持部材を伸縮させると共に、第１、第２の支持部保持手段により、第１、第２の支持部材の伸縮状態を保持して、歯科医師等の作業者の作業し易い適宜の位置を確保することができ、また、例えば、ヘッドレスト及び背もたれを倒して行う歯科治療等の作業時、第１、第２の当接部材を患者の口唇より下方に位置させることができ、歯科医等は、右手又は右腕を第１の当接部材に支持させ、右腕をＶ字、Ｌ字状等に屈曲させて歯科医等の右手を、左手又は左腕を第２の当接部材に支持させ、左腕をＶ字、Ｌ字状等に屈曲させて歯科医等の左手を、それぞれ患者の口唇に向かわせて安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとっても有益である。
【００４６】
また、請求項１２記載の医療用診療椅子によれば、上述した請求項１１記載の発明の効果に加え、第１、第２の突出部材の長さを第１、第２の突出部保持手段により、第１、第２の支持部材の長さを第１、第２の支持部保持手段（請求項１１に記載あり）により、それぞれ調整することができるため、歯科医等は第１、第２の当接部材を最適の位置に設定して、治療行為等の作業を行うことができる。
【００４７】
また、請求項１３記載の医療用診療椅子によれば、上述した請求項１又は請求項８記載の発明の効果に加え、 第１の当接部材を第１の支持部材に対して所定角度回動させると共に、この所定角度回動した状態を保持する第１の当接部保持手段と、第２の当接部材を第２の支持部材に対して所定角度回動させると共に、この所定角度回動した状態を保持する第２の当接部保持手段とを備えているため、歯科医等は第１、第２の当接部材を最適の位置に設定して、治療行為等の作業を行うことができる。
【００４８】
また、請求項１５記載の医療用診療椅子によれば、上述した段落番号００３４記載の発明の効果に加え、当接部材は、突出部材の長手方向に長い長手形状部材であり、背もたれを倒して行う歯科治療等の作業時、突出部材を縮めた時、平面視、当接部材の下に患者の肩が位置しているため、歯科医等の作業は長手方向に長い当接部材の最適の部位を選定して、治療行為等の作業を行うことができる。
【００４９】
また、請求項１６記載の医療用診療椅子によれば、上述した段落番号００３４記載の発明の効果に加え、当接部材は、背もたれを倒して行う歯科治療等の作業時、患者の口唇より、垂直方向において、下方に位置しているため、歯科医等は、手又は腕を当接部材に支持させ、腕をＶ字、Ｌ字状等に屈曲させて歯科医等の手を患者の口唇に向かわせて安定して治療行為等を行うことができ、治療等を向上させると共に、歯科医等の治療行為等の作業の疲れをも軽減させることができる。また、治療行為等の作業が均一化して治療行為等の作業の向上が図れれば、治療行為等を受ける患者にとって有益である。
【００５０】
また、請求項１７記載の医療用診療椅子によれば、上述した段落番号００３４記載の発明の効果に加え、当接部材は、背もたれを倒して行う歯科治療等の作業時、患者の口唇より、垂直方向において、下方に位置すると共に、上方に向かって登り勾配に傾斜するように支持部材に取り付けられているか、または、当接部材は、ヘッドレストに当接した患者の口唇より、垂直方向において、下方に位置すると共に、上方に向かって登り勾配に傾斜する傾斜部を有するか、または、前記当接部材は、患者の口唇より、垂直方向において、下方に位置すると共に、上方に向かって登り勾配に傾斜する傾斜部又はアール形状部を有するかの何れかであるため、歯科医等の手又は腕の適宜の位置を当接部材の傾斜部又はアール形状部の適宜の位置に合わせることができ、安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとって有益である。
【００５１】
また、請求項１８記載の医療用診療椅子によれば、上述した段落番号００３４記載の発明の効果に加え、突出部材は、背もたれに回動自在に接続されているため、歯科医等の治療行為等の作業の邪魔にならないように、突出部材、支持部材、当接部材等を退避させることができる。
【００５２】
また、請求項１９記載の医療用診療椅子によれば、上述した段落番号００３４記載の発明の効果に加え、支持部材の長手方向の軸線（軸の中心を通る線）に対して直角方向に回動又は回転自在に受け部に支持されているため、歯科医等は支持部材を回動又は回転させて傾斜した当接部材の最適の部位を選定して、治療行為等の作業を行うことができる。
例えば、突出部材４に接続された受け部７、具体的には、エルボ（第１のエルボ  Ｌ字形状の接続継手管）７を介して支持部材６と突出部材４とが接続されている。
【００５３】
また、請求項２０記載の医療用診療椅子によれば、上述した請求項１９記載の発明の効果に加え、当接部材の軸線と支持部材の軸線とが不一致となるように前記当接部材が前記支持部材に支持されているため、歯科医等は当接部材を支持部材に対して回動させると、患者との距離が可変となり、この可変の適宜の位置を利用して、患者との最適な距離を選択して、治療等の作業を行うことができる。
【００５４】
また、請求項２２記載の医療用診療椅子によれば、上述した請求項２１記載の発明の効果に加え、複数の支持部から選択された前記支持部に突出部材の突出部が挿入され、突出部材が支持部で支持されているため、 歯科医等の作業し易い位置を選択して、適正な作業を行うことができる。
【００５５】
また、請求項２３記載の医療用診療椅子によれば、上述した請求項１記載の発明の効果に加え、第１の当接部材を支える第１の支持部材が該第１の支持部材の長手方向に対して伸縮すると共に、この伸縮した状態を保持する第１の支持部保持手段を、第２の当接部材を支える第２の支持部材が該第２の支持部材の長手方向に対して伸縮すると共に、この伸縮した状態を保持する第２の支持部保持手段を、それぞれ備えているため、例えば、第１、第２の支持部材を伸縮させると共に、第１、第２の支持部保持手段により、第１、第２の支持部材の伸縮状態を保持して、歯科医師等の作業者の作業し易い適宜の位置を確保することができ、また、例えば、ヘッドレスト及び背もたれを倒して行う歯科治療等の作業時、第１、第２の当接部材を患者の口唇より下方に位置させることができ、歯科医等は、右手又は右腕を第１の当接部材に支持させ、右腕をＶ字、Ｌ字状等に屈曲させて歯科医等の右手を、左手又は左腕を第２の当接部材に支持させ、左腕をＶ字、Ｌ字状等に屈曲させて歯科医等の左手を、それぞれ患者の口唇に向かわせて安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとっても有益である。
【００５６】
また、請求項２４記載の医療用診療椅子によれば、上述した請求項８記載の発明の効果に加え、第１の当接部材を支える第１の支持部材が該第１の支持部材の長手方向に対して伸縮すると共に、この伸縮した状態を保持する第１の支持部保持手段を、第２の当接部材を支える第２の支持部材が該第２の支持部材の長手方向に対して伸縮すると共に、この伸縮した状態を保持する第２の支持部保持手段を、それぞれ備えているため、例えば、第１、第２の支持部材を伸縮させると共に、第１、第２の支持部保持手段により、第１、第２の支持部材の伸縮状態を保持して、歯科医師等の作業者の作業し易い適宜の位置を確保することができ、また、例えば、ヘッドレスト及び背もたれを倒して行う歯科治療等の作業時、第１、第２の当接部材を患者の口唇より下方に位置させることができ、歯科医等は、右手又は右腕を第１の当接部材に支持させ、右腕をＶ字、Ｌ字状等に屈曲させて歯科医等の右手を、左手又は左腕を第２の当接部材に支持させ、左腕をＶ字、Ｌ字状等に屈曲させて歯科医等の左手を、それぞれ患者の口唇に向かわせて安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとっても有益である。
【００５７】
また、請求項２５記載の医療用診療椅子によれば、上述した請求項２３記載の発明の効果に加え、第１、第２の突出部材の長さを第１、第２の突出部保持手段により、第１、第２の支持部材の長さを第１、第２の支持部保持手段（請求項２５に記載あり）により、それぞれ調整することができるため、歯科医等は第１、第２の当接部材を最適の位置に設定して、治療行為等の作業を行うことができる。
【００５８】
また、請求項２６記載の医療用診療椅子によれば、上述した請求項２４記載の発明の効果に加え、第１、第２の回動部材の長さを第１、第２の回動部保持手段により、第１、第２の支持部材の長さを第１、第２の支持部保持手段（請求項２６に記載あり）により、それぞれ調整することができるため、歯科医等は第１、第２の当接部材を最適の位置に設定して、治療行為等の作業を行うことができる。
また、請求項２７記載の医療用診療椅子によれば、当接部材を支える支持部材が該支持部材の長手方向に対して伸縮すると共に、この伸縮した状態を保持する支持部保持手段を備えているため、例えば、支持部材を伸縮させると共に、支持部保持手段により、支持部材の伸縮状態を保持して、歯科医師等の作業者の作業し易い適宜の位置を確保することができる。
また、請求項２８記載の医療用診療椅子によれば、突出部材の長さを突出部保持手段により、突出部材の長さを調整することができるため、歯科医等は当接部材を最適の位置に設定して、治療行為等の作業を行うことができる。
また、請求項２９記載の医療用診療椅子によれば、背もたれを倒して行う歯科治療等の作業時、平面視、当接部材の下に患者の肩が位置しているため、治療行為等の作業を容易に行うことができる。
また、請求項３０記載の医療用診療椅子によれば、当接部材は、背もたれを倒して行う歯科治療等の作業時、上方に向かって登り勾配に傾斜するように支持部材に取り付けられているか、または、当接部材は、上方に向かって登り勾配に傾斜する傾斜部を有するか、の何れかであるため、歯科医等の手又は腕の適宜の位置を当接部材の傾斜部又はアール形状部の適宜の位置に合わせることができ、安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとって有益である。
また、請求項３１記載の医療用診療椅子によれば、支持部材は受け部に支持されているため、歯科医等は支持部材を回動又は回転させて傾斜した当接部材の最適の部位を選定して、治療行為等の作業を行うことができる。
例えば、突出部材４に接続された受け部７、具体的には、エルボ（第１のエルボ  Ｌ字形状の接続継手管）７を介して支持部材６と突出部材４とが接続されている。
また、請求項３２記載の医療用診療椅子によれば、例えば、回動部材を回動させて、歯科医等の作業し易い適宜の位置、ヘッドレストの頂部中央の方向を時計の１２時にみたてれば、９時［図２２（ｂ）］の位置から１２時［図２２（ａ）］の位置の間の適宜の位置、１２時［図２２（ａ）］の位置から３時（図２３）の位置の間の適宜の位置に、容易に移動して治療行為等の作業を容易に行うことができる。
また、請求項３６記載の医療用診療椅子によれば、回動部材の長さを回動部保持手段により、回動部材の長さを調整することができるため、歯科医等は当接部材を最適の位置に設定して、治療行為等の作業を行うことができる。
また、請求項３７記載の医療用診療椅子によれば、支持部材の長さを支持部保持手段により、支持部材の長さを調整することができるため、歯科医等は当接部材を最適の位置に設定して、治療行為等の作業を行うことができる。
また、請求項３９記載の医療用診療椅子によれば、当接部材は、背もたれを倒して行う歯科治療等の作業時、患者の口唇より、垂直方向において、下方に位置しているため、歯科医等は、手又は腕を当接部材に支持させ、腕をＶ字、Ｌ字状等に屈曲させて歯科医等の手を患者の口唇に向かわせて安定して治療行為等を行うことができ、治療等を向上させると共に、歯科医等の治療行為等の作業の疲れをも軽減させることができる。また、治療行為等の作業が均一化して治療行為等の作業の向上が図れれば、治療行為等を受ける患者にとって有益である。
また、請求項４１記載の医療用診療椅子によれば、背もたれを倒して行う歯科治療等の作業時、平面視、当接部材の下に患者の肩が位置しているため、治療行為等の作業を容易に行うことができる。
また、請求項４２記載の医療用診療椅子によれば、当接部材は、背もたれを倒して行う歯科治療等の作業時、患者の口唇より、垂直方向において、下方に位置しているため、歯科医等は、手又は腕を当接部材に支持させ、腕をＶ字、Ｌ字状等に屈曲させて歯科医等の手を患者の口唇に向かわせて安定して治療行為等を行うことができ、治療等を向上させると共に、歯科医等の治療行為等の作業の疲れをも軽減させることができる。また、治療行為等の作業が均一化して治療行為等の作業の向上が図れれば、治療行為等を受ける患者にとって有益である。
また、請求項４３記載の医療用診療椅子によれば、当接部材は、背もたれを倒して行う歯科治療等の作業時、上方に向かって登り勾配に傾斜する傾斜部を有するか、または、前記当接部材は、上方に向かって登り勾配に傾斜する傾斜部又はアール形状部を有するかの何れかであるため、歯科医等の手又は腕の適宜の位置を当接部材の傾斜部又はアール形状部の適宜の位置に合わせることができ、安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとって有益である。
また、請求項４５記載の医療用診療椅子によれば、当接部材に作業者の手又は腕が前記当接部材から滑り落ちるのを防止するストッパーが形成されているため、歯科医等の治療行為等の作業を安全に行うことができる。
また、請求項４６記載の医療用診療椅子によれば、第１、第２の当接部材に作業者の手又は腕が第１、第２の当接部材から滑り落ちるのを防止する第１、第２のストッパーが形成されているため、歯科医等の治療行為等の作業を安全に行うことができる。
また、請求項４８記載の医療用診療椅子によれば、作業者の体の部位がヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面であるため、歯科医師等の作業者は体の部位を突出バーに当接させて、作業者の上半身の安定化を図り、引いては、腕が安定して治療等の作業をより確実に行うことができ、また、突出バーにより、作業者の体の部位がヘッドレストに当接した患者の頭部に触れることをも防止して、患者に与える不快感を解消させることができる。
【図面の簡単な説明】
【００５９】
【図１】図１は、本発明の一実施例の医療用診療椅子（例えば、歯科医療用診療椅子）の使用状態を概略的に示す概略的斜視図である。
【図２】図２は、図１の医療用診療椅子（例えば、歯科医療用診療椅子）の背もたれを起こし、歯科医、患者を除去して示す概略的正面図である。
【図３】図３は、図２の医療用診療椅子（例えば、歯科医療用診療椅子）の背もたれを段階的に回動した状態の概略的側面図である。
【図４】図４（ａ）は、図３の医療用診療椅子（例えば、歯科医療用診療椅子）の一部を拡大して示す概略的一部拡大側面図であり、図４（ｂ）は、図４（ａ）の概略的平面図であり、図４（ｃ）は、図４（ｂ）の一部の概略的一部断面図である。
【図５】図５は、図２の概略的一部斜視図である。
【図６】図６は、図５を背面側から見た概略的背面図である。
【図７】図７（ａ）は、図１の突出部材、支持部材、当接部材との関係を示す概略的側面図であり、図７（ｂ）は、図７（ａ）と異なる他の実施例の概略的側面図である。
【図８】図８は、図７（ｂ）と異なる他の実施例の概略的側面図である。
【図９】図９は、図８と異なる他の実施例の概略的側面図である。
【図１０】図１０は、図９と異なる他の実施例の当接部材の回動手段を示す概略的斜視図である。
【図１１】図１１は、図１０と異なる他の実施例の当接部材の回動手段を示す概略的斜視図である。
【図１２】図１２は、図１の医療用診療椅子（例えば、歯科医療用診療椅子）の要部と異なる他の実施例の医療用診療椅子（例えば、歯科医療用診療椅子）の要部を示す概略的斜視図である。
【図１３】図１３は、図１２の当接部材の移動前後の状態を示す概略的平面図である。
【図１４】図１４は、図１２の医療用診療椅子（例えば、歯科医療用診療椅子）の要部と異なる他の実施例の医療用診療椅子（例えば、歯科医療用診療椅子）の要部の装着状態を説明するための概略的斜視図である。
【図１５】図１５（ａ）は、図１４のシート状部材を背もたれに取り付けた状態の概略的斜視図であり、 図１５（ｂ）は、図１５（ａ）の符号ｂの部位を拡大して示す概略的一部拡大斜視図である。
【図１６】図１６は、図１４の医療用診療椅子（例えば、歯科医療用診療椅子）の要部と異なる他の実施例の医療用診療椅子（例えば、歯科医療用診療椅子）の要部を示す概略的側面図である。
【図１７】図１７は、図１６の医療用診療椅子（例えば、歯科医療用診療椅子）の要部と異なる他の実施例の医療用診療椅子（例えば、歯科医療用診療椅子）の要部を示す概略的側面図である。
【図１８】図１８は、図１７の医療用診療椅子（例えば、歯科医療用診療椅子）の要部と異なる他の実施例の医療用診療椅子（例えば、歯科医療用診療椅子）の要部を示す概略的斜視図である。
【図１９】図１９は、図１８の医療用診療椅子（例えば、歯科医療用診療椅子）の要部と異なる他の実施例の医療用診療椅子（例えば、歯科医療用診療椅子）の要部を示す概略的斜視図である。
【図２０】図２０は、図１９の医療用診療椅子（例えば、歯科医療用診療椅子）の要部と異なる他の実施例の医療用診療椅子（例えば、歯科医療用診療椅子）の要部を示す概略的斜視図である。
【図２１】図２１は、図２０の医療用診療椅子（例えば、歯科医療用診療椅子）の要部と異なる他の実施例の医療用診療椅子（例えば、歯科医療用診療椅子）の要部を示す概略的斜視図である。
【図２２】図２２（ａ）は、図２１の医療用診療椅子（例えば、歯科医療用診療椅子）の使用形態を示す概略的平面図であり、図２２（ｂ）は、図２２（ａ）と異なる使用位置を示す概略的平面図である。
【図２３】図２３は、図２１の第１、第２の突出部材の回動状態を示す概略的平面図である。
【図２４】図２４（ａ）は、図２１の第１の突出部材（又は、第２の突出部材）の回動状態を示す概略的断面図であり、図２４（ｂ）は、図２１の第１の突出部材（又は、第２の突出部材）が保持された状態を示す概略的断面図である。
【図２５】図２５（ａ）は、図２１の医療用診療椅子（例えば、歯科医療用診療椅子）の要部と異なる他の実施例の医療用診療椅子（例えば、歯科医療用診療椅子）の要部の使用形態を示す概略的平面図であり、図２５（ｂ）は、図２５（ａ）の医療用診療椅子（例えば、歯科医療用診療椅子）の要部を示す概略的斜視図である。
【図２６】図２６（ａ）は、図２５（ａ）の医療用診療椅子（例えば、歯科医療用診療椅子）の要部と異なる使用形態を示す概略的平面図であり、図２６（ｂ）は、図２６（ａ）の医療用診療椅子（例えば、歯科医療用診療椅子）の要部を示す概略的斜視図である。
【図２７】図２７は、図２１の医療用診療椅子（例えば、歯科医療用診療椅子）の要部と異なる他の実施例の使用形態を示す概略的斜視図である。
【図２８】図２８は、図２７の医療用診療椅子（例えば、歯科医療用診療椅子）の要部を分解し示す概略的分解斜視図である。
【図２９】図２９（ａ）は、図２７の医療用診療椅子（例えば、歯科医療用診療椅子）の背もたれを略水平状態に倒して示す概略的側面図であり、図２９（ｂ）は、図２９（ａ）の要部を２５°時計回りに回動した状態を示す概略的側面図である。
【図３０】図３０は、図２７の概略的断面図である。
【図３１】図３１は、図２８の医療用診療椅子（例えば、歯科医療用診療椅子）の要部と異なる他の実施例の医療用診療椅子（例えば、歯科医療用診療椅子）の要部を分解して示す概略的分解斜視図である。
【図３２】図３２（ａ）は、図３１の医療用診療椅子（例えば、歯科医療用診療椅子）の第１の突出部材の概略的平面図であり、図３２（ａ’）は、図３２（ａ）の概略的断面図であり、図３２（ｂ）は、図３２（ａ）の第１の突出部材を反時計回りに回動した状態の概略的平面図であり、図３２（ｂ’）は、図３２（ｂ）の概略的断面図であり、図３２（ｃ）は、図３２（ｂ）の第１の突出部材を反時計回りに回動した状態の概略的平面図であり、図３２（ｃ’）は、図３２（ｃ）の概略的断面図である。
【図３３】図３３は、図２８の医療用診療椅子（例えば、歯科医療用診療椅子）の要部と異なる他の実施例の使用形態を示す概略的分解斜視図である。
【図３４】図３４は、図３３の医療用診療椅子（例えば、歯科医療用診療椅子）の要部と異なる他の実施例の使用形態を示す概略的斜視図である。
【図３５】図３５（ａ）は、図３４の医療用診療椅子（例えば、歯科医療用診療椅子）の要部と異なる他の実施例の使用形態を示す概略的斜視図であり、図３５（ｂ）は、図３５（ａ）の概略的断面図であり、図３５（ｃ）は、図３５（ｂ）の概略的断面図である。
【図３６】図３６は、図３５（ａ）の医療用診療椅子（例えば、歯科医療用診療椅子）の要部と異なる他の実施例の使用形態を示す概略的斜視図であり、図３６（ｂ）は、図３６（ａ）の概略的正面図である。
【図３７】図３７は、図３６（ａ）の医療用診療椅子（例えば、歯科医療用診療椅子）の要部と異なる他の実施例の使用形態を示す概略的斜視図である。
【図３８】図３８は、図３７の医療用診療椅子（例えば、歯科医療用診療椅子）の要部と異なる他の実施例の使用形態を示す概略的斜視図である。
【図３９】図３９は、図３８の医療用診療椅子（例えば、歯科医療用診療椅子）の要部と異なる他の実施例の使用形態を示す概略的斜視図である。
【発明を実施するための形態】
【００６０】
本発明の一実施例の医療用診療椅子（例えば、歯科医療用診療椅子）を図１乃至図３を参照して説明する。
本発明の医療用診療椅子は、歯科医、歯科衛生士等に限らず、耳鼻咽喉科医、眼科医等が安定して治療行為等を行う医療用診療椅子に適用できるものであるが、以下の実施例においては、その一例として、歯科医療用診療椅子を例に挙げて説明する。
図１乃至図３において、Ｃは医療用診療椅子で、医療用診療椅子Ｃは、概略的に、座１と、回動自在な背もたれ２と、この背もたれ２に設けられたヘッドレスト３とを有する。
ヘッドレスト３は、例えば、背もたれ２から突出して設けられている。
歯科治療時等の作業においては、患者は医療用診療椅子Ｃに腰掛け、頭部をヘッドレスト３に当接して治療等の作業を受けることとなる。
そして、治療中、歯科医等は医療用診療椅子Ｃの座１を上下動、背もたれ２を傾斜動（図３参照）等して、患者を治療しやすい姿勢にして治療を行うものである。
【００６１】
図１に示す４は突出部材（第１の突出部材）で、突出部材（第１の突出部材）４は、図５及び図６に示すように、背もたれ２の外方に突出するよう、具体的には、背もたれ２の側面より背もたれ２の外方に突出するように設けられている。
なお、突出部材（第１の突出部材）４は、本実施例の図６において、例えば、側面の内、ヘッドレスト３に近い側の面である背もたれ２の頂面より背もたれ２の外方に突出するように設けられている。
【００６２】
突出部材４、４’は突出部材４、４’の長手方向に対して伸縮すると共に、この伸縮した状態を突出部保持手段４１、４１’で保持するようにしている。
即ち、突出部材（第１の突出部材）４は、長手方向に長い形状部材であり、長手方向に伸縮自在に構成され、突出部材（第１の突出部材）４は長手方向に対して伸縮すると共に、この伸縮した状態の突出部材（第１の突出部材）４を、突出部保持手段、例えば、第１の突出部保持手段４１により保持するようにしている。  
また、図２及び図４に示す４Ａは突出部材４を受け入れる突出基部（第１の突出基部）で、突出部材４の長さ調整は、例えば、突出基部４Ａへの突出部材４の挿入長さで調整され、所定長さに調整した後、第１の突出部保持手段４１、例えば、レバー（第１のレバー）４１１によるカム（第１のカム）４１２を、例えば、突出部材４の外表面に当接して、突出部材４と突出基部４Ａとの長さ調整を行うようにしている。
【００６３】
また、４’は突出部材（第２の突出部材）で、突出部材４’は、突出部材４と同様に、背もたれ２の側面より背もたれ２の外方に突出するように設けられている。
なお、突出部材（第２の突出部材）４’は、本実施例の図６において、例えば、側面の内、ヘッドレスト３に近い側の面である背もたれ２の頂面より背もたれ２の外方に突出するように設けられている。
突出部材（第２の突出部材）４’は、突出部材（第１の突出部材）４と同様に、長手方向に長い形状部材であり、長手方向に伸縮自在に構成され、突出部材（第２の突出部材）４’は長手方向に対して伸縮すると共に、この伸縮した状態の突出部材（第２の突出部材）４’を、突出部保持手段、例えば、第２の突出部保持手段４１’により保持するようにしている。  
また、図２に示す４’Ａは突出部材４’を受け入れる突出基部（第２の突出基部）で、突出部材４’の長さ調整は、突出基部４’Ａへの突出部材４’の挿入長さで調整され、所定長さに調整した後、第２の突出部保持手段４１’、例えば、レバー（第２のレバー）４１１’によるカム［第２のカムは、図示しないが、カム（第１のカム）４１２と同様なものである。］を、例えば、突出部材４’の外表面に当接して、突出部材４’と突出基部４’Ａとの長さ調整を行うようにしている。
なお、 上述した実施例においては、第１の突出部保持手段４１、第２の突出部保持手段４１’の例として、第１の突出部材４、第２の突出部材４’の表面にカムを当接させて第１の突出部材４、第２の突出部材４’の動きを規制して保持するようにしたが、本願発明にあっては、これに限らず、例えば、第１の突出部材４、第２の突出部材４’の動きを、図示しない油圧、空気圧、電動モータ等を用いて制御するようにしても良い。
また、第１の突出部材４、第２の突出部材４’の長手方向を横断する断面形状は、問わないが、例えば、円、四角形等の多角形である。
【００６４】
また、支持部材６、６’は支持部材６、６’の長手方向に対して伸縮すると共に、この伸縮した状態を支持部保持手段７１、７１’ で保持するようにしている。
即ち、図１に示す５は当接部材（第１の当接部材）で、当接部材５は手又は腕が当接する部位で、具体的には、歯科医（又は歯科衛生士）の作業者の手又は腕が当接し、歯科医（又は歯科衛生士）の作業者の手又は腕が支持されるものである。
６は、当接部材（第１の当接部材）５を支える支持部材（第１の支持部材）である。
そして、支持部材（第１の支持部材）６と突出部材（第１の突出部材）４とは接続され、図示しないが、支持部材（第１の支持部材）６と突出部材（第１の突出部材）４とは一体的に接続されていても良いが、本実施例では、例えば、突出部材４に接続された受け部７、具体的には、エルボ（第１のエルボ  Ｌ字形状の接続継手管）７を介して支持部材６と突出部材４とが接続されている。
つまり、図１記載の座（図示せず）と、回動自在な背もたれ２と、この背もたれ２から突出して設けられたヘッドレスト３とを有する医療用診療椅子Ｃであって、背もたれ２（又はヘッドレスト３）の外方に突出するように設けられた突出部材４、４’と、作業者の手又は腕が当接する当接部材５、５’と、  この当接部材５、５’を支える支持部材６、６’とを備え、支持部材６、６’と突出部材４、４’が接続され、支持部材６、６’は、突出部材４、４’に接続された受け部７、７’に支持され、支持部材６、６’の長手方向の軸線に対して直角方向に回動又は回転自在に受け部７、７’に支持されている。
そして、支持部材６は、垂直方向に伸縮自在に構成され、支持部材（第１の支持部材）６は支持部材（第１の支持部材）６の長手方向に対して伸縮すると共に、この伸縮した状態を、支持部保持手段、例えば、第１の支持部保持手段７１により保持するようにしている。  
支持部材（第１の支持部材）６の長さ調整は、第１の支持部保持手段７１、例えば、エルボ７への支持部材６の挿入長さで調整され、調整後、レバー７１１によるカム[図示しないが、図４（ｃ）に示すカムと同様］を支持部材６の外表面に当接して行うようにしている。
【００６５】
５’は当接部材（第２の当接部材）で、当接部材５’は当接部材５と同様、手又は腕が当接する部位で、具体的には、歯科医（又は歯科衛生士）の作業者の手又は腕が当接し、歯科医（又は歯科衛生士）の作業者の手又は腕が支持されるものである。
６’は、支持部材（第１の支持部材）６と同様、当接部材（第２の当接部材）５’を支える支持部材（第２の支持部材）である。
そして、支持部材（第２の支持部材）６’と突出部材（第２の突出部材）４’とは、一体的に接続されていても良いが、本実施例では、例えば、エルボ（第２のエルボ  Ｌ字形状の接続継手管）７’を介して支持部材６’と突出部材４’とが接続されている。
支持部材（第２の支持部材）６’は、支持部材６と同様、支持部材（第２の支持部材）６’は、垂直方向に伸縮自在に構成され、支持部材（第２の支持部材）６’は支持部材（第２の支持部材）６’の長手方向に対して伸縮すると共に、この伸縮した状態を、支持部保持手段、第２の支持部保持手段７１’により保持するようにしている。  
支持部材（第２の支持部材）６’の長さ調整は、第２の支持部保持手段７１’、例えば、エルボ７’への支持部材６’の挿入長さで調整され、調整後、レバー７１１’によるカム[図示しないが、図４（ｃ）に示すカムと同様］を支持部材６’の外表面に当接して行うようにしている。
当接部材５、５’は、例えば、作業者の手又は腕が当接できれば良く、望ましくは、ジェル、スポンジ、ウレタン、樹脂等の弾性部材で形成されているのが良い。
なお、 上述した実施例においては、第１の支持部保持手段７１、第２の支持部保持手段７１’の例として、第１の支持部材６、第２の支持部材６’の表面にカムを当接させて第１の支持部材６、第２の支持部材６’の動きを規制して保持するようにしたが、本願発明にあっては、これに限らず、例えば、第１の支持部材６、第２の支持部材６’の動きを、図示しない油圧、空気圧、電動モータ等を用いて制御するようにしても良い。
【００６６】
なお、突出部材４、４’は、長手方向に長い形状部材であり、図３に示すように、回動自在な背もたれ２を回動して、背もたれ２と座１が、水平面に略平行となったとき、突出部材４、４’の長手方向は、水平面に略平行であり、支持部材６、６’は、突出部材４、４’の長手方向に対して、略垂直方向に設けられている。
また、突出部材４、４’が背もたれ２の外方に突出するように設けられた場合、突出部材４、４’を、図１８に示すように、背もたれ２に回動自在に接続されるようにしても良い。
かかる場合、支持部材６、６’の長手方向と突出部材４、４’の長手方向とのなす角度は、略直角であり、前記回動方向は、支持部材６、６’の長手方向を横断する方向となる。
そして、突出部材４、４’は、背もたれ２に回動自在に接続されているため、歯科医等の治療行為等の作業の邪魔にならないように、突出部材４、４’、支持部材６、６’、当接部材５、５’等を退避させることができる。
【００６７】
また、上述の実施例の突出部材４、４’は、背もたれ２の外方に突出するように設けられたが（図１参照）、本願発明にあっては、これに限らず、突出部材４、４’を、例えば、後述する図１９、図２０〜図３８に示すように、ヘッドレスト３の外方に突出するように設けるようにしても良い。
【００６８】
従って、上述した医療用診療椅子Ｃによれば、突出部材４、４’を背もたれ２又はヘッドレスト３の外方に突出するように設けるという発想の元、例えば、図６に示すように、ヘッドレスト３近傍に突出部材４、４’、支持部材６、６’を設けることができる分、突出部材４、４’、支持部材６、６’の長さを短くでき、これら突出部材４、４’、支持部材６、６’、当接部材５、５’を患者の頭部の近くにコンパクトに効率良く設けることができ、また、当接部材５、５’に、例えば、歯科医（又は歯科衛生士）、耳鼻咽喉科医、眼科医等の手又は腕を支持させて治療行為等の作業を行うことができるため、支持させている分、例えば、歯科医（又は歯科衛生士）、耳鼻咽喉科医、眼科医等の作業者の手を安定させて治療行為等の作業を行うことができ、治療行為等の作業が均一化して治療行為等の作業の向上を図ると共に、例えば、歯科医（又は歯科衛生士）、耳鼻咽喉科医、眼科医等の治療行為等の作業の疲れをも軽減させることができる。また、治療行為等の作業が均一化して治療行為等の作業の向上が図れれば、治療行為等の作業を受ける患者にとって有益である。
また、歯科医等の作業者の腕を当接部材５、５’で支える結果、歯科医等の力が分散され、歯科医等の力の伝達が軽減されて患者へ伝わり、患者にとっての不快感をも軽減化される。
【００６９】
なお、特に、突出部材４、４’は、長手方向に長い形状部材であり、前記長手方向に伸縮自在に構成され、支持部材６、６’は、垂直方向に伸縮自在に構成されているため、患者の身長、口の位置等、歯科医（又は歯科衛生士）、耳鼻咽喉科医、眼科医等の身長、腕の長さ、歯科医（又は歯科衛生士）、耳鼻咽喉科医、眼科医等の治療位置等に応じて、突出部材４、４’、支持部材６、６’の長さを調整することができ、しかも、突出部材４、４’を背もたれ２より背もたれ２の外方に突出するように設けて、つまり、ヘッドレスト３近傍に設けているため、突出部材４、４’、支持部材６、６’の長さも長くならず、更に、当接部材５、５’を使用しないときは、例えば、図１乃至図１５、図１８、図１９記載の医療用診療椅子Ｃのように、歯科医の治療行為等の邪魔にならないように、突出部材４、４’、支持部材６、６’を縮めて対応することができる。
【００７０】
また、図１に示す座（図示せず）と、回動自在な背もたれ２と、この背もたれ２から突出して設けられたヘッドレスト３とを有する医療用診療椅子Ｃにあっては、背もたれ２を倒して行う歯科治療等の作業時、当接部材５、５’は、患者の口唇より、垂直方向において、下方に位置している。
これは、歯科医（又は歯科衛生士）等は、手又は腕を当接部材５、５’に支持させ、例えば、腕をＶ字、Ｌ字状等にして歯科医（又は歯科衛生士）等の作業者の手を患者の口唇に向かわせて安定して治療行為等の作業を行うことができ、治療等の作業を向上させると共に、歯科医の治療行為等の作業の疲れをも軽減させることができるからである。
なお、背もたれ２を倒して行う治療等の作業時、当接部材５、５’は、患者の口唇より、垂直方向において、下方に位置している点は、図１に示す医療用診療椅子Ｃに限らず、図示しないが、例えば、後述する図１２に示す医療用診療椅子Ｃ、図１５に示す医療用診療椅子Ｃ、図１８に示す医療用診療椅子Ｃ、図１９に示す医療用診療椅子Ｃ、図２０に示す医療用診療椅子Ｃ、図２１に示す医療用診療椅子Ｃ、図２５に示す医療用診療椅子Ｃ、図２７に示す医療用診療椅子Ｃ、図３１に示す医療用診療椅子Ｃ、図３３に示す医療用診療椅子Ｃ、図３４に示す医療用診療椅子Ｃ、図３５に示す医療用診療椅子Ｃ、図３６に示す医療用診療椅子Ｃ、図３７に示す医療用診療椅子Ｃ、図３８に示す医療用診療椅子Ｃにも同様に、適用することができる。
背もたれ２を倒して行う治療時、当接部材５、５’は、患者の口唇より、垂直方向において、下方に位置している点については、突出部材（回動部材）４がヘッドレスト３の外方に突出するように設けられた場合も突出部材（回動部材）４が背もたれ２の外方に突出するように設けられた場合と同様である。また、例えば、後述する図３６記載の支持部材６を省略して、ヘッドレスト３（又は背もたれ）の外方に突出するように設けられた突出部材（又は回動部材）４と、作業者の手又は腕が当接する当接部材５とを備えた場合、突出部材（又は回動部材）４の支持部で当接部材５を支持することとなる。例えば、突出部材（又は回動部材）４をヘッドレストに設けた場合、前記支持部は、前記ヘッドレストから遠い側の端部であり、突出部材を背もたれに設けた場合、前記支持部は、前記背もたれから遠い側の端部となる。
【００７１】
当接部材５、５’は、上方に向かって登り勾配に傾斜するように支持部材６、６’に取り付けられている、より望ましくは、図１に示す座（図示せず）と、回動自在な背もたれ２と、この背もたれ２から突出して設けられたヘッドレスト３とを有する医療用診療椅子Ｃにあっては、背もたれ２を倒して行う歯科治療等の作業時、患者の口唇より、垂直方向において、下方に位置すると共に、上方に向かって登り勾配に傾斜するように支持部材６、６’に取り付けられていると、歯科医（又は歯科衛生士）の手を患者の口唇に向かわせてより安定して治療行為等の作業を行うことができ、治療等の作業を向上させると共に、歯科医の治療行為等の作業の疲れをも軽減させることができる。
なお、当接部材５、５’は、上方に向かって登り勾配に傾斜するように支持部材６、６’に取り付けられている、より望ましくは、図１に示すように、背もたれ２を倒して行う歯科治療等の作業時、患者の口唇より、垂直方向において、下方に位置すると共に、上方に向かって登り勾配に傾斜するように支持部材６、６’に取り付けられている点は、図１に示す医療用診療椅子Ｃに限らず、図示しないが、例えば、後述する図１２に示す医療用診療椅子Ｃ、図１５に示す医療用診療椅子Ｃ、図１８に示す医療用診療椅子Ｃ、図１９に示す医療用診療椅子Ｃ、図２０に示す医療用診療椅子Ｃ、図２１に示す医療用診療椅子Ｃ、図２５に示す医療用診療椅子Ｃ、図２７に示す医療用診療椅子Ｃ、図３１に示す医療用診療椅子Ｃ、図３３に示す医療用診療椅子Ｃ、図３４に示す医療用診療椅子Ｃ、図３５に示す医療用診療椅子Ｃ、図３６に示す医療用診療椅子Ｃ、図３７に示す医療用診療椅子Ｃ、図３８に示す医療用診療椅子Ｃにも同様に、適用することができる。
【００７２】
なお、当接部材５、５’を上方に向かって登り勾配に傾斜するように支持部材６、６’に取り付けたが（図１、図７、図８）、当接部材５、５’は、背もたれ２を倒して行う歯科治療等の作業時、患者の口唇より、垂直方向において、下方に位置すると共に、上方に向かって登り勾配に傾斜する傾斜部５１（図１、図７、図８）を設けるようにしても良いし、また、図９に示すように、アール形状部５２を有するようにしても良い。
なお、図７、図８記載の傾斜部５１（５１’）、図９記載のアール形状部５２（５２’）を図１記載の当接部材５（５’）に置き換えることもできる。
この場合、アール形状部５２（５２’）の当接部材５（５’）は、背もたれ２を倒して行う歯科治療等の作業時、患者の口唇より、垂直方向において、下方に位置すると共に、上方に向かって登り勾配に傾斜する傾斜部又はアール形状部を有することとなる。
また、上方に向かって登り勾配に傾斜する傾斜部５１（図１、図７、図８）を設けるようにした点、図９に示すように、アール形状部５２を有するようにした点は、図１、図７、図８に限らず、図示しないが、例えば、後述する図１２に示す医療用診療椅子Ｃ記載の当接部材、図１５に示す医療用診療椅子Ｃ記載の当接部材、図１８に示す医療用診療椅子Ｃ記載の当接部材、図１９に示す医療用診療椅子Ｃ記載の当接部材、図２０に示す医療用診療椅子Ｃ記載の当接部材、図２１に示す医療用診療椅子Ｃ記載の当接部材、図２５に示す医療用診療椅子Ｃ記載の当接部材、図２７に示す医療用診療椅子Ｃ記載の当接部材、図３３に示す医療用診療椅子Ｃ記載の当接部材、図３４に示す医療用診療椅子Ｃ記載の当接部材、図３５に示す医療用診療椅子Ｃ記載の当接部材、図３６に示す医療用診療椅子Ｃ記載の当接部材、図３７に示す医療用診療椅子Ｃ記載の当接部材、図３８に示す医療用診療椅子Ｃ記載の当接部材にも同様に、適用することができる。
【００７３】
そして、当接部材５、５’の作業者の手、腕の当接面は、図７（ａ）に示すように、支持部材６、６’の長手方向の軸線に対して傾斜しており、支持部材６、６’は、例えば、突出部材４、４’に接続された受け部（例えば、Ｌ字形状の接続継手管７、７’の垂直部）に支持され、当接部材５、５’は、例えば、支持部材６、６’の長手方向の前記軸線に対して直角方向に回動又は回転自在に受け部（例えば、Ｌ字形状の接続継手管７、７’の垂直部）に支持されている。
そのため、歯科医等は支持部材６、６’を回動又は回転させて傾斜した当接部材５、５’の最適の部位を選定して、治療行為等の作業を行うことができる。
また、当接部材５、５’の中心と支持部材６、６’の中心とを一致させた場合、当接部材５、５’を支持部材６、６’に対して回動しても、患者との距離は一定であるが、図７（ｂ）に示すように、当接部材５（５’）の中心と支持部材６、６’の中心とを不一致させた場合、当接部材５、５’を支持部材６、６’に対して回動すると、患者との距離を可変とすることができる。そのため、歯科医等は当接部材５、５’を支持部材６、６’に対して回動させると、患者との距離が可変となり、この可変の適宜の位置を利用して、患者との最適な距離を選択して、治療等の作業を行うことができる。
【００７４】
また、当接部材（第１の当接部材５、第２の当接部材５’）５、５’は、図１０及び図１１に示すように、第１、第２の当接部保持手段５０、５０’により、支持部材（第１の支持部材６、第２の支持部材６’）６、６’に対して所定角度回動させると共に、この所定角度回動した状態を保持するようにしている。
第１の当接部保持手段５０は、例えば、第１の支持部材６の先端部に設けた貫通孔６１ａと第１の当接部材５の下方に設けた貫通孔５１ａを合わせ、これら貫通孔５１ａ、貫通孔６１ａにネジ８を通し、ネジ８にナット９を螺合させ、螺合させた後、第１の当接部材５を所定角度に調整した後、ネジ８をナット９に向かって締め付けて行うものである。
第２の当接部保持手段５０’は、 第１の当接部保持手段５０と同様、例えば、第２の支持部材６’の先端部に設けた貫通孔６１’ａと第２の当接部材５’の下方に設けた貫通孔５１’ａを合わせ、これら貫通孔５１’ａ、貫通孔６１’ａ、にネジ８’を通し、ネジ８’にナット９’を螺合させ、螺合させた後、第２の当接部材５’を所定角度に調整した後、ネジ８’をナット９’に向かって締め付けて行うものである。
その結果、歯科医等は第１、第２の当接部材５、５’を最適の位置に設定して、治療行為等の作業を行うことができることとなる。
なお、図１０及び図１１においては、第１、第２の当接部保持手段５０、５０’を第１、第２の当接部材５、５’の下部と第１、第２の支持部材６、６’の先端部に設けたが、図示しないが、第１、第２の支持部材６、６’の中途に設けても、同様な、作用効果を有する。
即ち、第１の支持部材を中途において所定角度回動させると共に、この所定角度回動した状態を保持する第１の支持部保持手段と、第２の支持部材を中途において所定角度回動させると共に、この所定角度回動した状態を保持する第２の支持部保持手段とを備えているため、歯科医等は第１、第２の当接部材を最適の位置に設定して、治療行為等の作業を行うことができる。
【００７５】
また、上述した当接部材５、５’の形状は、平面視、円であったが、本願発明にあっては、これに限らず、例えば、図１２、図１３記載のように、突出部材４が背もたれ２の外方に突出する場合にあって、当接部材５は、突出部材４の長手方向に長い長手形状部材でも良い。
そして、図１３に示すように、背もたれ２を倒して行う歯科治療等の作業時、平面視、当接部材５の下に患者の肩が位置するように、レバー（第１のレバー）４１１を緩めて、露出している突出部材４の長さが短くなるように突出基部４Ａ内へ移動させ、図１２記載の当接部材５を図１３記載の当接部材５の位置へと移動させる［図１２及び図１３記載の実線で描いた当接部材５を図１２及び図１３記載の二点鎖線で描いた当接部材５へと移動させる。］。
その結果、歯科医等の作業者は長手方向に長い当接部材５の最適の部位を選定して、治療行為等の作業を行うことができる。
なお、図１２、図１３の当接部材５は、患者の右肩の上に位置しているが、図示を省略しているが、患者の左肩の上にも図１２、図１３記載と同様な当接部材を位置させることができる。図１２、図１３における実施例においては、上記の実施例と同一部分に同一符号を付して、説明の一部を省略している。
なお、背もたれ２を倒して行う歯科治療等の作業時、平面視、当接部材５の下に患者の肩が位置する点は、図１３記載に限らず、図示しないが、例えば、後述する図１５に示す医療用診療椅子Ｃ、図１８に示す医療用診療椅子Ｃ、図２０に示す医療用診療椅子Ｃ、図２１に示す医療用診療椅子Ｃ、図２５に示す医療用診療椅子Ｃ、図２７に示す医療用診療椅子Ｃ、図３１に示す医療用診療椅子Ｃ、図３３に示す医療用診療椅子Ｃ、図３４に示す医療用診療椅子Ｃ、図３５に示す医療用診療椅子Ｃ、図３６に示す医療用診療椅子Ｃ、図３７に示す医療用診療椅子Ｃ、図３８に示す医療用診療椅子Ｃにも同様に、適用することができる。
【００７６】
突出部材４は、図１２及び図１３に示すように、背もたれ２の側面、例えば、頂面（側面の内、ヘッドレスト３に近い側の面）より背もたれ２の外方に突出するように設けられているが、突出部材４、４’を医療用診療椅子Ｃに直接設けず、図１４、図１５（ａ）、図１５（ｂ）に示すように、背もたれ２の表面側から背もたれ２の外方に突出するように設けられたもの、つまり、突出部材４、４’をシート状部材１０の裏面に溶接等に固着して、突出部材４、４’を背もたれ２の外方に突出するように設けても良い。
即ち、図１４に矢印で示すように、部材４０、４０’を溶接等に固着したシート状部材１０を背もたれ２の表面側に当接し、シート状部材１０の上にカバー部材１０’を載せ、カバー部材１０’をバンドＢＡ（図１４及び図１５参照）等により背もたれ２に固定するようにする。
部材４０、４０’には、突出部材４、４’が挿入される突出基部４Ａ、４’Ａが接続されている。
なお、図１４、図１５における実施例においては、上記の実施例と同一部分に同一符号を付して、説明の一部を省略している。
【００７７】
また、上述の実施例の突出部材４、４’は、突出部材４、４’を、図１４、図１５に示すように、背もたれ２の外方に突出するように設けるようにしたが、
本願発明にあっては、これに限らず、図１６及び図１７に示すように、背もたれ２自身に上述した突出部材４、４’の機能を持たせるように、背もたれ２の先端部を延長する延長部位２Ｅを設けるようにして、当接部材５を延長部位２Ｅに設けて（図１６）も良いし、また、背もたれ２の先端部を延長する延長部位２Ｅを高く設けて、高い位置に当接部材５を設ける（図１７）ようにしても良い。
【００７８】
また、突出部材（回動部材）４、４’は、例えば、図１８に示すように、背もたれ２の裏面に取り付けられた部材１００、１００’に回動自在に取り付け、突出部材４、４’を背もたれ２の外方に突出するように設けても良い。
突出部材（回動部材）４、４’は、図１８記載のように、背もたれ２の裏面側から背もたれ２の外方に突出するように設けられているが、本願発明にあっては、これに限らず、後述する図２１、図３７、図３８記載のようにヘッドレスト３の内部からヘッドレスト３の外方に突出するように設けられても良く、また、後述する図２７、図３４、図３５、図３６記載のように、ヘッドレスト３の側面に取り付けられ、ヘッドレスト３の外方に突出するように設けられても良く、また、背もたれ２の内部から背もたれ２の外方に突出するように設けられても良く（図１等）、また、図示しないが、背もたれの頂面に取り付けられ、背もたれの外方に突出するように設けられても良く、また、ヘッドレスト３の裏面側からヘッドレスト３の外方に突出するように設けられるようにしても良い（図１８）。
図１８においては、突出部材（回動部材）４、４’は、背もたれ２に対して回動自在に接続されている。当接部材５、５’を使用しないときは、歯科医の治療行為等の作業に邪魔にならないよう、突出部材（回動部材）４、４’を回動して突出部材（回動部材）４、４’の位置を変更させると共に、支持部材６、６’を縮めて対応することができる。
なお、突出部材（回動部材）４は、背もたれ２にボルトＶ２、Ｖ３で固定された部材１００にボルトＶ１、ナットＮ１で回動自在に取り付けられている。ボルトＶ１、ナットＮ１は、突出部材（回動部材）４を保持する突出部保持手段（回動部保持手段）で、ボルトＶ１、ナットＮ１の締め付けにより、突出部材（回動部材）４を保持することができる。
突出部材（回動部材）４’は、突出部材（回動部材）４と同様に、背もたれ２にボルト（図示せず）で固定された部材１００’にボルトＶ１’、ナット（図示せず）で回動自在に取り付けられている。
また、図１８においては、部材１００、１００’を背もたれ２の裏面に取り付けたが、図示しないが、部材１００、１００’を背もたれ２の内部に取り付けるようにしても良い。
なお、図１８に示す医療用診療椅子Ｃは、上述の実施例と同様に、座（図示せず）と、回動自在な背もたれ２と、この背もたれ２に設けられたヘッドレスト３とを有するものであって、背もたれ２に設けられた回動部材４、４’と、作業者の手又は腕が当接する当接部材５、５’と、この当接部材５、５’を支える支持部材６、６’とを備え、支持部材６、６’と回動部材４、４’とが接続されている。
また、図１８に示す医療用診療椅子Ｃの回動部材４、４’の一端は、背もたれ２の外に設けたが、回動部材４、４’の一端を図示しないが、背もたれ２の内部に回動自在に設けるようにしても良い。
また、突出部材（回動部材）４と支持部材６を別個の部材で形成したが、これに限らず、図示しないが、突出部材（回動部材）４と支持部材６を一体に形成しても良い。この場合、例えば、回動部材４の背もたれ２から遠い側の端部で当接部材５を支持することとなる（回動部材４’と支持部材６’を別個の部材で形成したが、回動部材４’と支持部材６’を一体に形成しても良い。この場合、例えば、回動部材４’の背もたれ２から遠い側の端部で当接部材５’を支持することとなる。）。
また、突出部材（回動部材）４と、当接部材５と支持部材６を別個の部材で形成したが、これに限らず、図示しないが、突出部材（回動部材）４と当接部材５と支持部材６を一体に形成しても良い。
また、当接部材５と支持部材６を別個の部材で形成したが、これに限らず、図示しないが、当接部材５と支持部材６を一体に形成しても良い。
なお、突出部材（回動部材）４と支持部材６を一体に形成した場合、突出部材（回動部材）４と当接部材５と支持部材６を一体に形成した場合、当接部材５と支持部材６を一体に形成した場合、例えば、図１記載の医療用診療椅子Ｃ、図１２記載の医療用診療椅子Ｃ、図１４記載の医療用診療椅子Ｃ、図１８記載の医療用診療椅子Ｃ、図１９記載の医療用診療椅子Ｃ、図２０記載の医療用診療椅子Ｃ、図２１記載の医療用診療椅子Ｃ、図２５記載の医療用診療椅子Ｃ、図２６記載の医療用診療椅子Ｃ、図２７記載の医療用診療椅子Ｃ、図２８記載の医療用診療椅子Ｃ、図３３記載の医療用診療椅子Ｃ、図３４記載の医療用診療椅子Ｃ、図３５記載の医療用診療椅子Ｃ、図３６記載の医療用診療椅子Ｃ、図３７記載の医療用診療椅子Ｃ、図３８記載の医療用診療椅子Ｃにも同様に適用することができる。
なお、突出部材（回動部材）と当接部材と支持部材を一体に形成した場合、
図示しないが、突出部材（回動部材）に作業者の手又は腕が当接する当接部が形成される。突出部材（回動部材）が背もたれ又はヘッドレスト（の外方に突出又突設するように）に回動自在に設けられた場合、上記の当接部は、端部の内、例えば、突出部材（回動部材）の背もたれ又はヘッドレストから遠い側の端部となる。
また、突出部材（回動部材）と支持部材を一体に形成した場合、図示しないが、作業者の手又は腕が当接する当接部材は別個に存在し、突出部材（回動部材）の支持部で前記当接部材を支持することとなる。突出部材（回動部材）の支持部は、例えば、突出部材（回動部材）を背もたれに設けた場合、背もたれから遠い側の端部、突出部材（回動部材）をヘッドレストに設けた場合、前記ヘッドレストから遠い側の端部で前記当接部材を支持することとなる。
また、図１８記載の座（図示せず）と、回動自在な背もたれ２と、この背もたれ２から突出して設けられたヘッドレスト３とを有する医療用診療椅子Ｃであって、背もたれ２（又はヘッドレスト３）の外方に突出するように設けられた回動部材４、４’と、作業者の手又は腕が当接する当接部材５、５’と、  この当接部材５、５’を支える支持部材６、６’とを備え、支持部材６、６’と回動部材４、４’が接続され、支持部材６、６’は、回動部材４、４’に接続された受け部７、７’に支持され、支持部材６、６’の長手方向の軸線に対して直角方向に回動又は回転自在に受け部７、７’に支持されている。
【００７９】
また、上述した実施例においては、突出部材（回動部材）４、４’を背もたれ２の外方に突出するように設けたが、本願発明にあっては、これに限らず、突出部材４、４’をヘッドレスト３の外方に突出するように設けても良い（図１９乃至図３９参照）。
そして、突出部材（回動部材）４、４’が突出部材（回動部材）４、４’の長手方向に対して伸縮すると共に、この伸縮した状態を保持する突出部保持手段（回動部保持手段）４１、４１’を備えている。
即ち、図１９に示す４は突出部材［（第１の突出部材）（第１の回動部材）］で、突出部材［（第１の突出部材）（第１の回動部材）］４は、ヘッドレスト３の外方に突出するように設けられている。
【００８０】
突出部材［（第１の突出部材）（第１の回動部材）］４は、長手方向に長い形状部材であり、長手方向に伸縮自在に構成され、突出部材［（第１の突出部材）（第１の回動部材）］４は長手方向に対して伸縮すると共に、この伸縮した状態の突出部材［（第１の突出部材）（第１の回動部材）］４を、突出部保持手段、例えば、第１の突出部保持手段（第１の回動部保持手段）４１により保持するようにしている。  
また、図１９に示す４Ａは突出部材［（第１の突出部材）（第１の回動部材）］４を受け入れる突出基部（第１の突出基部）で、突出部材［（第１の突出部材）（第１の回動部材）］４の長さ調整は、突出基部４Ａへの突出部材［（第１の突出部材）（第１の回動部材）］４の挿入長さで調整され、所定長さに調整した後、第１の突出部保持手段（第１の回動部保持手段）４１、例えば、ネジ（第１のネジ）４１１の先端を突出部材［（第１の突出部材）（第１の回動部材）］４の外表面に当接して、突出部材［（第１の突出部材）（第１の回動部材）］４と突出基部４Ａとの長さ調整を行うようにしている。
【００８１】
また、４’は突出部材［（第２の突出部材）（第２の回動部材）］で、突出部材［（第２の突出部材）（第２の回動部材）］４’は、突出部材［（第１の突出部材）（第１の回動部材）］４と同様に、ヘッドレスト３の外方に突出するように設けられている。
突出部材［（第２の突出部材）（第２の回動部材）］４’は、突出部材［（第１の突出部材）（第１の回動部材）］４と同様に、長手方向に長い形状部材であり、長手方向に伸縮自在に構成され、突出部材［（第２の突出部材）（第２の回動部材）］４’は長手方向に対して伸縮すると共に、この伸縮した状態の突出部材［（第２の突出部材）（第２の回動部材）］４’を、突出部保持手段、例えば、第２の突出部保持手段（第２の回動部保持手段）４１’により保持するようにしている。  
また、図１９に示す４’Ａは突出部材［（第２の突出部材）（第２の回動部材）］４’を受け入れる突出基部（第２の突出基部）で、突出部材［（第２の突出部材）（第２の回動部材）］４’の長さ調整は、突出基部４’Ａへの突出部材［（第２の突出部材）（第２の回動部材）］４’の挿入長さで調整され、所定長さに調整した後、第２の突出部保持手段（第２の回動部保持手段）４１’、例えば、ネジ（第２のネジ）４１１’の先端を突出部材［（第２の突出部材）（第２の回動部材）］４’の外表面に当接して、突出部材［（第２の突出部材）（第２の回動部材）］４’と突出基部４'Ａとの長さ調整を行うようにしている。
なお、 上述した実施例においては、第１の突出部保持手段（第１の回動部保持手段）４１、第２の突出部保持手段（第２の回動部保持手段）４１’の例として、第１のネジ４１１の先端を第１の突出部材４の外表面に，第２のネジ４１１’の先端を第２の突出部材４’の外表面に、それぞれ当接させて、第１の突出部材（第１の回動部材）４、第２の突出部材（第２の回動部材）４’の動きをそれぞれ規制して保持するようにしたが、本願発明にあっては、これに限らず、例えば、第１の突出部材（第１の回動部材）４、第２の突出部材（第２の回動部材）４’の動きを、図示しない油圧、空気圧、電動モータ等を用いて制御するようにしても良い。
【００８２】
また、図１９に示す５は当接部材（第１の当接部材）で、当接部材５は作業者の手又は腕が当接する部位で、具体的には、歯科医（又は歯科衛生士）の作業者の手又は腕が当接し、歯科医（又は歯科衛生士）の作業者の手又は腕が支持されるものである。
また、支持部材（第１の支持部材、第２の支持部材）６、６’が支持部材（第１の支持部材、第２の支持部材）６、６’の長手方向に対して伸縮すると共に、この伸縮した状態を保持する支持部保持手段（第１の支持部保持手段、第２の支持部保持手段）７１、７１’を備えている。
即ち、６は、当接部材（第１の当接部材）５を支える支持部材（第１の支持部材）である。
そして、支持部材（第１の支持部材）６と突出部材（第１の突出部材）４とは、例えば、接続継手管７を介して接続されている。接続継手管７は突出部材４に、例えば、固着されている。
支持部材６は、垂直方向に伸縮自在に構成され、支持部材（第１の支持部材）６は支持部材（第１の支持部材）６の長手方向に対して伸縮すると共に、この伸縮した状態の支持部材（第１の支持部材）６を第１の支持部保持手段７１により保持するようにしている。  
支持部材（第１の支持部材）６の長さ調整は、第１の支持部保持手段７１、例えば、接続継手管７への支持部材６の挿入長さで調整され、調整後、レバー７１１によるカム[図示しないが、図４（ｃ）に示すカムと同様］を支持部材６の外表面に当接して行うようにしている。
【００８３】
５’は当接部材（第２の当接部材）で、当接部材５’は当接部材５と同様、作業者の手又は腕が当接する部位で、具体的には、歯科医（又は歯科衛生士）の作業者の手又は腕が当接し、歯科医（又は歯科衛生士）の作業者の手又は腕が支持されるものである。
６’は、支持部材（第１の支持部材）６と同様、当接部材（第２の当接部材）５’を支える支持部材（第２の支持部材）である。
そして、支持部材（第２の支持部材）６’と突出部材（第２の突出部材）４’とは、例えば、接続継手管７’を介して接続されている。接続継手管７’は突出部材４’に、例えば、固着されている。
支持部材（第２の支持部材）６’は、支持部材６と同様、支持部材（第２の支持部材）６’は、垂直方向に伸縮自在に構成され、支持部材（第２の支持部材）６’は支持部材（第２の支持部材）６’の長手方向に対して伸縮すると共に、この伸縮した状態を第２の支持部保持手段７１’により保持するようにしている。  
支持部材（第２の支持部材）６’の長さ調整は、第２の支持部保持手段７１’、例えば、接続継手管７’への支持部材６’の挿入長さで調整され、調整後、レバー７１１’によるカム[図示しないが、図４（ｃ）に示すカムと同様］を支持部材６’の外表面に当接して行うようにしている。
なお、 上述した実施例においては、第１の支持部保持手段７１、第２の支持部保持手段７１’の例として、第１の支持部材６、第２の支持部材６’の表面にカムを当接させて第１の支持部材６、第２の支持部材６’の動きを規制して保持するようにしたが、本願発明にあっては、これに限らず、例えば、第１の支持部材６、第２の支持部材６’の動きを、図示しない油圧、空気圧、電動モータ等を用いて制御するようにしても良い。
また、当接部材５、５’は、例えば、作業者の手又は腕が当接できれば良く、望ましくは、ジェル、スポンジ、ウレタン、樹脂等の弾性部材で形成されているのが良い。
【００８４】
なお、図１９においては、第１の突出部保持手段４１、第２の突出部保持手段４１’、第１の支持部保持手段７１、第２の支持部保持手段７１’をヘッドレスト３の外方に設けるようにしたが、図２０に示すように、省略することもできる。
即ち、図２０において、突出部材（第１の突出部材）４、突出部材（第２の突出部材）４’は、ヘッドレスト３の外方に突出するように設けられ、支持部材（第１の支持部材）６、支持部材（第２の支持部材）６’は、当接部材（第１の当接部材）５、当接部材（第２の当接部材）５’を支持している。
当接部材（第１の当接部材）５、当接部材（第２の当接部材）５’は、ヘッドレスト３の側面に沿う方向に長い長手形状となっているから、歯科医等の作業は長手方向に長い当接部材５、５’の最適の部位を選定して、治療行為等の作業を行うことができる。
【００８５】
次に、図２１乃至図２４を参照して、次の実施例を説明する。
即ち、図２１乃至図２３において、Ｃは医療用診療椅子（例えば、歯科医療用診療椅子）で、医療用診療椅子Ｃは、概略的に、座（図示しないが、座は、図２及び図３記載の座１と同様)と、回動自在な背もたれ２と、この背もたれ２から突出して設けられたヘッドレスト３とを有する。
図２１乃至図２４記載の医療用診療椅子Ｃにおいては、図１乃至図１１記載の実施例と同様、患者は医療用診療椅子Ｃに腰掛け、頭部をヘッドレスト３に当接して治療等を受けることとなる。
そして、治療中、歯科医等は医療用診療椅子Ｃの座１を上下動、背もたれ２を傾斜動等して、患者を治療しやすい姿勢にすると共に、歯科医等は、ヘッドレスト３の頂部中央の方向を時計の１２時にみたてれば、例えば、歯科医等の必要位置である１２時の位置［図２２（ａ）］、９時の位置［図２２（ｂ）］、３時の位置（図２３）で治療等の作業を行うものである。
なお、治療等の作業位置は、１２時の位置［図２２（ａ）］、９時の位置［図２２（ｂ）］、３時の位置（図２３）のみならず、適宜の位置で行うことができるもので、例えば、９時の位置［図２２（ｂ）］から１２時の位置［図２２（ａ）］、１２時の位置［図２２（ａ）］から３時の位置（図２３）の範囲の適宜の位置で治療等の作業を行うことができるものである（図２３）。
【００８６】
図２１乃至図２３に示す４は突出部材、例えば、第１の突出部材（回動部材、例えば、第１の回動部材）、図２２に示す４’は突出部材、例えば、第２の突出部材（回動部材、例えば、第２の回動部材）で、第１の突出部材（第１の回動部材）４、第２の突出部材（第２の回動部材）４’は、ヘッドレスト３の外方に突出すると共に、回動自在に設けられている。          
【００８７】
第１の突出部材（第１の回動部材）４は、長手方向に長い形状部材である。第１の突出部材（第１の回動部材）４は、図２２に示す支点４２を中心として回動するようになっていて、第１の突出部材（第１の回動部材）４の裏面には、図２４に示すように、被係止部（例えば、凹所）４４が設けられている。
つまり、支点４２である第１の突出部材（第１の回動部材）４の回動中心が、ヘッドレスト３及び背もたれ２を医療用診療椅子Ｃの設置面（例えば、図３記載の設置面Ｅ）に対して、平行にした場合において、平面視、ヘッドレスト３に当接した患者の口元近傍に位置している（図２２、図２３参照）。
ヘッドレスト３に当接した患者の口元近傍直下のヘッドレスト３の中に第１の突出部材（第１の回動部材）４及び第２の突出部材（第２の回動部材）４’の回動軸が位置している。
このように、第１の突出部材（第１の回動部材）４及び第２の突出部材（第２の回動部材）４’の回動中心が、ヘッドレスト３及び背もたれ２を医療用診療椅子Ｃの設置面Ｅに対して、略平行にした場合において、平面視、ヘッドレスト３に当接した患者の口元近傍に位置しているため、患者の口元近傍と第１の当接部材５との距離は、略一定となっている。
【００８８】
また、 第１の突出部材（第１の回動部材）４の回動位置は、回動保持手段、例えば、第１の回動保持手段Ｋ（図２４）により保持されるようになっている。
第１の回動保持手段Ｋは、例えば、図２４に示すように、ヘッドレスト３の内部にあって、被係止部（例えば、凹所）４４が対向する面の部位４３には、被係止部（例えば、凹所）４４に係止する弾性部材(例えば、バネ)４５に付勢された係止部４６が複数設けられ、第１の突出部材（第１の回動部材）４が回動した所定位置に達したとき、第１の突出部材（第１の回動部材）４の被係止部（例えば、凹所）４４に複数の係止部４６の内、何れか一つの係止部４６が係止して［図２４（ｂ）参照］、第１の突出部材（第１の回動部材）４の位置を保持するようにしている。そして、保持された位置から第１の突出部材（第１の回動部材）４を回動させると、係止部４６が弾性部材(例えば、バネ)４５に抗して後退し、保持状態が解除され［図２４（ａ）参照］、更に、第１の突出部材（第１の回動部材）４を回動させ、第１の突出部材（第１の回動部材）４が回動した所定位置に達したとき、第１の突出部材（第１の回動部材）４の被係止部（例えば、凹所）４４に係止部４６が係止して、第１の突出部材（第１の回動部材）４の位置を保持するようにしている。
このように、第１の突出部材（第１の回動部材）４の回動位置を第１の回動保持手段Ｋにより、保持されるため、不用意に背もたれ２が回動されても、第１の突出部材４の回動が防止され、患者が第１の突出部材（第１の回動部材）４、又は、第１の当接部材５、又は、第１の支持部材６により損傷を受けるのを防ぐことができる。
なお、本実施例においては、第１の突出部材（第１の回動部材）４の裏面に被係止部（例えば、凹所）４４、被係止部（例えば、凹所）４４が対向する面の部位４３に、被係止部（例えば、凹所）４４に係止する複数の係止部４６、を設けたが、本願発明の第１の回動保持手段Ｋは、これに限らず、逆に、第１の突出部材４の裏面に弾性部材(例えば、バネ)に付勢された１個の係止部、該係止部に対向する面に複数の被係止部（例えば、複数の凹所）を設けるようにしても良い。
【００８９】
また、第１の突出部材（第１の回動部材）４は、図２１に示すように、逆への字状に形成され、前記逆への字状の屈曲部４Ｚは、第１の突出部材（第１の回動部材）４の露出している端部４Ｘより第１の突出部材（第１の回動部材）４のヘッドレスト３内に位置している端部４Ｙに近い側に位置している。ヘッドレスト３の頂部中央の方向を時計の１２時にみたてれば、例えば、歯科医等の必要位置である１２時［図２２（ａ）］の位置、９時［図２２（ｂ）］の位置のみならず、１２時［図２２（ａ）］の位置から９時［図２２（ｂ）］の位置の範囲の適宜の位置で治療等の作業を行うことができるものである（図２３）。
また、第１の突出部材（第１の回動部材）４は、図２１に示すように、ヘッドレスト３より露出した中途に、例えば、段差Ｄ（段差Ｄは、場合により省略し，段差Ｄのない平坦面としても良い。）があり、ヘッドレスト３が医療用診療椅子Ｃの設置面（例えば、図３に示すＥ）に対して平行である場合、第１の接続継手管７２２が取り付けられた第１の突出部材４の部位４Ａ’は、ヘッドレスト３内の第１の突出部材（第１の回動部材）４の部位４Ｂより設置面（例えば、図３に示すＥ）に対して、低い位置にある。
そのため、段差Ｄ分、第１の支持部材６の伸縮の幅を広げることができる。
【００９０】
また、図２１に示す４Ｓ１は、第１の突出部材（第１の回動部材）４のヘッドレスト３の底部３Ｂ（ヘッドレスト３の患者の頭部が当接する当接面３Ａ、底部３Ｂ、頂部３Ｃ、１２時の位置にいる作業者から見て右に位置する右側面３Ｄ、１２時の位置にいる作業者から見て左に位置する左側面３Ｅ）からヘッドレスト３の頂部３Ｃに向かう方向（第１の突出部材４の外方先端４Ｘが背もたれ２から遠ざかる方向）への動きを規制する第１のストッパーで、第１のストッパー４Ｓ１は、図２１で言えば、第１の突出部材４の時計回りの動きを規制するもので、第１のストッパー４Ｓ１は、ヘッドレスト３に取り付けられている。
この第１のストッパー４Ｓ１により、例えば、支点４２、４２’が近接する第１の突出部材４と第２の突出部材４’とが接触しないように規制されることとなる。 
また、図２１に示す４Ｓ２は、第１の突出部材（第１の回動部材）４のヘッドレスト３の頂部３Ｃ（ヘッドレスト３の患者の頭部が当接する当接面３Ａ、底部３Ｂ、頂部３Ｃ、１２時の位置にいる作業者から見て右に位置する右側面３Ｄ、１２時の位置にいる作業者から見て左に位置する左側面３Ｅ）からヘッドレスト３の底部３Ｂに向かう方向（第１の突出部材４の外方先端４Ｘが背もたれに近づく方向）への動きを規制する第２のストッパーで、第２のストッパー４Ｓ２は、図２１で言えば、第１の突出部材（第１の回動部材）４の反時計回りの動きを規制するもので、第２のストッパー４Ｓ２は、ヘッドレスト３に取り付けられている。
この第２のストッパー４Ｓ２により、第１の突出部材（第１の回動部材）４、又は、第１の当接部材５又は、第１の支持部材６が患者の体の部位に接触しないように規制され、患者が損傷を受けるのを防止することができる。
【００９１】
４’は第２の突出部材（第２の回動部材）で、第２の突出部材４’は、第１の突出部材４と同様に、第２の突出部材（第２の回動部材）４’は、長手方向に長い形状部材である。第２の突出部材（第２の回動部材）４’は、図２２に示す支点４２’を中心として回動するようになっていて、第２の突出部材４’の裏面には、図２４に示すように、被係止部（例えば、凹所）４４’が設けられている。
つまり、支点４２’である第２の突出部材（第２の回動部材）４’の回動中心が、ヘッドレスト３及び背もたれ２を医療用診療椅子Ｃの設置面（例えば、図３記載の設置面Ｅ）に対して、平行にした場合において、平面視、ヘッドレスト３に当接した患者の口元近傍に位置している（図２２、図２３参照）。
ヘッドレスト３に当接した患者の口元近傍直下のヘッドレスト３の中に第２の突出部材（第２の回動部材）４’の回動軸が位置している。
このように、第２の突出部材（第２の回動部材）４’の回動中心が、ヘッドレスト３及び背もたれ２を医療用診療椅子Ｃの設置面Ｅ（図３）に対して、略平行にした場合において、平面視、ヘッドレスト３に当接した患者の口元近傍に位置しているため、患者の口元近傍と第１の当接部材５との距離は、略一定となっている。
【００９２】
また、 第２の突出部材（第２の回動部材）４’の回動位置は、回動保持手段、例えば、第２の回動保持手段Ｋ’により保持されるようになっている。
第２の回動保持手段Ｋ’は、例えば、図２４に示すように、ヘッドレスト３の内部にあって、被係止部（例えば、凹所）４４’が対向する面の部位４３’には、被係止部（例えば、凹所）４４’に係止する弾性部材(例えば、バネ)４５’に付勢された係止部４６’が複数設けられ、第２の突出部材（第２の回動部材）４’が回動した所定位置に達したとき、第２の突出部材（第２の回動部材）４’の被係止部（例えば、凹所）４４’に複数の係止部４６’の内、何れか一つの係止部４６’が係止して［図２４（ｂ）参照］、第２の突出部材４’の位置を保持するようにしている。そして、保持された位置から第２の突出部材（第２の回動部材）４’を回動させると、係止部４６’が弾性部材(例えば、バネ)４５’に抗して後退し、保持状態が解除され［図２４（ａ）参照］、更に、第２の突出部材（第２の回動部材）４’を回動させ、第２の突出部材４’が回動した所定位置に達したとき、第２の突出部材（第２の回動部材）４’の被係止部（例えば、凹所）４４’に係止部４６’が係止して、第２の突出部材（第２の回動部材）４’の位置を保持するようにしている。
このように、第２の突出部材（第２の回動部材）４’の回動位置を第２の回動保持手段Ｋ’により、保持されるため、不用意に背もたれ２が回動されても、第２の突出部材４’の回動が防止され、患者が第２の突出部材４’、又は、第２の当接部材５’、又は、第２の支持部材６’により損傷を受けるのを防ぐことができる。
なお、本実施例においては、第２の突出部材（第２の回動部材）４’の裏面に被係止部（例えば、凹所）４４’、被係止部（例えば、凹所）４４’が対向する面の部位４３’に、被係止部（例えば、凹所）４４’に係止する複数の係止部４６’、を設けたが、本願発明の第２の回動保持手段Ｋ’は、これに限らず、逆に、第２の突出部材４’の裏面に弾性部材(例えば、バネ)に付勢された１個の係止部、該係止部に対向する面に複数の被係止部（例えば、複数の凹所）を設けるようにしても良い。
【００９３】
また、第２の突出部材（第２の回動部材）４’は、図２２、図２３に示すように、への字状に形成され、前記への字状の屈曲部４’Ｚは、第２の突出部材４’の露出している端部（図示せず）より第２の突出部材（第２の回動部材）４’のヘッドレスト３内に位置している端部４’Ｙに近い側に位置している。
上述したように、第１の突出部材（第１の回動部材）４は、逆への字状に形成され、前記逆への字状の屈曲部は、第１の突出部材（第１の回動部材）４の露出している端部より第１の突出部材（第１の回動部材）４のヘッドレスト内に位置している端部に近い側に位置し、また、第２の突出部材（第２の回動部材）４’は、への字状に形成され、前記への字状の屈曲部は、第２の突出部材（第２の回動部材）４’の露出している端部より第２の突出部材（第２の回動部材）４’のヘッドレスト３内に位置している端部に近い側に位置しているため、第１、第２の突出部材（第１、第２の回動部材）４、４’の外方先端を背もたれに当接している患者により近づけることができ、歯科医等の作業し易い範囲を拡大して、適正な作業を行うことができる。
また、ヘッドレスト３の頂部３Ｃ中央の方向を時計の１２時にみたてれば、例えば、歯科医等の必要位置である１２時［図２２（ａ）］の位置、３時（図２３）の位置のみならず、１２時の位置から３時の位置の範囲の適宜の位置で治療等の作業を行うことができるものである（図２３）。
また、第２の突出部材（第２の回動部材）４’は、ヘッドレスト３より露出した中途に段差（図示しないが、図２１記載のＤと同様）があり、ヘッドレスト３が医療用診療椅子Ｃの設置面（例えば、図３に示すＥ）に対して平行である場合、第２の接続継手管７２２’が取り付けられた第２の突出部材（第２の回動部材）４’の部位は、ヘッドレスト３内の第２の突出部材（第２の回動部材）４’の部位より設置面（例えば、図３に示すＥ）に対して、低い位置にある。
そのため、段差Ｄ分、第２の支持部材６’の伸縮の幅を広げることができる。
【００９４】
また、図２２、図２３に示す４’Ｓ１は、第２の突出部材（第２の回動部材）４’のヘッドレスト３の底部３Ｂ（ヘッドレスト３の患者の頭部が当接する当接面３Ａ、底部３Ｂ、頂部３Ｃ、１２時の位置にいる作業者から見て右に位置する右側面３Ｄ、１２時の位置にいる作業者から見て左に位置する左側面３Ｅ）からヘッドレスト３の頂部３Ｃに向かう方向（第２の突出部材（第２の回動部材）４’の外方先端が背もたれ２から遠ざかる方向）への動きを規制する第１’のストッパーで、第１’のストッパー４’Ｓ１は、図２２で言えば、第２の突出部材（第２の回動部材）４’の反時計回りの動きを規制するもので、第１’のストッパー４’Ｓ１は、ヘッドレスト３に取り付けられている。
この第１’のストッパー４’Ｓ１により、例えば、支点４２、４２’が近接する第２の突出部材４’と第１の突出部材４とが接触しないように規制されることとなる。 
また、図２２に示す４’Ｓ２は、第２の突出部材（第２の回動部材）４’のヘッドレスト３の頂部３Ｃ（ヘッドレスト３の患者の頭部が当接する当接面３Ａ、底部３Ｂ、頂部３Ｃ、１２時の位置にいる作業者から見て右に位置する右側面３Ｄ、１２時の位置にいる作業者から見て左に位置する左側面３Ｅ）からヘッドレスト３の底部３Ｂに向かう方向（第２の突出部材４’の外方先端が背もたれに近づく方向）への動きを規制する第２’のストッパーで、第２’のストッパー４’Ｓ２は、図２２で言えば、第２の突出部材（第２の回動部材）４’の時計回りの動きを規制するもので、第２’のストッパー４’Ｓ２は、ヘッドレスト３に取り付けられている。
この第２’のストッパー４’Ｓ２により、第２の突出部材（第２の回動部材）４’、又は、第２の当接部材５’、又は、第２の支持部材６’が患者の体の部位に接触しないように規制され、患者が損傷を受けるのを防止することができる。
【００９５】
また、図２１に示す５は第１の当接部材で、第１の当接部材５は歯科医（又は歯科衛生士）の作業者の右手又は右腕が当接し、歯科医の手又は腕が支持されるものである。
６は、第１の当接部材５を支える第１の支持部材である。
そして、第１の支持部材６と第１の突出部材４とは接続され、図示しないが、第１の支持部材６と第１の突出部材４とは一体的に接続されていても良いが、本実施例では、例えば、第１の接続継手管７２２を介して第１の支持部材６と第１の突出部材４とが接続されている。
第１の支持部材６の長さ調整は、例えば、第１の支持部材６を第１の接続継手管７２２内への挿入により行われるものであり、第１の接続継手管７２２内への挿入された第１の支持部材６は、支持部保持手段、例えば、第１の支持部保持手段７２により保持される。
第１の支持部保持手段７２は、例えば、第１の接続継手管７２２への第１の支持部材６の挿入長さで調整され、調整後、レバー７２１によるカム[図示しないが、図４（ｃ）に示すカムと同様]を第１の支持部材６の外表面に当接して行うようにしている。
なお、 上述した実施例においては、第１の支持部保持手段７２の例として、カム[図示しないが、図４（ｃ）に示すカムと同様]を支持部材６の外表面に当接させて支持部材（第１の支持部材）６の動きを規制して保持するようにしたが、本願発明にあっては、これに限らず、例えば、支持部材（第１の支持部材）６の動きを、図示しない油圧、空気圧、電動モータ等を用いて制御するようにしても良い。
【００９６】
５’は第２の当接部材で、第２の当接部材５’は第１の当接部材５と同様、歯科医（又は歯科衛生士）の作業者の左手又は左腕が当接し、歯科医の手又は腕が支持されるものである。
６’は、第２の当接部材５’を支える第２の支持部材である。
そして、第２の支持部材６’と第２の突出部材４’とは接続され、図示しないが、第２の支持部材６’と第２の突出部材（第２の回動部材）４’とは一体的に接続されていても良いが、本実施例では、例えば、第２の接続継手管７２２’を介して第２の支持部材６’と第２の突出部材（第２の回動部材）４’とが接続されている。
第２の支持部材６’の長さ調整は、例えば、第２の支持部材６’を第２の接続継手管７２２’内への挿入により行われるものであり、第２の接続継手管７２２’内への挿入された第２の支持部材６’は、支持部保持手段、例えば、第２の支持部保持手段７２’により保持される。
第２の支持部保持手段７２’は、例えば、第２の接続継手管７２２’への第２の支持部材６’の挿入長さで調整され、調整後、レバー（図示しないが、レバー７２１と同様）によるカム[図示しないが、図４（ｃ）に示すカムと同様]を第２の支持部材６’の外表面に当接して行うようにしている。
なお、 上述した実施例においては、第２の支持部保持手段７２’の例として、カム[図示しないが、図４（ｃ）に示すカムと同様]を支持部材６の外表面に当接させて支持部材（第２の支持部材）６’の動きを規制して保持するようにしたが、本願発明にあっては、これに限らず、例えば、支持部材（第２の支持部材）６’の動きを、図示しない油圧、空気圧、電動モータ等を用いて制御するようにしても良い。
また、第１、第２の当接部材５、５’は、上述の実施例と同様、例えば、手又は腕が当接できれば良く、望ましくは、ジェル、スポンジ、ウレタン、樹脂等の弾性部材で形成されているのが良い。
【００９７】
従って、上述した医療用診療椅子Ｃによれば、上述した実施例と同様、第１、第２の突出部材４、４’を背もたれ２又はヘッドレス３の外方に突出するように設けるという発想の元、例えば、図２１に示すように、ヘッドレスト３近傍に第１、第２の突出部材（第１、第２の回動部材）４、４’、第１、第２の支持部材６、６’を設けることができる分、第１、第２の突出部材（第１、第２の回動部材）４、４’、第１、第２の支持部材６、６’の長さを短くでき、これら第１、第２の突出部材４、４’、第１、第２の支持部材６、６’、第１、第２の当接部材５、５’を患者の頭部の近くにコンパクトに効率良く設けることができ、また、第１、第２の当接部材５、５’に、例えば、歯科医（又は歯科衛生士）の手又は腕を支持させて治療行為等の作業を行うことができるため、支持させている分、例えば、歯科医（又は歯科衛生士）の作業者の手を安定させて治療行為等の作業を行うことができ、治療行為等の作業が均一化して治療行為等の作業の向上を図ると共に、歯科医（又は歯科衛生士）の治療行為等の作業の疲れをも軽減させることができる。また、治療行為等の作業が均一化して治療行為等の作業の向上が図れれば、治療行為等の作業を受ける患者にとって有益である。
また、例えば、歯科医等の作業者の腕を当接部材５、５’で支える結果、歯科医等の力が分散され、歯科医等の力の伝達が軽減されて患者へ伝わり、患者にとっての不快感をも軽減化される。
また、第１、第２の突出部材（第１、第２の回動部材）４、４’は、回動可能で、第１、第２の突出部材（第１、第２の回動部材）４、４’の回動中心が、ヘッドレスト３及び背もたれ２を医療用診療椅子Ｃの設置面Ｅに対して、略平行にした場合において、平面視、ヘッドレスト３に当接した患者の口元近傍に位置しているため、例えば、第１の突出部材４、第２の突出部材４’を回動して、歯科医等の作業し易い適宜の位置、ヘッドレスト３の頂部中央の方向を時計の１２時にみたてれば、１２時［図２２（ａ）］の位置から９時［図２２（ｂ）］の位置の間の適宜の位置、１２時［図２２（ａ）］の位置から３時（図２３）の位置の間の適宜の位置で、容易に使用できると共に、回動した位置を第１の回動保持手段Ｋ、第２の回動保持手段Ｋ’により保持して治療行為等の作業を容易に行うことができ、
また、第１の突出部材（第１の回動部材）４の回動位置は第１の回動保持手段Ｋにより、第２の突出部材（第２の回動部材）４’の回動位置は第２の回動保持手段Ｋ’により、それぞれ保持されるため、不用意に背もたれ２が回動されても、第１、第２の突出部材（第１、第２の回動部材）４，４’の回動が防止され、患者が第１、第２の突出部材（第１、第２の回動部材）４，４’、第１、第２の当接部材５、５’、第１、第２の支持部材６、６’により損傷を受けるのを防ぐことができる。
また、第１の突出部材（第１の回動部材）４及び第２の突出部材（第２の回動部材）４’の回動中心が、ヘッドレスト３及び背もたれ２を医療用診療椅子Ｃの設置面Ｅに対して、略平行にした場合において、平面視、ヘッドレスト３に当接した患者の口元近傍に位置しているため、患者の口元近傍と第１の当接部材５との距離、患者の口元近傍と第２の当接部材５’との距離は、それぞれ略一定となっている。
更に、第１の突出部材（第１の回動部材）４は、図２２に示すように、逆への字状に形成され、前記逆への字状の屈曲部４Ｚは、第１の突出部材４の露出している端部４Ｘより第１の突出部材（第１の回動部材）４のヘッドレスト３内に位置している端部に近い側に位置し、第２の突出部材（第２の回動部材）４’は、への字状に形成され、前記への字状の屈曲部４’Ｚは、第２の突出部材（第２の回動部材）４’の露出している端部（図示せず）より第２の突出部材（第２の回動部材）４’のヘッドレスト３内に位置している端部に近い側に位置しているため、第１、第２の突出部材（第１、第２の回動部材）４、４’の外方先端を背もたれに当接している患者により近づけることができ（例えば、図２２及び図２３参照）、歯科医等の作業し易い範囲を拡大して、適正な作業を行うことができる。
【００９８】
また、図２５及び図２６に示すＢは、例えば、１２時の位置にいる作業者の体の部位がヘッドレスト３の頂部３Ｃに当接しないように、ヘッドレスト３の頂部３Ｃ側に突出し、前記作業者の体の部位を当接支持する突出バーで、突出バーＢはヘッドレスト３に設けられている。
なお、突出バーＢの取り付け位置は、ヘッドレスト３の頂部３Ｃ［又はヘッドレスト３の裏面（ヘッドレスト３の裏面は、ヘッドレスト３の患者の頭部が当接する当接面３Ａの反対側の面である。）］である。
なお、図２１乃至図２３に示す医療用診療椅子Ｃは、上述の実施例と同様に、座（図示せず）と、回動自在な背もたれ２と、この背もたれ２に設けられたヘッドレスト３とを有するものであって、ヘッドレスト３に設けられた回動部材４、４’と、作業者の手又は腕が当接する当接部材５、５’と、この当接部材５、５’を支える支持部材６、６’とを備え、支持部材６、６’と回動部材４、４’とが接続されている。
また、図２１乃至図２３に示す医療用診療椅子Ｃの回動部材４、４’の一端を、ヘッドレスト３の内部に設けたが、回動部材４、４’の一端をヘッドレスト３の外に回動自在に設けるようにしても良い（図２７、後述する図２８乃至図３６等）。
また、回動部材４と支持部材６を別個の部材で形成したが、回動部材４と支持部材６を一体に形成しても良い。この場合、例えば、回動部材４のヘッドレスト３から遠い側の端部で当接部材５を支持することとなる。（回動部材４’と支持部材６’を別個の部材で形成したが、回動部材４’と支持部材６’を一体に形成しても良い。この場合、例えば、回動部材４’のヘッドレスト３から遠い側の端部で当接部材５’を支持することとなる。）
従って、ヘッドレスト３の頂部３Ｃ側に突出し、作業者の体の部位（例えば、上半身）を当接支持する突出バーＢがヘッドレスト３に設けられているため、歯科医師等の作業者は体の部位を突出バーＢに当接させて、作業者の上半身の安定化を図り、引いては、腕が安定して治療等の作業をより確実に行うことができ、また、突出バーＢにより、作業者の体の部位がヘッドレスト３に当接した患者の頭部に触れることをも防止して、患者に与える不快感を解消させることができる。
突出バーＢは、ヘッドレスト３の頂部３Ｃに設けたパイプＢ１、Ｂ１にＵ字状パイプＢ２の両端を差し込み、レバーＢ３、Ｂ３の先端によるカム[図示しないが、図４（c）に示すカムと同様]をＵ字状パイプＢ２の表面に当接して、該当接状態を保持するようにする。なお、図２５記載の実施例にあっては、レバーＢ３、Ｂ３に代えて、パイプＢ１とパイプＢ２との当接する部位に、図示しないラチェット機構を設けるようにしても良い。
【００９９】
また、本願発明の突出バーＢは、図２５記載の突出バーＢに限らず、例えば、図２６に示す「Ｕ字状パイプを起き上がるように屈曲させた突出バーＢ」であっても良い。
この図２６記載の突出バーＢも、図２５記載の突出バーＢと同様に、歯科医師等の作業者がヘッドレスト３に当接した患者の頭部に触れ、患者に不快感を与えるのを防ぐことができる。
図２６記載の突出バーＢは、ヘッドレスト３の頂部３Ｃに設けたパイプＢ１、Ｂ１に立ち上がりＵ字状パイプＢ２’の両端を差し込み、レバーＢ３、Ｂ３の先端によるカム[図示しないが、図４（ｃ）に示すカムと同様］を立ち上がりＵ字状パイプＢ２’の表面に当接して、該当接状態を保持するようにする。
なお、図２６記載の実施例にあっては、レバーＢ３、Ｂ３に代えて、パイプＢ１とパイプＢ２’との当接する部位に、図示しないラチェット機構を設けるようにしても良い。
また、図２５、図２６における実施例においては、上記の実施例と同一部分に同一符号を付して、説明の一部を省略している。
また、本願発明の突出バーＢは、図２５記載の突出バーＢに限らず、例えば、前述した図１、図２、図３、図４、図５、図６、図１２、図１３、図１４、図１５、図１８、図１９、図２０、図２１、図２２、図２３、後述する図２７、図２８、図２９、図３０、図３１、図３２、図３３、図３４、図３５、図３６、図３７、図３８記載のヘッドレスト３  にも同様に突出バーＢを設けることができる。
つまり、作業者の体の部位が図１〜図６、図１２〜図１５、図１８〜図２３、後述する図２７〜図３８記載のヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面であるようにする。
【０１００】
次に、述べる図２７乃至図３０記載の実施例は、第１の回動部材４Ｋ、第１の支持部材６、第１の当接部材５が第１の取り付け部材１０を介して、ヘッドレスト３の正面視、左側面３Ｄ（１２時の位置の作業者から見て右側面）に、第２の回動部材４Ｋ’（図示しない）、第２の支持部材（図示しない）、第２の当接部材（図示しない）が第２の取り付け部材（図示しない）を介して、ヘッドレスト３の正面視、右側面（１２時の位置の作業者から見て左側面）に、それぞれ取り付けられた医療用診療椅子Ｃである。
【０１０１】
即ち、医療用診療椅子Ｃは、上述の医療用診療椅子Ｃと同様に、座（図示せず）と、回動自在な背もたれ（図示しない）と、この背もたれ（図示しない）から突出して設けられたヘッドレスト３とを有する。
第１の回動部材４Ｋは、ヘッドレスト３の外方に第１の取り付け部材１０を介して突出すると共に、回動自在に設けられ、概略的に、第１の突出部材４、回動部を有している。前記した回動部は、例えば、回動基部４８、中間部材４９を備え、第１の取り付け部材１０に取り付けられている。回動基部４８と中間部材４９とは、例えば、接着剤等により固着されている。
第１の当接部材５は、歯科医（又は歯科衛生士）、耳鼻咽喉科医、眼科医等の作業者の右手又は右腕が当接する部位で、第１の当接部材５は、第１の支持部材６で支えられている。この第１の支持部材６は、第１の回動部材４Ｋに接続されている。
【０１０２】
そして、第１の取り付け部材１０は、ヘッドレスト３の正面視、左側面（１２時の位置の作業者から見て右に位置する右側面３Ｄ）に前記左側面に平行に回動自在に取り付けられた左側第１のベース１０Ａと、この左側第１のベース１０Ａに接続され、左側第１のベース１０Ａに対してヘッドレスト３の裏面側に向かって約９０°の位置にある左側第２のベース１０Ｂとを有し、この左側第２のベース１０Ｂに第１の回動部材４Ｋが、例えば、後述する回動軸４８Ａに、エラストマー１０６Ｂ、平座金１０６Ｃ、スプリング座金１０６Ｄを介して、ナット１０６Ｎにより取り付けられている。
【０１０３】
第１の取り付け部材１０は、例えば、第１の取り付け部材１０に設けた軸１０１をヘッドレスト３の正面視、左側面（１２時の位置の作業者から見て右に位置する右側面３Ｄ）に設けた穴３ａを介してヘッドレスト３に取り付け（軸１０１に螺合するナット１０１ａ、軸１０１とナット１０１ａの間にエラストマー１０１ｂ、平座金１０１ｃ、スプリング座金１０１ｄが位置している。）、また、例えば、ネジ１０２の先端の雄ねじを第１の取り付け部材１０の弧状の開口部１０３を介してヘッドレスト３の正面視、左側面（１２時の位置の作業者から見て右に位置する右側面３Ｄ）に設けた雌ネジ３ｂに螺合している。
その結果、第１の取り付け部材１０は、軸１０１を中心として、ネジ１０２と弧状の開口部１０３に規制されて回動し、回動状態は、ネジ１０２を締め付け、ネジ１０２を弧状の開口部１０３周縁部に当接させて、保持することができるようになっている。なお、第１の取り付け部材１０を手動により回動し、回動状態をネジ１０２により保持させるようにしたが、本願発明にあっては、これに限らず、油圧、空気圧、電動モータによって制御するようにしても良い。
【０１０４】
また、図２７及び図２８に示す１０Ｃは、左側第２のベース１０Ｂに取り付けられたハウジングで、ハウジング１０Ｃは中間部材４９を受け入れ、ハウジング１０Ｃの開放部は、回動基部４８で塞ぐようになっている（図２７及び図２８参照）。
また、回動基部４８には、例えば、中央開口部４９ａを貫通して回動する回動軸４８Ａ（回動軸４８Ａは、図２８に示すナット１０６Ｎに螺合し、回動軸４８Ａとナット１０６Ｎとの間には、エラストマー１０６Ｂ、平座金１０６Ｃ、スプリング座金１０６Ｄが位置するようになっている。）と、突出部材、例えば、第１の突出部材４（回動部材、例えば、第１の回動部材）の折曲部４７、４７を受け入れる開口部４８ａ、４８ａが設けられ、第１の突出部材４の折曲部４７、４７を開口部４８ａ、４８ａに対して脱着自在に形成している。なお、場合により、例えば、接着剤等で折曲部４７、４７を介して第１の突出部材４と回動基部４８とを固着するようにしても良い。
また、中間部材４９には、被係止部（例えば、複数の凹所）４４、中央開口部４９ａが設けられている。この複数の被係止部（例えば、複数の凹所）４４と、この被係止部（例えば、複数の凹所）４４に係止する図示しない弾性部材(例えば、バネ)に付勢された係止部４６とで回動保持手段、例えば、第１の回動保持手段Ｋが構成される。そして、中間部材４９と回動基部４８で固着されている。
なお、図示しない弾性部材(例えば、バネ)と、図示しない弾性部材(例えば、バネ)に付勢された係止部４６は、例えば、ハウジング１０Ｃに取り付けられている。
また、第１の回動部材４Ｋを回動させ、第１の回動部材４Ｋが所定位置に達したとき、図２４（ｂ）記載と同様、第１の回動部材４Ｋの被係止部（例えば、複数の凹所の内の何れか一つの凹所）４４に係止部４６が係止して（図２７参照）、第１の回動部材４Ｋの位置を保持するようにしている。そして、保持された位置から第１の回動部材４Ｋを回動させると、図２４（ａ）記載と同様、係止部４６が弾性部材(例えば、バネ)４５に抗して後退し、保持状態が解除される。
【０１０５】
なお、第２の回動部材、第２の支持部材、第２の当接部材、第２の取り付け部材は、図示していないが、第２の回動部材、第２の支持部材、第２の当接部材、第２の取り付け部材は、ヘッドレスト３の正面視、左側面３Ｄ（１２時の位置の作業者から見て右側面）に設けた第１の回動部材４Ｋ、第１の支持部材６、第１の当接部材５、第１の取り付け部材１０に対称的に、ヘッドレスト３の正面視、ヘッドレスト３の右側面（１２時の位置の作業者から見て左側面）に設けられている。
図示しない第２の回動部材は、ヘッドレスト３の正面視、右側面（１２時の位置の作業者から見て左側面）の外方に図示しない第２の取り付け部材を介して突出すると共に、回動自在に設けられている。
図示しない第２の当接部材は、歯科医（又は歯科衛生士）等の作業者の左手又は左腕が当接する部位で、図示しない第２の支持部材で支えられている。
第２の支持部材（図示せず）は、上述したように、第１の支持部材６が第１の回動部材４Ｋと接続されていると同様、第２の回動部材（図示せず）に接続されている。
【０１０６】
そして、第２の取り付け部材（図示せず）は、例えば、ヘッドレスト３の正面視、逆Ｌ字状の第１の取り付け部材１０と対称のＬ字状で、ヘッドレスト３を医療用診療椅子Ｃの設置面に対して垂直方向にした場合、ヘッドレスト３の正面視、ヘッドレスト３の右側面（１２時の位置の作業者から見て左に位置する左側面）に前記右側面に平行に回動自在に取り付けられた右側第１のベース（図示せず）と、この右側第１のベース（図示せず）に接続され、右側第１のベース（図示せず）に対してヘッドレスト３の裏面側に向かって約９０°の位置にある右側第２のベース（図示せず）とを有し、この右側第２のベー
ス（図示せず）に第２の回動部材（図示せず）が、例えば、上述した回動軸４８Ａと同様な回動軸（図示せず）に、上述したエラストマー１０６Ｂと同様なエラストマー（図示せず）、上述した平座金１０６Ｃと同様な平座金（図示せず）、上述したスプリング座金１０６Ｄと同様なスプリング座金（図示せず）を介して、上述したナット１０６Ｎと同様なナット（図示せず）により取り付けられている。
上記の第２の突出部材（図示せず）には、第１の支持部材６と同様な「第２の支持部材（図示せず）」が設けられ、この第２の支持部材（図示せず）には、第１の当接部材５と同様な「第２の当接部材（図示せず）」が設けられている。
【０１０７】
なお、突出部材（第１の突出部材）４は、上述の実施例と同様、長手方向に長い形状部材であり、長手方向に伸縮自在に構成され、突出部材（第１の突出部材）４は長手方向に対して伸縮すると共に、この伸縮した状態を第１の突出部材保持手段４１により保持するようにしている。  
また、４Ａは第１の突出部材４を受け入れる突出基部（第１の突出基部）で、突出部材（第１の突出部材）４の長さ調整は、突出基部４Ａへの突出部材（第１の突出部材）４の挿入長さで調整され、所定長さに調整した後、第１の突出部材保持手段４１、例えば、ネジ４１１”の先端を突出部材（第１の突出部材）４の外表面に当接して、第１の突出部材４と突出基部４Ａとの長さ調整を行うようにしている。
なお、 上述した実施例においては、第１の突出部材保持手段４１の例として、ネジ４１１”の先端を突出部材（第１の突出部材）４の外表面に当接させて突出部材（第１の突出部材）４の動きを規制して保持するようにしたが、本願発明にあっては、これに限らず、例えば、突出部材（第１の突出部材）４の動きを、図示しない油圧、空気圧、電動モータ等を用いて制御するようにしても良い。
【０１０８】
また、当接部材（第１の当接部材）５は、上述の実施例と同様、作業者の手又は腕が当接する部位で、具体的には、歯科医（又は歯科衛生士）の右手又は右腕が当接し、歯科医（又は歯科衛生士）の右手又は右腕が支持されるものである。
支持部材（第１の支持部材）６は、当接部材（第１の当接部材）５を支えるもので、支持部材（第１の支持部材）６と突出部材（第１の突出部材）４とは接続され、図示しないが、支持部材（第１の支持部材）６と突出部材（第１の突出部材）４とは一体的に接続されていても良いが、本実施例では、例えば、接続継手管７を介して支持部材６と突出部材（第１の突出部材）４とが接続されている。
支持部材（第１の支持部材）６は、垂直方向に伸縮自在に構成され、支持部材（第１の支持部材）６は支持部材（第１の支持部材）６の長手方向に対して伸縮すると共に、この伸縮した状態を、例えば、第１の支持部保持手段７１により保持するようにしている。  
支持部材（第１の支持部材）６の長さ調整は、例えば、第１の支持部保持手段７１、例えば、接続継手管７への支持部材６の挿入長さで調整され、調整後、レバー７１１によるカム[図示しないが、図４（ｃ）に示すカムと同様]を支持部材６の表面に当接して行うようにしている。
なお、 上述した実施例においては、第１の支持部保持手段７１の例として、カム[図示しないが、図４（ｃ）に示すカムと同様]を支持部材６の外表面に当接させて支持部材（第１の支持部材）６の動きを規制して保持するようにしたが、本願発明にあっては、これに限らず、例えば、支持部材（第１の支持部材）６の動きを、図示しない油圧、空気圧、電動モータ等を用いて制御するようにしても良い。また、第２の突出部材（図示せず）にも、第２の突出部材（図示せず）を保持する「第１の突出部材保持手段４１」と同様な第２の突出部材保持手段（図示せず）が、第２の支持部材（図示せず）にも、第２の支持部材（図示せず）を保持する「第１の支持部保持手段７１」と同様な第２の支持部保持手段（図示せず）が、それぞれ設けられている。
【０１０９】
従って、上述した図２７乃至図３０記載の医療用診療椅子Ｃによれば、第１、第２の回動部材４Ｋをヘッドレスト３の外方に突出するように設けるという発想の元、ヘッドレスト３近傍に第１、第２の回動部材４Ｋ、第１、第２の支持部材６を設けることができる分、第１、第２の回動部材４Ｋ、第１、第２の支持部材６の長さを短くでき、これら第１、第２の回動部材４Ｋ、第１、第２の支持部材６、第１、第２の当接部材５を患者の頭部の近くにコンパクトに効率良く設けることができ、また、例えば、第１の当接部材５に歯科医（又は歯科衛生士）等の作業者の右手又は右腕を、第２の当接部材に歯科医（又は歯科衛生士）等の作業者の左手又は左腕を、それぞれ支持させて治療行為等の作業を行うことができるため、支持させている分、歯科医（又は歯科衛生士）等の作業者の両手を安定させて治療行為等の作業を行うことができ、治療行為等の作業が均一化して治療行為等の作業の向上を図ると共に、歯科医（又は歯科衛生士）、耳鼻咽喉科医、眼科医等の治療行為等の作業の疲れをも軽減させることができる。また、治療行為等の作業が均一化して治療行為等の作業の向上が図れれば、治療行為等の作業を受ける患者にとっても有益である。
また、例えば、ヘッドレスト３及び背もたれ２を略水平状態になるように、回動して、患者の口腔内（例えば、患者の上の歯）を治療する場合、ヘッドレスト３の頂部３Ｃを設置面Ｅ側に回動すると、第１の当接部材５も連動して移動し、作業者の右手又は右腕が当接する部位が低くなるが、第１の取り付け部材１０を回動して、作業者の右手又は右腕が当接する部位を所定の高さ位置へ調整することができ、また、例えば、ヘッドレスト３及び背もたれ２を略水平状態になるように、回動して、患者の口腔内（例えば、患者の上の歯）を治療する場合、ヘッドレスト３の頂部３Ｃを設置面Ｅ側に回動すると、第２の当接部材も連動して移動し、作業者の左手又は左腕が当接する部位が低くなるが、第２の取り付け部材を回動して、作業者の左手又は左腕が当接する部位を所定の高さ位置へ調整することができる。
【０１１０】
また、第１の回動部材４Ｋを規制するために、例えば、第１の回動保持手段Ｋに加え、または、第１の回動保持手段Ｋを除去して、第１のストッパー４Ｓ１、第２のストッパー４Ｓ２を設けるようにしても良い。
即ち、第１の回動部材４Ｋは、図２７、図２８、図２９に示すように、ヘッドレスト３の左側第２のベース１０Ｂの平坦面に平行に回動自在に支持されている。この回動自在に支持された第１の回動部材４Ｋには、第１の係止部４Ｔが、左側第２のベース１０Ｂには、第１のストッパー４Ｓ１及び第２のストッパー４Ｓ２が、それぞれ設けられている。
そして、第１の係止部４Ｔが第１のストッパー４Ｓ１に係止して、第１のストッパー４Ｓ１により第１の回動部材４Ｋ、又は、第１の支持部材６、又は、第１の当接部材５がヘッドレスト３の正面視，左側面（１２時の位置の作業者から見て右に位置する右側面３Ｄ）に接触しないように規制することができる。
また、第１の係止部４Ｔが第２のストッパー４Ｓ２に係止して、第２のストッパー４Ｓ２により、第１の回動部材４Ｋ、又は、第１の支持部材６、又は、第１の当接部材５が背もたれ２に当接した患者の体の部位に接触しないように規制し、図２７で言えば、第１の回動部材４Ｋの反時計回りの動きを規制するようになっている。
【０１１１】
なお、上述したように、ヘッドレスト３の正面視，左側面３Ｄ（１２時の位置の作業者から見て右側面）に位置する第１の回動部材４Ｋは、ヘッドレスト３を介して、ヘッドレスト３の正面視、右側面（１２時の位置の作業者から見て左側面）に位置する第２の回動部材（図示せず）が対称的に位置するようになっている。
そして、ヘッドレスト３の正面視、左側（１２時の位置の作業者から見て右側）に位置する第１の係止部４Ｔ、第１のストッパー４Ｓ１、第２のストッパー４Ｓ２が、ヘッドレスト３を介して、ヘッドレスト３の正面視、右側（１２時の位置の作業者から見て左側）に、対称的に、第１’の係止部（図示せず）、第１’のストッパー（図示せず）、第２’のストッパー（図示せず）が配設されている。
そして、第１’の係止部（図示せず）が第１’のストッパー（図示せず）に係止して、第１’のストッパー（図示せず）により、第２の回動部材（図示せず）、又は、第２の支持部材（図示せず）、又は、第２の当接部材（図示せず）がヘッドレスト３の正面視、右側面（１２時の位置の作業者から見て左に位置する左側面）に接触しないように規制することができる。
また、第１’の係止部（図示せず）が第２’のストッパー（図示せず）に係止して、第２’のストッパー（図示せず）により、第２の回動部材（図示せず）、又は、第２の支持部材（図示せず）、又は、第２の当接部材（図示せず）が背もたれ２に当接した患者の体の部位に接触しないように規制し、第２の回動部材（図示せず）の動きを規制するようになっている。
【０１１２】
なお、図２７、図２８においては、第１の係止部４Ｔ及び第２の係止部（図示せず）を外部に設けたが、本願発明にあっては、これに限らず、図３１及び図３２に示すように、内部に設けるようにしても良い。
即ち、回動自在に支持された第１の回動部材４Ｋの回動部である中間部材４９に弧状に形成された弧状間隙部４Ｍが、中間部材４９を支持するハウジング１０Ｃ内に第１の係止部４Ｔが、それぞれ設けられている［図３１、図３２（ｂ）参照］。
また、弧状間隙部４Ｍの一方の一方端部４Ｍ１が第１のストッパーで、他方の他方端部４Ｍ２が第２のストッパーを形成している。
第１のストッパー４Ｍ１により、第１の回動部材４Ｋ、又は、第１の支持部材（図示しないが、図２７で言えば、第１の支持部材６）、又は、第１の当接部材（図示しないが、図２７で言えば、第１の当接部材５）がヘッドレストの正面視、左側面（１２時の位置の作業者から見て右に位置する右側面３Ｄ）に接触しないように規制、図３１で言えば、第１の回動部材４Ｋの時計回りの動きを規制することができる［図３２（ａ）参照］。
また、第２のストッパー４Ｍ２により、第１の回動部材４Ｋ、又は、第１の支持部材（図示しないが、図２７で言えば、第１の支持部材６）、又は、第１の当接部材（図示しないが、図２７で言えば、第１の当接部材５）が背もたれに当接した患者の体の部位に接触しないように規制、図３１で言えば、第１の回動部材４Ｋの反時計回りの動きを規制し、患者が損傷を受けるのを防止することができる［図３２（ｃ）参照］。
また、中間部材４９と回動基部４８とは、例えば、接着剤等で固着され、回動基部４８の回動軸４８Ａに設けた雄ねじを開口部４９ａ、開口部１０Ｃａを介してナット４８Ｎに螺合して取り付けられている。なお、開口部１０Ｃａより突出する回動軸４８Ａとナット４８Ｎとの間に、エラストマー４８Ｂ、平座金４８Ｃ、スプリング座金４８Ｄを介在させている。
なお、図３１及び図３２における実施例においては、上記の実施例と同一部分に同一符号を付して、説明の一部を省略している。  
【０１１３】
また、図２７〜図３２においては、第１の回動部材４Ｋの長手方向の長さを調整できるようにしたが、本願発明にあっては、これに限らず、図３３記載のように、第１の回動部材４Ｋの長手方向の長さを一定としても良い。
図３３記載の場合、支持部材（第１の支持部材）６の長さ調整は、第１の支持部保持手段７１、例えば、接続継手管７への支持部材６の挿入長さで調整され、調整後、支持部保持手段７１、例えば、ネジ７１１’の先端を支持部材６の外表面に当接して行うようにしている。なお、図３３記載の場合、支持部材（第１の支持部材）６の長さ調整の他に、支持部材６は接続継手管７に対して、ネジ７１１’の先端を支持部材６の外表面に当接しない状態にあっては、回転できるので、当接部材（第１の当接部材）５の回動位置も調整できる。
また、図示しないが、第２の回動部材も、第１の回動部材４Ｋと同様、第２の回動部材の長手方向の長さを一定としても良い。また、図３３における実施例においては、上記の実施例と同一部分に同一符号を付して、説明の一部を省略している。
【０１１４】
また、図２７〜図３２においては、第１の突出部材４の長手方向の長さを調整できるようにしたが、本願発明にあっては、これに限らず、図３４記載のように、第１の突出部材４の長手方向の長さを一定としても良い。
即ち、突出部材（第１の突出部材）４は、例えば、図３４に示すように、突出部材４の長手方向に対して略直交する方向に突出部材４の長手方向の長さより短い突出部４７を有し、ヘッドレスト３の一方の側面３Ｄ（１２時の位置の作業者から見て右に位置する右側面３Ｄ）に支持部３０が複数設けられている。支持部３０には、突出部材４の突出部４７が挿入され、突出部材４が支持部３０で支持されるようになっている。
そして、複数の支持部３０から選択された支持部３０に突出部材４の突出部４７が挿入され、突出部材４が支持部３０で支持されるようになっている。
そのため、 歯科医等の作業し易い位置を選択して、適正な作業を行うことができる。
なお、図３４記載の本実施例においては、図３４で言えば、ヘッドレスト３の側面３Ｄ（１２時の位置の作業者から見て右に位置する右側面３Ｄ）に支持部３０が複数設けられているが、図示しないが、ヘッドレスト３の他方の側面（１２時の位置の作業者から見て左に位置する左側面）にも、一方の側面３Ｄ、複数の支持部３０、突出部材（第１の突出部材）４と同様のものが、ヘッドレスト３を介して対称的に設けるようになっている。図３４における実施例においては、上記の実施例と同一部分に同一符号を付して、説明の一部を省略している。
【０１１５】
次に、図３５（ａ）（ｂ）（ｃ）を参照して説明する。
図３５（ａ）記載の実施例は、座（図示せず）と、回動自在な背もたれ（図示せず）と、この背もたれ（図示せず）に設けられたヘッドレスト３とを有する医療用診療椅子Ｃであって、ヘッドレスト３に設けられた回動部材４と、作業者の手又は腕が当接する当接部材５と、この当接部材５を支える支持部材６とを備え、支持部材６と回動部材４とが接続されているものである。
図３５（ａ）は、ねじ歯車（ウォーム）７０とそれに合うはす歯歯車（ウォームホイール）７１を組み合わせた機構で、ねじ歯車７０の回転をはす歯歯車７１、はす歯歯車７１の回転軸７２、部材７３を介して回動部材４に伝達している。回動部材４の回動方向は、図３５（ａ）に示す縦回転であり、ねじ歯車７０の回転の駆動源は、モータ（例えば、ステッピングモータ）７４である。部材７３は、回転軸７２と回動部材４とに接合されている。なお、図３５に示す７５は、ヘッドレスト３の側壁を示している。
また、図３５（ａ）（前述した図２１、図２２、図２３、図２５、図２６、図２７、図２８、図２９、図３０、図３１、図３２、図３３、図３４）に示すように、回動部材４をヘッドレスト３に設けたが、座と、回動自在な背もたれと、この背もたれに設けられたヘッドレストとを有する医療用診療椅子Ｃであって、例えば、図１８記載のように、回動部材４を背もたれ２に設けるようにしても良い。
【０１１６】
次に、図３６を参照して説明する。
図３６記載の実施例は、座（図示せず）と、回動自在な背もたれ（図示せず）と、この背もたれ（図示せず）に設けられたヘッドレスト３とを有する医療用診療椅子Ｃであって、ヘッドレスト３に設けられた回動部材４と、作業者の手又は腕が当接する当接部材５と、この当接部材５を支える支持部材６とを備え、支持部材６と回動部材４とが接続されているものである。
図３６（ａ）は、モータ内在受台７６の回転軸７７により回動する回動部材４を示している。回動部材４の一端はモータ内在受台７６に回動自在に支持されている。
支持部材６は支持部材６’の長手方向に対して伸縮すると共に、この伸縮した状態を支持部保持手段６１で保持するようにしている。
支持部保持手段６１”は、具体的には、支持部材６に形成された雄ねじと、この支持部材６の雄ねじに螺合する雌ネジを有する部材６１”とを有し、その調整は、当接部材５を回転して行うことができる。
なお、部材６１”は、例えば、回動部材４のモータ内在受台７６から遠い側の一端の裏面側に取り付けられている。          
【０１１７】
次に、図３７を参照して説明する。図３７記載の実施例は、回動部材（突出部材）４をヘッドレスト３に設けた場合、回動部材（突出部材）４と支持部材６を一体成形した場合、例えば、回動部材（突出部材）４のヘッドレスト３から遠い側の端部４Ｘで当接部材５を支えるようにしても良いし、また、回動部材（突出部材）４と支持部材６と当接部材５を図３８に示すように一体成形しても良い［図２１記載のレバー７２１、第１の接続継手菅７２２を除去すると共に、第１の回動部材（突出部材）４と第１の支持部材６を一体成形しても良いし、図２１記載のレバー７２１、第１の接続継手菅７２２を除去すると共に、第１の回動部材（突出部材）４と第１の当接部材５と第１の支持部材６を一体成形しても良い。また、図２１記載の第２の接続継手菅７２２’を除去すると共に、図示しない第２の回動部材（突出部材）と第２の支持部材６’を一体成形しても良いし、図２１記載の第２の接続継手菅７２２’を除去すると共に、図示しない回動部材（突出部材）と第２の当接部材５’と第２の支持部材６’を一体成形しても良い。］。
なお、回動部材（突出部材）４を背もたれに設けた場合、上述と同様に、図示しないが、回動部材（突出部材）４と支持部材６を一体成形した場合、例えば、回動部材（突出部材）４の背もたれ２から遠い側の端部で当接部材５を支えるようにしても良いし、また、回動部材（突出部材）４と支持部材６と当接部材５を図示しないが、一体成形しても良い。
【０１１８】
次に、図３９を参照して説明する。
図３９は、座（図示せず）と、回動自在な背もたれ２と、この背もたれ２から突出して設けられたヘッドレスト３とを有する医療用診療椅子Ｃであって、７８はストッパー（第１のストッパー）で、ストッパー（第１のストッパー）７８は、作業者の手又は腕が当接部材（第１の当接部材）５から滑り落ちるのを防止するように、当接部材（第１の当接部材）５に形成されている。ストッパー（第１のストッパー）７８は、当接部材５の中心より当接部材５の端部に近い側に位置している。
なお、図３９は、第１の当接部材（当接部材）５に第１のストッパー（ストッパー）７８を設け、第２の当接部材（当接部材）５’に第２のストッパー（ストッパー）を設けていないが、第２の当接部材（当接部材）５’に第２のストッパー（ストッパー）を設けるようにしても良い。
また、ストッパー７８は、例えば、前述した図１、図２、図３、図４、図５、図６、図７、図８、図９、図１０、図１１、図１２、図１３、図１４、図１５、図１６、図１８、図１９、図２０、図２１、図２２、図２３、図２５、図２６、図２７、図２８、図２９、図３０、図３３、図３４、図３５、図３６、図３７、図３８記載の当接部材５にも同様に設けることができる。
【０１１９】
なお、本発明において、背もたれ２の外方に突出するように設けられた突出部材（回動部材）４、４’にいう「突出」とは、
背もたれ２の内部に突出部材（回動部材）４、４’の一端を背もたれ２の内部に取り付け、背もたれ２の内部から外方に突き出す場合（例えば、図１〜図６）の他、
背もたれ２の裏面に突出部材４、４’を取り付け、背もたれ２の側面側から外方に突き出す場合（例えば、図１８）、
突出部材（回動部材）４、４’の一端を背もたれ２の内部に侵入させないで、図示しないが、突出部材（回動部材）４、４’の一端を背もたれ２の側面の外部に、例えば、図１８記載の部材１００、１００’を介して取り付け、背もたれ２の側面側から外方に突き出す場合、
背もたれ２の裏面に突出部材（回動部材）４、４’を取り付け、背もたれ２の頂面（側面の内、背もたれ２の立設時、高い面）側から外方に突き出す場合［突出部材（回動部材）４、４’の取り付け位置を、例えば、図１８よりヘッドレスト３に近い位置に取り付ける］、
背もたれ２の表面に突出部材（回動部材）４、４’を取り付け、背もたれ２の表面側から外方に突き出す場合（例えば図１４、図１５）、
をも含む意味である。
また、本発明において、ヘッドレストの外方に突出するように設けられた突出部材にいう「突出」とは、
ヘッドレスト３の内部に突出部材（回動部材）４、４’を取り付け、ヘッドレスト３の内部から外方に突き出す場合（例えば、図１９、図２１〜図２６）の他、
ヘッドレスト３の側面（図２７〜図３３）の外部に突出部材（回動部材）４、４’を取り付け、ヘッドレスト３の側面から外方に突き出す場合、
図示しないが、ヘッドレスト３の裏面に突出部材（回動部材）４、４’を取り付け、ヘッドレスト３の頂面側や側面側から外方に突き出す場合、
をも含む意味である。
【符号の説明】
【０１２０】
Ｃ      医療用診療椅子
１      座
２      背もたれ
３      ヘッドレスト
４      突出部材
４’    突出部材
５      当接部材
５’    当接部材
６      支持部材
６’    支持部材
【図１】
2017176806.tif 000003
【図２】
2017176806.tif 000004
【図３】
2017176806.tif 000005
【図４】
2017176806.tif 000006
【図５】
2017176806.tif 000007
【図６】
2017176806.tif 000008
【図７】
2017176806.tif 000009
【図８】
2017176806.tif 000010
【図９】
2017176806.tif 000011
【図１０】
2017176806.tif 000012
【図１１】
2017176806.tif 000013
【図１２】
2017176806.tif 000014
【図１３】
2017176806.tif 000015
【図１４】
2017176806.tif 000016
【図１５】
2017176806.tif 000017
【図１６】
2017176806.tif 000018
【図１７】
2017176806.tif 000019
【図１８】
2017176806.tif 000020
【図１９】
2017176806.tif 000021
【図２０】
2017176806.tif 000022
【図２１】
2017176806.tif 000023
【図２２】
2017176806.tif 000024
【図２３】
2017176806.tif 000025
【図２４】
2017176806.tif 000026
【図２５】
2017176806.tif 000027
【図２６】
2017176806.tif 000028
【図２７】
2017176806.tif 000029
【図２８】
2017176806.tif 000030
【図２９】
2017176806.tif 000031
【図３０】
2017176806.tif 000032
【図３１】
2017176806.tif 000033
【図３２】
2017176806.tif 000034
【図３３】
2017176806.tif 000035
【図３４】
2017176806.tif 000036
【図３５】
2017176806.tif 000037
【図３６】
2017176806.tif 000038
【図３７】
2017176806.tif 000039
【図３８】
2017176806.tif 000040
【図３９】
2017176806.tif 000041
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
作業者の体の部位が前記ヘッドレストの頂部に当接しないように、前記ヘッドレストの頂部側に突出し、前記作業者の体の部位を当接支持する突出バーが前記ヘッドレストに設けられ、
前記突出バーの取り付け位置は、前記ヘッドレストの頂部又は前記ヘッドレストの裏面である
ことを特徴とする医療用診療椅子。
【請求項２】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記支持部材は、第１の支持部材と第２の支持部材を有し、
前記当接部材は、第１の当接部材と第２の当接部材を有し、
前記第１の支持部材の長手方向と前記第１の突出部材の長手方向とのなす角度は、略直角であり、
前記第１の支持部材が前記第１の支持部材の長手方向に対して伸縮すると共に、この伸縮した状態を保持する第１の支持部保持手段を備え、
前記第２の支持部材の長手方向と前記第２の突出部材の長手方向とのなす角度は、略直角であり、
前記第２の支持部材が前記第２の支持部材の長手方向に対して伸縮すると共に、この伸縮した状態を保持する第２の支持部保持手段を備えている
ことを特徴とする医療用診療椅子。
【請求項３】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記突出部材が前記背もたれの外方に突出する場合、
前記突出部材は、前記背もたれの裏面側から前記背もたれの外方に突出するように設けられたものか、又は、前記背もたれの頂面から前記背もたれの外方に突出するように設けられたものか、又は、前記背もたれの表面側から前記背もたれの外方に突出するように設けられたものかの何れか一つである
ことを特徴とする医療用診療椅子。
【請求項４】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記背もたれを倒して行う治療時、前記当接部材は、患者の口唇より、垂直方向において、下方に位置している
ことを特徴とする医療用診療椅子。
【請求項５】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材とが接続され、
前記突出部材は、前記突出部材の長手方向に対して略直交する方向に前記突出部材の長手方向の長さより短い突出部を有し、
前記ヘッドレストの側面部に設けられた支持部に前記突出部材の突出部が挿入され、前記突出部材が前記支持部で支持されている
ことを特徴とする医療用診療椅子。
【請求項６】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記突出部材は前記突出部材の長手方向に対して伸縮すると共に、この伸縮した状態を保持する突出部保持手段を備えている
ことを特徴とする医療用診療椅子。
【請求項７】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記突出部材が前記背もたれの外方に突出する場合、
前記背もたれを倒して行う治療等の作業時、平面視、前記当接部材の下に患者の肩が位置している
ことを特徴とする医療用診療椅子。
【請求項８】
座と、回動自在な背もたれと、この背もたれに設けられたヘッドレストとを有する医療用診療椅子であって、
前記背もたれ又は前記ヘッドレストに設けられた突出部材と、
作業者の手又は腕が当接する当接部材と、
この当接部材を支える支持部材とを備え、
前記支持部材と前記突出部材とが接続され、
前記背もたれを倒して行う治療時、
前記当接部材は、上方に向かって登り勾配に傾斜するように前記支持部材に取り付けられているか、
または、
前記当接部材は、上方に向かって登り勾配に傾斜する傾斜部又はアール形状部を有するかの何れかである
ことを特徴とする医療用診療椅子。
【請求項９】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材と、
この当接部材を支える支持部材とを備え、
前記支持部材と前記突出部材が接続され、
前記支持部材は、前記突出部材に接続された受け部に支持され、
前記支持部材の長手方向の軸線に対して直角方向に回動又は回転自在に前記受け部に支持されている
ことを特徴とする医療用診療椅子。
【請求項１０】
座と、回動自在な背もたれと、この背もたれに設けられたヘッドレストとを有する医療用診療椅子であって、
前記背もたれ又は前記ヘッドレストに回動自在に設けられた回動部材と、
作業者の手又は腕が当接する当接部材と、
この当接部材を支える支持部材とを備え、
前記支持部材と前記回動部材とが接続されている
ことを特徴とする医療用診療椅子。
【請求項１１】
座と、回動自在な背もたれと、この背もたれから突出して設けられたヘッドレストとを有する医療用診療椅子であって、
回動部材と支持部材と当接部材が一体的に形成されているか、
又は、
前記回動部材と前記支持部材とが一体的に形成されているか、
又は、
前記支持部材と前記当接部材が一体的に形成されているか、
であることを特徴とする請求項１０記載の医療用診療椅子。
【請求項１２】
座と、回動自在な背もたれと、この背もたれから突出して設けられたヘッドレストとを有する医療用診療椅子であって、
回動部材が前記回動部材の長手方向に対して伸縮すると共に、この伸縮した状態を保持する回動部保持手段を備えている
ことを特徴とする請求項１０又は請求項１１記載の医療用診療椅子。
【請求項１３】
座と、回動自在な背もたれと、この背もたれから突出して設けられたヘッドレストとを有する医療用診療椅子であって、
支持部材が前記支持部材の長手方向に対して伸縮すると共に、この伸縮した状態を保持する支持部保持手段を備えている
ことを特徴とする請求項４又は請求項１０又は請求項１１記載の医療用診療椅子。
【請求項１４】
回動部材は、
背もたれの内部から前記背もたれの外方に突出するように設けられたものか、
又は、
前記背もたれの頂面に取り付けられ、前記背もたれの外方に突出するように設けられたものか、
又は、
前記背もたれの裏面側から前記背もたれの外方に突出するように設けられたものか、
又は、
ヘッドレストの内部から前記ヘッドレストの外方に突出するように設けられたものか、
又は、
前記ヘッドレストの側面に取り付けられ、前記ヘッドレストの外方に突出するように設けられたものか、
又は、
前記ヘッドレストの裏面側から前記ヘッドレストの外方に突出するように設けられたものか、
であることを特徴とする請求項１０又は請求項１２記載の医療用診療椅子。
【請求項１５】
座と、回動自在な背もたれと、この背もたれから突出して設けられたヘッドレストとを有する医療用診療椅子であって、
前記背もたれ又は前記ヘッドレストの外方に突出するように設けられた突出部材と、
作業者の手又は腕が当接する当接部材とを備え、
前記突出部材の支持部で前記当接部材を支持し、
前記背もたれを倒して行う治療時、前記当接部材は、患者の口唇より、垂直方向において、下方に位置している
ことを特徴とする医療用診療椅子。
【請求項１６】
座と、回動自在な背もたれと、この背もたれから突出して設けられたヘッドレストとを有する医療用診療椅子であって、
突出部材と当接部材とが一体化されている
ことを特徴とする請求項１５記載の医療用診療椅子。
【請求項１７】
座と、回動自在な背もたれと、この背もたれから突出して設けられたヘッドレストとを有する医療用診療椅子であって、
前記背もたれを倒して行う治療等の作業時、平面視、当接部材の下に患者の肩が位置している
ことを特徴とする請求項１又は請求項３又は請求項４又は請求項５又は請求項６又は請求項９又は請求項１０又は請求項１５又は請求項１６記載の医療用診療椅子。
【請求項１８】
座と、回動自在な背もたれと、この背もたれから突出して設けられたヘッドレストとを有する医療用診療椅子であって、
前記背もたれを倒して行う治療時、当接部材は、患者の口唇より、垂直方向において、下方に位置している
ことを特徴とする請求項１又は請求項３又請求項５又は請求項６又は請求項９又は請求項１０記載の医療用診療椅子。
【請求項１９】
座と、回動自在な背もたれと、この背もたれから突出して設けられたヘッドレストとを有する医療用診療椅子であって、
前記背もたれを倒して行う治療時、
当接部材は、上方に向かって登り勾配に傾斜するように支持部材に取り付けられているか、
又は、
前記当接部材は、上方に向かって登り勾配に傾斜する傾斜部又はアール形状部を有するかの何れかである
ことを特徴とする請求項４又は請求項１０又は請求項１５記載の医療用診療椅子。
【請求項２０】
座と、回動自在な背もたれと、この背もたれから突出して設けられたヘッドレストとを有する医療用診療椅子であって、
支持部材は、回動部材に接続された受け部に支持され、
前記支持部材の長手方向の軸線に対して直角方向に回動又は回転自在に前記受け部に支持されている
ことを特徴とする請求項１０又は請求項１１記載の医療用診療椅子。
【請求項２１】
座と、回動自在な背もたれと、この背もたれから突出して設けられたヘッドレストとを有する医療用診療椅子であって、
当接部材に作業者の手又は腕が前記当接部材から滑り落ちるのを防止するストッパーが形成されている
ことを特徴とする請求項１又は請求項２〜１１のいずれか又は請求項１５〜１７のいずれかに記載の医療用診療椅子。
【請求項２２】
座と、回動自在な背もたれと、この背もたれから突出して設けられたヘッドレストとを有する医療用診療椅子であって、
第１の当接部材に作業者の手又は腕が前記当接部材から滑り落ちるのを防止する第１のストッパーが、
第２の当接部材に作業者の手又は腕が前記当接部材から滑り落ちるのを防止する第２のストッパーが、
それぞれ形成されている
ことを特徴とする請求項２に記載の医療用診療椅子。
【請求項２３】
座と、回動自在な背もたれと、この背もたれから突出して設けられたヘッドレストとを有する医療用診療椅子であって、
突出部材と支持部材と当接部材とが一体化、
又は、
前記突出部材と前記支持部材とが一体化、
又は、
前記支持部材と前記当接部材とが一体化されている
ことを特徴とする請求項４記載の医療用診療椅子。
【請求項２４】
作業者の体の部位がヘッドレストの頂部に当接しないように、前記ヘッドレストの頂部側に突出し、前記作業者の体の部位を当接支持する突出バーが前記ヘッドレストに設けられ、
前記突出バーの取り付け位置は、前記ヘッドレストの頂部又は前記ヘッドレストの裏面である
ことを特徴とする請求項２〜２３のいずれかに記載の医療用診療椅子。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項１記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、作業者の体の部位が前記ヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面である。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、請求項２記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記支持部材は、第１の支持部材と第２の支持部材を有し、前記当接部材は、第１の当接部材と第２の当接部材を有し、前記第１の支持部材の長手方向と前記第１の突出部材の長手方向とのなす角度は、略直角であり、前記第１の支持部材が前記第１の支持部材の長手方向に対して伸縮すると共に、この伸縮した状態を保持する第１の支持部保持手段を備え、前記第２の支持部材の長手方向と前記第２の突出部材の長手方向とのなす角度は、略直角であり、前記第２の支持部材が前記第２の支持部材の長手方向に対して伸縮すると共に、この伸縮した状態を保持する第２の支持部保持手段を備えているものである。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、請求項３記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記突出部材が前記背もたれの外方に突出する場合、
前記突出部材は、前記背もたれの裏面側から前記背もたれの外方に突出するように設けられたものか、又は、前記背もたれの頂面から前記背もたれの外方に突出するように設けられたものか、又は、前記背もたれの表面側から前記背もたれの外方に突出するように設けられたものかの何れか一つである。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
また、請求項４記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記背もたれを倒して行う治療時、前記当接部材は、患者の口唇より、垂直方向において、下方に位置しているものである。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
また、請求項５記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材とが接続され、前記突出部材は、前記突出部材の長手方向に対して略直交する方向に前記突出部材の長手方向の長さより短い突出部を有し、前記ヘッドレストの側面部に設けられた支持部に前記突出部材の突出部が挿入され、前記突出部材が前記支持部で支持されているものである。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】変更
【補正の内容】
【００３３】
また、請求項６記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記突出部材は前記突出部材の長手方向に対して伸縮すると共に、この伸縮した状態を保持する突出部保持手段を備えているものである。
また、請求項７記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記突出部材が前記背もたれの外方に突出する場合、前記背もたれを倒して行う治療等の作業時、平面視、前記当接部材の下に患者の肩が位置しているものである。
また、請求項８記載の医療用診療椅子は、座と、回動自在な背もたれと、この背もたれに設けられたヘッドレストとを有する医療用診療椅子であって、前記背もたれ又は前記ヘッドレストに設けられた突出部材と、作業者の手又は腕が当接する当接部材と、この当接部材を支える支持部材とを備え、前記支持部材と前記突出部材とが接続され、前記背もたれを倒して行う治療時、前記当接部材は、上方に向かって登り勾配に傾斜するように前記支持部材に取り付けられているか、または、前記当接部材は、上方に向かって登り勾配に傾斜する傾斜部又はアール形状部を有するかの何れかである。
また、請求項９記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材と、この当接部材を支える支持部材とを備え、前記支持部材と前記突出部材が接続され、前記支持部材は、前記突出部材に接続された受け部に支持され、前記支持部材の長手方向の軸線に対して直角方向に回動又は回転自在に前記受け部に支持されているものである。
また、請求項１０記載の医療用診療椅子は、座と、回動自在な背もたれと、この背もたれに設けられたヘッドレストとを有する医療用診療椅子であって、前記背もたれ又は前記ヘッドレストに回動自在に設けられた回動部材と、作業者の手又は腕が当接する当接部材と、この当接部材を支える支持部材とを備え、前記支持部材と前記回動部材とが接続されているものである。
また、請求項１１記載の医療用診療椅子は、請求項１０記載の医療用診療椅子において、座と、回動自在な背もたれと、この背もたれから突出して設けられたヘッドレストとを有する医療用診療椅子であって、回動部材と支持部材と当接部材が一体的に形成されているか、又は、前記回動部材と前記支持部材とが一体的に形成されているか、又は、前記支持部材と前記当接部材が一体的に形成されているか、である
また、請求項１２記載の医療用診療椅子は、請求項１０又は請求項１１記載の医療用診療椅子において、座と、回動自在な背もたれと、この背もたれから突出して設けられたヘッドレストとを有する医療用診療椅子であって、回動部材が前記回動部材の長手方向に対して伸縮すると共に、この伸縮した状態を保持する回動部保持手段を備えているものである。
また、請求項１３記載の医療用診療椅子は、請求項４又は請求項１０又は請求項１１記載の医療用診療椅子において、座と、回動自在な背もたれと、この背もたれから突出して設けられたヘッドレストとを有する医療用診療椅子であって、支持部材が前記支持部材の長手方向に対して伸縮すると共に、この伸縮した状態を保持する支持部保持手段を備えているものである。
また、請求項１４記載の医療用診療椅子は、請求項１０又は請求項１２記載の医療用診療椅子において、回動部材は、背もたれの内部から前記背もたれの外方に突出するように設けられたものか、又は、前記背もたれの頂面に取り付けられ、前記背もたれの外方に突出するように設けられたものか、又は、前記背もたれの裏面側から前記背もたれの外方に突出するように設けられたものか、又は、ヘッドレストの内部から前記ヘッドレストの外方に突出するように設けられたものか、又は、前記ヘッドレストの側面に取り付けられ、前記ヘッドレストの外方に突出するように設けられたものか、又は、前記ヘッドレストの裏面側から前記ヘッドレストの外方に突出するように設けられたものか、である。
また、請求項１５記載の医療用診療椅子は、座と、回動自在な背もたれと、この背もたれから突出して設けられたヘッドレストとを有する医療用診療椅子であって、前記背もたれ又は前記ヘッドレストの外方に突出するように設けられた突出部材と、作業者の手又は腕が当接する当接部材とを備え、前記突出部材の支持部で前記当接部材を支持し、前記背もたれを倒して行う治療時、前記当接部材は、患者の口唇より、垂直方向において、下方に位置しているものである。
また、請求項１６記載の医療用診療椅子は、請求項１５記載の医療用診療椅子において、座と、回動自在な背もたれと、この背もたれから突出して設けられたヘッドレストとを有する医療用診療椅子であって、突出部材と当接部材とが一体化されているものである。
また、請求項１７記載の医療用診療椅子は、請求項１又は請求項３又は請求項４又は請求項５又は請求項６又は請求項９又は請求項１０又は請求項１５又は請求項１６記載の医療用診療椅子において、座と、回動自在な背もたれと、この背もたれから突出して設けられたヘッドレストとを有する医療用診療椅子であって、前記背もたれを倒して行う治療等の作業時、平面視、当接部材の下に患者の肩が位置しているものである。
また、請求項１８記載の医療用診療椅子は、請求項１又は請求項３又請求項５又は請求項６又は請求項９又は請求項１０記載の医療用診療椅子において、座と、回動自在な背もたれと、この背もたれから突出して設けられたヘッドレストとを有する医療用診療椅子であって、前記背もたれを倒して行う治療時、当接部材は、患者の口唇より、垂直方向において、下方に位置しているものである。
また、請求項１９記載の医療用診療椅子は、請求項４又は請求項１０又は請求項１５記載の医療用診療椅子において、座と、回動自在な背もたれと、この背もたれから突出して設けられたヘッドレストとを有する医療用診療椅子であって、前記背もたれを倒して行う治療時、当接部材は、上方に向かって登り勾配に傾斜するように支持部材に取り付けられているか、又は、前記当接部材は、上方に向かって登り勾配に傾斜する傾斜部又はアール形状部を有するかの何れかである。
また、請求項２０記載の医療用診療椅子は、請求項１０又は請求項１１記載の医療用診療椅子において、座と、回動自在な背もたれと、この背もたれから突出して設けられたヘッドレストとを有する医療用診療椅子であって、支持部材は、回動部材に接続された受け部に支持され、前記支持部材の長手方向の軸線に対して直角方向に回動又は回転自在に前記受け部に支持されているものである。
また、請求項２１記載の医療用診療椅子は、請求項１又は請求項２〜１１のいずれか又は請求項１５〜１７のいずれかに記載の医療用診療椅子において、座と、回動自在な背もたれと、この背もたれから突出して設けられたヘッドレストとを有する医療用診療椅子であって、当接部材に作業者の手又は腕が前記当接部材から滑り落ちるのを防止するストッパーが形成されているものである。
また、請求項２２記載の医療用診療椅子は、請求項２に記載の医療用診療椅子において、座と、回動自在な背もたれと、この背もたれから突出して設けられたヘッドレストとを有する医療用診療椅子であって、第１の当接部材に作業者の手又は腕が前記当接部材から滑り落ちるのを防止する第１のストッパーが、第２の当接部材に作業者の手又は腕が前記当接部材から滑り落ちるのを防止する第２のストッパーが、それぞれ形成されているものである。
また、請求項２３記載の医療用診療椅子は、請求項４記載の医療用診療椅子において、座と、回動自在な背もたれと、この背もたれから突出して設けられたヘッドレストとを有する医療用診療椅子であって、突出部材と支持部材と当接部材とが一体化、又は、前記突出部材と前記支持部材とが一体化、又は、前記支持部材と前記当接部材とが一体化されているものである。
また、請求項２４記載の医療用診療椅子は、請求項２〜２３のいずれかに記載の医療用診療椅子において、作業者の体の部位がヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面である。
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】変更
【補正の内容】
【００４１】
請求項１記載の医療用診療椅子によれば、突出部材を背もたれ又はヘッドレストの外方に突出するように設けるという発想の元、ヘッドレスト近傍に突出部材、支持部材を設けることができる分、突出部材、支持部材の長さを短くでき、これら突出部材、支持部材、当接部材を患者の頭部の近くにコンパクトに効率良く設けることができ、また、当接部材に、例えば、歯科医（又は歯科衛生士）等の作業者の手又は腕を支持させて治療行為等の作業を行うことができるため、支持させている分、歯科医（又は歯科衛生士）等の作業者の手を安定させて治療行為等の作業を行うことができ、治療行為等の作業が均一化して治療行為等の作業の向上を図ると共に、歯科医（又は歯科衛生士）等の作業者の治療行為等の作業の疲れをも軽減させることができる。また、治療行為等の作業が均一化して治療行為等の作業の向上が図れれば、治療行為等の作業を受ける患者にとって有益である効果に加え、ヘッドレストの頂部側に突出し、作業者の体の部位（例えば、上半身）を当接支持する突出バーがヘッドレストに設けられているため、歯科医師等の作業者は体の部位を突出バーに当接させて、作業者の上半身の安定化を図り、引いては、腕が安定して治療等の作業をより確実に行うことができ、また、突出バーにより、作業者の体の部位がヘッドレストに当接した患者の頭部に触れることをも防止して、患者に与える不快感を解消させることができる。
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】変更
【補正の内容】
【００４５】
また、請求項２記載の医療用診療椅子によれば、突出部材を背もたれ又はヘッドレストの外方に突出するように設けるという発想の元、ヘッドレスト近傍に突出部材、支持部材を設けることができる分、突出部材、支持部材の長さを短くでき、これら突出部材、支持部材、当接部材を患者の頭部の近くにコンパクトに効率良く設けることができ、また、当接部材に、例えば、歯科医（又は歯科衛生士）等の作業者の手又は腕を支持させて治療行為等の作業を行うことができるため、支持させている分、歯科医（又は歯科衛生士）等の作業者の手を安定させて治療行為等の作業を行うことができ、治療行為等の作業が均一化して治療行為等の作業の向上を図ると共に、歯科医（又は歯科衛生士）等の作業者の治療行為等の作業の疲れをも軽減させることができる。また、治療行為等の作業が均一化して治療行為等の作業の向上が図れれば、治療行為等の作業を受ける患者にとって有益である効果に加え、第１の当接部材を支える第１の支持部材が該第１の支持部材の長手方向に対して伸縮すると共に、この伸縮した状態を保持する第１の支持部保持手段を、第２の当接部材を支える第２の支持部材が該第２の支持部材の長手方向に対して伸縮すると共に、この伸縮した状態を保持する第２の支持部保持手段を、それぞれ備えているため、例えば、第１、第２の支持部材を伸縮させると共に、第１、第２の支持部保持手段により、第１、第２の支持部材の伸縮状態を保持して、歯科医師等の作業者の作業し易い適宜の位置を
確保することができ、また、例えば、ヘッドレスト及び背もたれを倒して行う歯科治療等の作業時、第１、第２の当接部材を患者の口唇より下方に位置させることができ、歯科医等は、右手又は右腕を第１の当接部材に支持させ、右腕をＶ字、Ｌ字状等に屈曲させて歯科医等の右手を、左手又は左腕を第２の当接部材に支持させ、左腕をＶ字、Ｌ字状等に屈曲させて歯科医等の左手を、それぞれ患者の口唇に向かわせて安定して治療行為等の作業を行うことができ、治療等の作業を向上させると共に、歯科医等の治療行為等の作業の疲れをも軽減させることができる。また、治療行為等の作業が均一化して治療行為等の作業
の向上が図れれば、治療行為等の作業を受ける患者にとっても有益である。
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】変更
【補正の内容】
【００４９】
また、請求項４記載の医療用診療椅子によれば、突出部材を背もたれ又はヘッドレストの外方に突出するように設けるという発想の元、ヘッドレスト近傍に突出部材、支持部材を設けることができる分、突出部材、支持部材の長さを短くでき、これら突出部材、支持部材、当接部材を患者の頭部の近くにコンパクトに効率良く設けることができ、また、当接部材に、例えば、歯科医（又は歯科衛生士）等の作業者の手又は腕を支持させて治療行為等の作業を行うことができるため、支持させている分、歯科医（又は歯科衛生士）等の作業者の手を安定させて治療行為等の作業を行うことができ、治療行為等の作業が均一化して治療行為等の作業の向上を図ると共に、歯科医（又は歯科衛生士）等の作業者の治療行為等の作業の疲れをも軽減させることができる。また、治療行為等の作業が均一化して治療行為等の作業の向上が図れれば、治療行為等の作業を受ける患者にとって有益である効果に加え、当接部材は、背もたれを倒して行う歯科治療等の作業時、患者の口唇より、垂直方向において、下方に位置しているため、歯科医等は、手又は腕を当接部材に支持させ、腕をＶ字、Ｌ字状等に屈曲させて歯科医等の手を患者の口唇に向かわせて安定して治療行為等を行うことができ、治療等を向上させると共に、歯科医等の治療行為等の作業の疲れをも軽減させることができる。また、治療行為等の作業が均一化して治療行為等の作業の向上が図れれば、治療行為等を受ける患者にとって有益である。
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】変更
【補正の内容】
【００５８】
また、請求項６記載の医療用診療椅子によれば、突出部材の長さを突出部保持手段により、突出部材の長さを調整することができるため、歯科医等は当接部材を最適の位置に設定して、治療行為等の作業を行うことができる。
また、請求項７記載の医療用診療椅子によれば、背もたれを倒して行う歯科治療等の作業時、平面視、当接部材の下に患者の肩が位置しているため、治療行為等の作業を容易に行うことができる。
また、請求項８記載の医療用診療椅子によれば、当接部材は、背もたれを倒して行う歯科治療等の作業時、上方に向かって登り勾配に傾斜するように支持部材に取り付けられているか、または、当接部材は、上方に向かって登り勾配に傾斜する傾斜部又はアール形状部を有するか、の何れかであるため、歯科医等の手又は腕の適宜の位置を当接部材の傾斜部又はアール形状部の適宜の位置に合わせることができ、安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとって有益である。
また、請求項９記載の医療用診療椅子によれば、支持部材は受け部に支持されているため、歯科医等は支持部材を回動又は回転させて傾斜した当接部材の最適の部位を選定して、治療行為等の作業を行うことができる。
例えば、突出部材４に接続された受け部７、具体的には、エルボ（第１のエルボ  Ｌ字形状の接続継手管）７を介して支持部材６と突出部材４とが接続されている。
また、請求項１０記載の医療用診療椅子によれば、例えば、回動部材を回動させて、歯科医等の作業し易い適宜の位置、ヘッドレストの頂部中央の方向を時計の１２時にみたてれば、９時［図２２（ｂ）］の位置から１２時［図２２（ａ）］の位置の間の適宜の位置、１２時［図２２（ａ）］の位置から３時（図２３）の位置の間の適宜の位置に、容易に移動して治療行為等の作業を容易に行うことができる。
また、請求項１２記載の医療用診療椅子によれば、回動部材の長さを回動部保持手段により、回動部材の長さを調整することができるため、歯科医等は当接部材を最適の位置に設定して、治療行為等の作業を行うことができる。
また、請求項１３記載の医療用診療椅子によれば、支持部材の長さを支持部保持手段により、支持部材の長さを調整することができるため、歯科医等は当接部材を最適の位置に設定して、治療行為等の作業を行うことができる。
また、請求項１５記載の医療用診療椅子によれば、当接部材は、背もたれを倒して行う歯科治療等の作業時、患者の口唇より、垂直方向において、下方に位置しているため、歯科医等は、手又は腕を当接部材に支持させ、腕をＶ字、Ｌ字状等に屈曲させて歯科医等の手を患者の口唇に向かわせて安定して治療行為等を行うことができ、治療等を向上させると共に、歯科医等の治療行為等の作業の疲れをも軽減させることができる。また、治療行為等の作業が均一化して治療行為等の作業の向上が図れれば、治療行為等を受ける患者にとって有益である。
また、請求項１７記載の医療用診療椅子によれば、背もたれを倒して行う歯科治療等の作業時、平面視、当接部材の下に患者の肩が位置しているため、治療行為等の作業を容易に行うことができる。
また、請求項１８記載の医療用診療椅子によれば、当接部材は、背もたれを倒して行う歯科治療等の作業時、患者の口唇より、垂直方向において、下方に位置しているため、歯科医等は、手又は腕を当接部材に支持させ、腕をＶ字、Ｌ字状等に屈曲させて歯科医等の手を患者の口唇に向かわせて安定して治療行為等を行うことができ、治療等を向上させると共に、歯科医等の治療行為等の作業の疲れをも軽減させることができる。また、治療行為等の作業が均一化して治療行為等の作業の向上が図れれば、治療行為等を受ける患者にとって有益である。
また、請求項１９記載の医療用診療椅子によれば、当接部材は、背もたれを倒して行う歯科治療等の作業時、上方に向かって登り勾配に傾斜する傾斜部を有するか、または、前記当接部材は、上方に向かって登り勾配に傾斜する傾斜部又はアール形状部を有するかの何れかであるため、歯科医等の手又は腕の適宜の位置を当接部材の傾斜部又はアール形状部の適宜の位置に合わせることができ、安定して治療行為等の作業を行うことができ、治療等の作業を向上させると共に、歯科医等の治療行為等の作業の疲れをも軽減させることができる。また、治療行為等の作業が均一化して治療行為等の作業の向上が図れれば、治療行為等の作業を受ける患者にとって有益である。
また、請求項２１記載の医療用診療椅子によれば、当接部材に作業者の手又は腕が前記当接部材から滑り落ちるのを防止するストッパーが形成されているため、歯科医等の治療行為等の作業を安全に行うことができる。
また、請求項２２記載の医療用診療椅子によれば、第１、第２の当接部材に作業者の  手又は腕が第１、第２の当接部材から滑り落ちるのを防止する第１、第２のストッパーが形成されているため、歯科医等の治療行為等の作業を安全に行うことができる。
また、請求項２４記載の医療用診療椅子によれば、作業者の体の部位がヘッドレストの頂部に当接しないように、前記ヘッドレストの頂部側に突出し、前記作業者の体の部位を当接支持する突出バーが前記ヘッドレストに設けられ、前記突出バーの取り付け位置は、前記ヘッドレストの頂部又は前記ヘッドレストの裏面であるため、歯科医師等の作業者は体の部位を突出バーに当接させて、作業者の上半身の安定化を図り、引いては、腕が安定して治療等の作業をより確実に行うことができ、また、突出バーにより、作業者の体の部位がヘッドレストに当接した患者の頭部に触れることをも防止して、患者に与える不快感を解消させることができる。